(57)【特許請求の範囲】
【請求項１】
遊技図柄の変動表示動作を表示可能な表示手段と、
所定の開始条件に基づいて前記表示手段における遊技図柄の変動表示動作に関する動作制御を含む遊技動作を統括的に制御する主制御手段と、
前記主制御手段から送信される制御コマンドに基づき、演出手段の演出制御を司る演出制御手段と、を有し、
前記主制御手段は、
始動手段が遊技球を検出したことを契機に、所定の遊技情報を取得する取得手段と、
前記取得手段により取得された前記遊技情報に基づき、当り遊技を発生させるか否かに関する抽選を行う抽選手段と、
前記取得手段により取得された前記遊技情報を保留データとして、前記図柄表示手段における前記遊技図柄の変動表示動作に供されるまで、あらかじめ定めた最大保留記憶個数を上限として保留記憶する保留記憶手段と、
今回前記始動手段が遊技球を検出したことに起因して、前記保留記憶手段に保留記憶された最新の前記保留データについて、前記遊技情報に基づき、少なくとも前記抽選手段による抽選結果を当該保留記憶が前記図柄の変動表示動作に供される前に先読み判定する先読み判定手段と、
前記先読み判定手段による先読み判定結果に関する情報および前記保留記憶手段に保留記憶された保留球数に関する情報を含む制御コマンドを作成する制御コマンド作成手段と、
前記制御コマンドを前記演出制御手段に送信するコマンド送信手段と、を備え、
前記図柄表示手段に前記遊技図柄が特定の表示態様で停止表示された後、前記当り遊技を実行可能に構成された遊技機において、
前記演出制御手段は、
前記制御コマンドを受信可能なコマンド受信手段と、
前記コマンド受信手段で前記制御コマンドを受信した場合、当該制御コマンドに含まれる保留球数情報が演出制御手段側において既知である保留球数情報と整合するかどうかを判定する整合性判定手段と、
前記制御コマンドに含まれる前記先読み判定結果の情報に基づき、当該先読み判定結果に関連する情報を報知する予告演出を実行制御する予告演出制御手段と、を有し、
前記予告演出制御手段は、
前記整合性判定手段で保留球数情報の整合性が確認された場合、前記先読み判定手段により前記最新の前記保留データに係る前記先読み判定の結果が得られたことを演出開始条件に、前記予告演出の実行可否を抽選により判定する予告実行判定手段と、
前記予告実行判定手段により前記予告演出を実行可と判定された場合には所定の演出手段として、前記保留記憶手段に前記遊技情報が保留記憶された場合にその旨を所定の保留表示態様により報知する保留表示手段に対して保留表示態様を通常の保留表示態様と異なる保留表示態様とする保留予告演出を発生させる一方、前記予告実行判定手段により前記予告演出を実行不可と判定された場合には前記保留表示手段に対して前記保留予告演出を発生させないように制御する予告実行制御手段と、
前記予告実行制御手段が前記最新の前記保留データに係る保留記憶について前記予告演出を発生させることとした場合、当該最新の保留データよりも後に生起する所定回数分の保留データに関して前記予告演出が実行されることをあらかじめ禁止する第１の予告演出実行禁止手段と、
前記最新の保留データについて前記整合性判定手段で保留球数情報の整合性が確認されなかった場合、当該最新の保留データよりも後に生起する所定回数分の保留データに関して前記予告演出が実行されることをあらかじめ禁止する第２の予告演出実行禁止手段と、
前記整合性判定手段で保留球数情報の整合性が確認されなかった場合、実行中の前記保留予告演出の実行をクリアし、前記保留表示手段における保留表示態様を前記通常の保留表示態様にするクリア手段と、を有する、
ことを特徴とする弾球遊技機。
【請求項２】
遊技図柄の変動表示動作を表示可能な表示手段と、
所定の開始条件に基づいて前記表示手段における遊技図柄の変動表示動作に関する動作制御を含む遊技動作を統括的に制御する主制御手段と、
前記主制御手段から送信される制御コマンドに基づき、演出手段の演出制御を司る演出制御手段と、を有し、
前記主制御手段は、
始動手段が遊技球を検出したことを契機に、所定の遊技情報を取得する取得手段と、
前記取得手段により取得された前記遊技情報に基づき、当り遊技を発生させるか否かに関する抽選を行う抽選手段と、
前記取得手段により取得された前記遊技情報を保留データとして、前記図柄表示手段における前記遊技図柄の変動表示動作に供されるまで、あらかじめ定めた最大保留記憶個数を上限として保留記憶する保留記憶手段と、
今回前記始動手段が遊技球を検出したことに起因して、前記保留記憶手段に保留記憶された最新の前記保留データについて、前記遊技情報に基づき、少なくとも前記抽選手段による抽選結果を当該保留記憶が前記図柄の変動表示動作に供される前に先読み判定する先読み判定手段と、
前記先読み判定手段による先読み判定結果に関する情報を含む第１の制御コマンドと、前記保留記憶手段に保留記憶された保留球数に関する情報を含む第２の制御コマンドと、を作成する制御コマンド作成手段と、
前記制御コマンドを前記演出制御手段に送信するコマンド送信手段と、を備え、
前記図柄表示手段に前記遊技図柄が特定の表示態様で停止表示された後、前記当り遊技を実行可能に構成された遊技機において、
前記演出制御手段は、
前記制御コマンドを受信可能なコマンド受信手段と、
前記コマンド受信手段で前記制御コマンドを受信した場合、当該制御コマンドに含まれる保留球数情報が演出制御手段側において既知である保留球数情報と整合するかどうかを判定する整合性判定手段と、
前記制御コマンドに含まれる前記先読み判定結果の情報に基づき、当該先読み判定結果に関連する情報を報知する予告演出を実行制御する予告演出制御手段と、を有し、
前記予告演出制御手段は、
前記整合性判定手段で保留球数情報の整合性が確認された場合、前記先読み判定手段により前記最新の前記保留データに係る前記先読み判定の結果が得られたことを演出開始条件に、前記予告演出の実行可否を抽選により判定する予告実行判定手段と、
前記予告実行判定手段により前記予告演出を実行可と判定された場合には所定の演出手段として、前記保留記憶手段に前記遊技情報が保留記憶された場合にその旨を所定の保留表示態様により報知する保留表示手段に対して保留表示態様を通常の保留表示態様と異なる保留表示態様とする保留予告演出を発生させる一方、前記予告実行判定手段により前記予告演出を実行不可と判定された場合には前記保留表示手段に対して前記保留予告演出を発生させないように制御する予告実行制御手段と、
前記予告実行制御手段が前記最新の前記保留データに係る保留記憶について前記予告演出を発生させることとした場合、当該最新の保留データよりも後に生起する所定回数分の保留データに関して前記予告演出が実行されることをあらかじめ禁止する第１の予告演出実行禁止手段と、
前記最新の保留データについて前記整合性判定手段で保留球数情報の整合性が確認されなかった場合、当該最新の保留データよりも後に生起する所定回数分の保留データに関して前記予告演出が実行されることをあらかじめ禁止する第２の予告演出実行禁止手段と、
前記整合性判定手段で保留球数情報の整合性が確認されなかった場合、実行中の前記保留予告演出の実行をクリアし、前記保留表示手段における保留表示態様を前記通常の保留表示態様にするクリア手段と、を有する、
ことを特徴とする弾球遊技機。
【発明の詳細な説明】
【技術分野】
【０００１】
本発明は弾球遊技機に関するものである。
【背景技術】
【０００２】
パチンコ遊技機では、一般に、特別図柄の変動開始および変動停止を一セットとする変動表示動作を図柄表示装置に表示させて図柄遊技（特別図柄変動表示ゲーム）を行い、特別図柄が特定の表示態様で停止表示された場合、上記大当り遊技を実行制御する。
【０００３】
また最近のパチンコ遊技機では、遊技状態が遊技者にとって有利な大当り遊技になる可能性が高いことを表現する技術として、いわゆる先読み予告が行われる（下記、特許文献１）。この先読み予告には、これを表現する予告演出の種類として「始動時変化系」と「変動開始時変化系」の２種類がある。
【０００４】
前者の「始動時変化系」の先読み予告は、始動口に遊技球が入賞して始動条件が成立したことを契機としてなされる予告で、たとえば保留表示器による表示態様をあらかじめ定めた特定の表示態様に変化させる、という「保留変化系」の予告演出を連続させるものである。すなわち、一の図柄遊技の変動表示動作中に始動口に遊技球が入賞して始動条件が成立したことに基づき、その始動条件成立に係る図柄遊技の変動表示動作を実行する権利を一旦保留記憶すると同時に、保留加算コマンドを主制御部から副制御部に送信し、これを受信した副制御部が、先読み予告演出（連続予告演出）を行うか否かについての先読み予告抽選を行い、この先読み予告抽選に当選した場合には、当該保留記憶に係る保留表示器の表示態様を、通常と異なった表示態様（たとえば白色から赤色）に変化させる。
【０００５】
現存する保留記憶は一の図柄遊技の変動表示動作の実行が完了することで順次消化され、これに伴い保留記憶位置を繰り上げ移行（シフト）するとともに、保留減算コマンドが主制御部から副制御部に送信され、これを受信した副制御部が、保留表示器の表示位置を繰り上げ移行（シフト）して表示個数が減じられるが、上記した通常と異なる保留表示態様（赤色）の保留記憶は、この間も保留表示器の表示位置を変えながら連続的に表示され続ける。これにより保留表示変化系の予告演出による連続予告演出を行う、というものである。
【０００６】
後者の「変動開始時変化系」の先読み予告は、図柄遊技の変動表示動作が開始したことを契機としてなされる予告で、演出装置を用いて予告演出を行い、たとえば画像表示装置の画面に連続予告演出用の予告画像として稲妻画像を表示させ、これを複数の変動表示動作に跨って実行し連続表示させるものである。すなわち、一の図柄遊技の変動表示動作中に始動口に遊技球が入賞して始動条件が成立した場合、その始動条件成立に係る図柄遊技の変動表示動作を実行する権利を一旦保留記憶すると同時に、保留加算コマンドを主制御部から副制御部に送信し、これを受信した副制御部が、先読み予告演出（連続予告演出）を行うか否かに関し先読み予告抽選を行い、この先読み予告抽選に当選した場合には、その時点で現存する保留記憶について、それらの図柄遊技を関連した表現にする。つまり、保留記憶は記憶順にみて最も古いものから順に消化され、その都度、保留減算コマンドが主制御部から副制御部に送信され、これを受信した副制御部が、上記最も古い保留記憶から当該保留記憶までの現存する保留記憶が全て図柄遊技の変動表示動作の実行に供されるまで、各図柄遊技の変動表示動作の実行時に、画像表示装置の画面に連続予告用の予告演出として稲妻画像を現出させる。この稲妻画像を現存する保留記憶に跨って現出させることにより連続予告演出を行う、というものである。
【０００７】
両者は、ともに現に存在する保留記憶について、その内容を先読みし、それらの保留記憶のうちに大当りとなる可能性の大きいものが存在することを連続予告演出により遊技者に予告するものである、という点で共通する。
【先行技術文献】
【特許文献】
【０００８】
【特許文献１】特開２００４−２４８８４５号公報
【発明の概要】
【発明が解決しようとする課題】
【０００９】
しかしながら、従来の弾球遊技機においては、電気的ノイズなどに起因して、上記した保留加算コマンドや保留減算コマンドのデータが変化し、それらが指示する保留記憶数が副制御部側で管理する保留記憶数と整合しない場合が発生するという問題があった。このような保留記憶数の不整合状況下において、演出制御部側で先読み予告演出を発生させてしまうと、結果的に遊技者に不信感をいだかせる状況を発生させてしまう。
【００１０】
そこで、本発明の目的は、上記課題を解決し、上記不信感を与えないようにした弾球遊技機を提供することにある。
【課題を解決するための手段】
【００１１】
本発明の上記目的は、下記の手段によって達成される。なお括弧内は実施形態における対応要素を示すが、本発明はこれに限定されるものではない。
【００１２】
（１）遊技図柄の変動表示動作を表示可能な表示手段（特別図柄表示装置３８、図９中のＳ３０９（特別図柄表示データ更新処理）、Ｓ３０７（特別図柄変動中処理））と、
所定の開始条件に基づいて前記表示手段における遊技図柄の変動表示動作に関する動作制御を含む遊技動作を統括的に制御する主制御手段（主制御部２０）と、
前記主制御手段から送信される制御コマンドに基づき、演出手段の演出制御を司る演出制御手段（副制御部２４）と、を有し、
前記主制御手段は、
始動手段が遊技球を検出したことを契機に、所定の遊技情報を取得する取得手段（図１１の第１始動口チェック処理中のＳ３１４、図１２の第２始動口チェック処理中のＳ３３４）と、
前記取得手段により取得された前記遊技情報に基づき、当り遊技を発生させるか否かに関する抽選を行う抽選手段（図１２中のＳ４０９（判定処理））と、
前記取得手段により取得された前記遊技情報を保留データとして、前記図柄表示手段における前記遊技図柄の変動表示動作に供されるまで、あらかじめ定めた最大保留記憶個数を上限として保留記憶する保留記憶手段（ＲＡＭ２０３の保留記憶エリア、図１０中のＳ３１４（乱数格納処理）、図１１中のＳ３３４（乱数格納処理）、図１１中のＳ４０６（保留記憶エリアのシフト処理）、Ｓ４０７（保留４記憶エリアのクリア処理））と、
前記保留記憶手段に保留記憶された前記遊技情報に基づき、少なくとも前記抽選手段による抽選結果を当該保留記憶が前記特別図柄の変動表示動作に供される前に先読み判定する先読み判定手段（図１０のステップＳ３１７〜Ｓ３１８、図１１のステップＳ３３７〜Ｓ３３８）と、
前記先読み判定手段による先読み判定結果に関する情報および前記保留記憶手段に保留記憶された保留球数に関する情報を含む制御コマンドを作成する制御コマンド作成手段（保留加算コマンドに関する図１０のＳ３２０、図１１のＳ３４０、図２９、保留減算コマンドに関する図１２のＳ４０３〜Ｓ４０４、図３０）と、
前記制御コマンドを前記演出制御手段に送信するコマンド送信手段（図１０中のＳ３２１（保留加算コマンド送信処理）、図１１中のＳ３４１（保留加算コマンド送信処理）、図１２中のＳ４０４（保留減算コマンド送信処理））と、を備え、
前記図柄表示手段に前記遊技図柄が特定の表示態様で停止表示された後、前記当り遊技を実行可能に構成された遊技機において、
前記演出制御手段は、
前記制御コマンドを受信可能なコマンド受信手段（図２０の保留加算コマンド受信処理、図２２の保留減算コマンド受信処理）と、
前記コマンド受信手段で前記制御コマンドを受信した場合、当該制御コマンドに含まれる保留球数情報が演出制御手段側において既知である保留球数情報と整合するかどうかを判定する整合性判定手段（図２０のＳ７１４、図２２のＳ７４５）と、
前記整合性判定手段で保留球数情報の整合性が確認された場合、前記制御コマンドに含まれる前記先読み判定結果の情報に基づき、当該先読み判定結果に関連する情報を報知する予告演出を現出制御する予告演出制御手段（図２０の保留加算コマンド受信処理中のＳ７１６〜Ｓ７１８、図２１のＳ７３１〜Ｓ７３２）と、を有し、
前記予告演出制御手段は、前記整合性判定手段で保留球数情報の整合性が確認されなかった場合、実行中の前記予告演出の実行をクリアする機能を有する（図２０の保留加算コマンド受信処理中のＳ７２５、図２２の保留減算コマンド受信処理中のＳ７４７）、
ことを特徴とする弾球遊技機。
【００１３】
（２）遊技図柄の変動表示動作を表示可能な表示手段（特別図柄表示装置３８、図９中のＳ３０９（特別図柄表示データ更新処理）、Ｓ３０７（特別図柄変動中処理））と、
所定の開始条件に基づいて前記表示手段における遊技図柄の変動表示動作に関する動作制御を含む遊技動作を統括的に制御する主制御手段（主制御部２０）と、
前記主制御手段から送信される制御コマンドに基づき、演出手段の演出制御を司る演出制御手段（副制御部２４）と、を有し、
前記主制御手段は、
始動手段が遊技球を検出したことを契機に、所定の遊技情報を取得する取得手段（図１１の第１始動口チェック処理中のＳ３１４、図１２の第２始動口チェック処理中のＳ３３４）と、
前記取得手段により取得された前記遊技情報に基づき、当り遊技を発生させるか否かに関する抽選を行う抽選手段（図１２中のＳ４０９（判定処理））と、
前記取得手段により取得された前記遊技情報を保留データとして、前記図柄表示手段における前記遊技図柄の変動表示動作に供されるまで、あらかじめ定めた最大保留記憶個数を上限として保留記憶する保留記憶手段（ＲＡＭ２０３の保留記憶エリア、図１０中のＳ３１４（乱数格納処理）、図１１中のＳ３３４（乱数格納処理）、図１１中のＳ４０６（保留記憶エリアのシフト処理）、Ｓ４０７（保留４記憶エリアのクリア処理））と、
前記保留記憶手段に保留記憶された前記遊技情報に基づき、少なくとも前記抽選手段による抽選結果を当該保留記憶が前記図柄の変動表示動作に供される前に先読み判定する先読み判定手段（図１０のステップＳ３１７〜Ｓ３１８、図１１のステップＳ３３７〜Ｓ３３８）と、
前記先読み判定手段による先読み判定結果に関する情報を含む第１の制御コマンドと、前記保留記憶手段に保留記憶された保留球数に関する情報を含む第２の制御コマンドと、を作成する制御コマンド作成手段（保留加算コマンドに関する図１０のＳ３２０、図１１のＳ３４０、保留減算コマンドに関する図１２のＳ４０３〜Ｓ４０４）と、
前記制御コマンドを前記演出制御手段に送信するコマンド送信手段（図１０中のＳ３２１（保留加算コマンド送信処理）、図１１中のＳ３４１（保留加算コマンド送信処理）、図１２中のＳ４０４（保留減算コマンド送信処理））と、を備え、
前記図柄表示手段に前記遊技図柄が特定の表示態様で停止表示された後、前記当り遊技を実行可能に構成された遊技機において、
前記演出制御手段は、
前記制御コマンドを受信可能なコマンド受信手段（図２０の保留加算コマンド受信処理、図２２の保留減算コマンド受信処理）と、
前記コマンド受信手段で前記制御コマンドを受信した場合、当該制御コマンドに含まれる保留球数情報が演出制御手段側において既知である保留球数情報と整合するかどうかを判定する整合性判定手段（図２０のＳ７１４、図２２のＳ７４５）と、
前記整合性判定手段で保留球数情報の整合性が確認された場合、前記制御コマンドに含まれる前記先読み判定結果の情報に基づき、当該先読み判定結果に関連する情報を報知する予告演出を現出制御する予告演出制御手段（図２０の保留加算コマンド受信処理中のＳ７１６〜Ｓ７１８、図２１のＳ７３１〜Ｓ７３２）と、を有し、
前記予告演出制御手段は、前記整合性判定手段で保留球数情報の整合性が確認されなかった場合、実行中の前記予告演出の実行をクリアする機能を有する（図２０の保留加算コマンド受信処理中のＳ７２５、図２２の保留減算コマンド受信処理中のＳ７４７）、
ことを特徴とする弾球遊技機。
【発明の効果】
【００１４】
本発明によれば、先読み予告演を続行させることに関し、保留加算コマンドや保留減算コマンドのデータが変化したことに起因する上記不信感を遊技者に与えないようにすることができる。
【図面の簡単な説明】
【００１５】
【図１】本発明の一実施形態に係る弾球遊技機の外観を示す正面側の斜視図である。
【図２】本発明の一実施形態に係る弾球遊技機の遊技盤の正面側を示す図である。
【図３】本発明の一実施形態に係る弾球遊技機の制御装置を示すブロック図である。
【図４】本発明の一実施形態に係る弾球遊技機の遊技状態遷移の説明に供する説明図である。
【図５】本発明の一実施形態に係る液晶表示装置の画面表示の説明に供する説明図である。
【図６】本発明の一実施形態に係る先読み予告演出の説明に供する説明図である。
【図７】本発明の一実施形態に係る主制御側メイン処理を示すフローチャートである。
【図８】本発明の一実施形態に係る主制御側タイマ割込処理を示すフローチャートである。
【図９】図８中の特別図柄管理処理を示すフローチャートである。
【図１０】図９中の特図１始動口チェック処理を示すフローチャートである。
【図１１】図９中の特図２始動口チェック処理を示すフローチャートである。
【図１２】図９中の特別図柄変動開始処理を示すフローチャートである。
【図１３】図１２中の遊技状態移行準備処理を示すフローチャートである。
【図１４】図９中の特別図柄変動中処理を示すフローチャートである。
【図１５Ａ】図９中の特別図柄確認時間中処理の前半部を示すフローチャートである。
【図１５Ｂ】図９中の特別図柄確認時間中処理の後半部を示すフローチャートである。
【図１６】図８中の特別電動役物管理処理を示すフローチャートである。
【図１７】本発明の一実施形態に係る演出制御側メイン処理を示すフローチャートである。
【図１８】本発明の一実施形態に係るコマンド受信割込み処理を示すフローチャートである。
【図１９】本発明の一実施形態に係る演出制御側タイマ割込処理を示すフローチャートである。
【図２０】図１７中の受信コマンド解析処理における保留加算コマンド受信処理を示すフローチャートである。
【図２１】図２０中の先読み演出抽選処理を示すフローチャートである。
【図２２】図１７中の受信コマンド解析処理における保留減算コマンド受信処理を示すフローチャートである。
【図２３】図１７中の受信コマンド解析処理における当り終了コマンド受信処理を示すフローチャートである。
【図２４】図１７中の受信コマンド解析処理における大当り終了コマンド受信処理を示すフローチャートである。
【図２５】図１７中の受信コマンド解析処理における小当り終了コマンド受信処理を示すフローチャートである。
【図２６】図１７中のコマンド解析処理における変動パターン指定コマンド受信処理を示すフローチャートである。
【図２７】図１７中のコマンド解析処理における装飾図柄指定コマンド受信処理を示すフローチャートである。
【図２８】図２７中の装飾図柄指定コマンド受信処理におけるＣＺ中演出シナリオ設定処理を示すフローチャートである。
【図２９】本発明の一実施形態に係る保留加算コマンドの一覧を示す図である。
【図３０】本発明の一実施形態に係る保留減算コマンドの一覧を示す図である。
【図３１】本発明の一実施形態に係る大当り用遊技状態移行テーブル選択テーブルを示す図である。
【図３２】本発明の一実施形態に係る小当り用遊技状態移行テーブル選択テーブルを示す図である。
【図３３】本発明の一実施形態に係る遊技状態移行テーブルを示す図である。
【図３４】本発明の一実施形態に係る当り変動パターン振分テーブルを示す図である。
【図３５】本発明の一実施形態に係るハズレ変動パターン振分テーブルを示す図である。
【図３６】本発明の変形例（第２の実施形態）に係るハズレ変動パターン振分テーブルを示す図である。
【図３７】本発明の一実施形態に係る変動パターン振分指定番号表を示す図である。
【図３８】本発明の一実施形態に係る先読み演出抽選テーブルを示す図である。
【図３９】本発明の一実施形態に係る先読み演出決定時に考慮する変動パターンの種別を示す図である。
【発明を実施するための形態】
【００１６】
以下、図面を参照しながら、本発明に係る遊技機の好ましい実施形態について詳細に説明する。なお、以下に述べる実施形態では、本発明に係る弾球遊技機として、パチンコ遊技機を例にとって説明する。
【００１７】
[第１の実施形態]
＜１．構成の概要：図１および図２＞
図１および図２を参照して、本発明の一実施形態に係るパチンコ遊技機の構成の概要を説明する。図１は本発明の一実施形態に係るパチンコ遊技機の外観を示す正面側の斜視図を、図２は遊技盤の正面側を示した図である。
【００１８】
まず図１を参照して、パチンコ遊技機１の正面側の構成について説明する。図１に示すパチンコ遊技機１は、木製の外枠４の前面に額縁状の前枠２を開閉可能に取り付け、前枠２の裏面に取り付けた遊技盤収納フレーム（図示せず）内に遊技盤３（図２参照）を装着し、この遊技盤３の表面に形成した遊技領域３ａを前枠２の開口部に臨ませた構成を有する。この遊技領域３ａの前側には、透明ガラスを支持したガラス扉６が設けられている。
【００１９】
ガラス扉６の前側には扉ロック解除用のキーシリンダ（図示せず）が設けられており、このキーシリンダにキーを差し込んで一方側に操作すれば前枠２に対するガラス扉６のロック状態を、他方側に操作すれば外枠４に対する前枠２のロック状態をそれぞれ解除して前側に開放できるようになっている。
【００２０】
ガラス扉６の下側には、ヒンジ（図示せず）により前枠２に開閉自在に枢支された前面操作パネル７が配置されている。前面操作パネル７には、上受け皿ユニット８が設けられ、この上受け皿ユニット８には、排出された遊技球を貯留する上受け皿９が形成されている。
【００２１】
また上受け皿ユニット８には、上受け皿９に貯留された遊技球をパチンコ遊技機１の下方に抜くための球抜きボタン１４と、遊技球貸出装置（図示せず）に対して遊技球の払い出しを要求するための球貸しボタン１１と、遊技球貸出装置に挿入した有価価値媒体の返却を要求するためのカード返却ボタン１２とが設けられている。またさらに上受け皿ユニット８には、所定の入力受付期間中に内蔵ランプが点灯されて操作可能（入力受付可能）となり、その内蔵ランプ点灯時に押下することにより演出に変化をもたらすことができる押しボタン式の枠演出ボタン１３が設けられている。この枠演出ボタン１３は、遊技者が操作可能な手操作手段として働く。
【００２２】
また前面操作パネル７の右端部側には、発射装置３２（図３参照）を作動させるための発射操作ハンドル１５が設けられている。また前枠２の上部の両側と発射操作ハンドル１５の上側とには、音響により音演出効果（効果音）を奏するスピーカ４６が設けられている。また、ガラス扉６の各所には、光の装飾により光演出効果を奏する複数の装飾ランプ４５が設けられている。
【００２３】
次に図２を参照して、遊技盤３の構成について説明する。図２に示す遊技盤３は、略正方形状の木製合板または樹脂板を主体として構成されている。この遊技盤３には、図示のように、発射された遊技球を案内する球誘導レール５が盤面区画部材として環状に装着されている。この球誘導レール５取り囲まれた略円形状の領域が遊技領域３ａとなっており、四隅は非遊技領域となっている。
【００２４】
この遊技領域３ａの略中央部には、たとえば３つ（左、中、右）の表示エリア（図柄変動表示領域）において、独立して数字やキャラクタや記号などによる複数種類の装飾図柄（たとえば、左図柄（左表示エリア対応）、中図柄（中表示エリア対応）、右図柄（右表示エリア対応））の変動表示および停止表示が可能である液晶表示装置３６（ＬＣＤ：Ｌｉｑｕｉｄ  Ｃｒｙｓｔａｌ  Ｄｉｓｐｌａｙ）が設けられている。この液晶表示装置３６は、後述する演出制御部２４の制御の下、種々の演出を画像により表示する。
【００２５】
また遊技領域３ａ内には、液晶表示装置３６の表示面の周りを遠巻きに囲繞する形でセンター飾り４８が設けられている。センター飾り４８は、周囲の遊技球から液晶表示装置３６の表示面を保護するとともに、遊技球の打ち出しの強さまたはストローク長により、遊技球の流路を左右に振り分けることを可能とする流路振分部材（流路振分手段）として働く。本実施形態では、センター飾り４８が遊技領域３ａのほぼ中央部に配置されており、これにより、遊技領域３ａ内の上部両側（左側と右側）に遊技球の流路が形成されるようになっている。ただし、この実施形態の場合、センター飾り４８は少し右側に膨出した形となっている。
【００２６】
センター飾り４８は、遊技盤３の前面側に沿って設けられ、かつ固定ねじなどにより遊技盤３に固定される前面装着板４８ａと、センター飾り４８の外周囲を形成し液晶表示装置３６の表示画面を取り囲む鎧枠部４８ｂとを一体に備えている。鎧枠部４８ｂは、その略全体が前面装着板４８ａから前側に突出しており、その内側、すなわち液晶表示装置３６側への遊技球の侵入を阻止するようになっている。センター飾り４８の上面と球誘導レール５との間には遊技球が通過可能な遊動領域が形成され、右側へも遊技球が案内されるようになっている。発射装置３２により遊技領域３ａの上部側に打ち込まれた遊技球は、この鎧枠部４８ｂの上部側で左右に振り分けられ、センター飾り４８の左側の左流下経路３ｂと右側の右流下経路３ｃとのいずれかを流下する。このようなセンター飾り４８は、遊技球の落下方向を変換する遊技球落下方向変換部材（落下方向変換手段）として働く。
【００２７】
なお図示していないが、センター飾り４８には、液晶表示装置３６の前側下部に、鎧枠部４８ｂの左側部に設けられた入球口（図示せず）から入球した遊技球を左右方向に自由に転動させて、左右方向中央の落下口（始動口案内路）またはその左右両側から落下させるステージが設けられている。またセンター飾り４８には、適所に、その動作態様により視覚的演出効果を奏する可動体役物（図示せず）が設けられている。
【００２８】
また遊技盤３の右上縁付近（右上隅）の非遊技領域は各種機能表示部となっており、７セグメント表示器（ドット付）を上始動口３４（第１の特別図柄用）と下始動口３５（第２の特別図柄用）に対応させて横に並べて構成される特別図柄表示装置３８ａ（第１の特別図柄表示手段）と特別図柄表示装置３８ｂ（第２の特別図柄表示手段）とが設けられている。上記の特別図柄表示装置３８ａ、３８ｂでは、７セグにより表現される「特別図柄」の変動表示動作（変動開始および変動停止を一セットする変動表示動作）により特別図柄変動表示ゲームが実行されるようになっている。なお上記の液晶表示装置３６は、特別図柄表示装置３８ａ、３８ｂによる特別図柄の変動表示と時間的に同調して、画像による装飾図柄を変動表示するもので、演出画像とともに装飾図柄変動表示ゲームが実行されるようになっている（これらの図柄変動表示ゲームについての詳細は追って説明する）。
【００２９】
また各種機能表示部には、特別図柄表示装置３８ａ、３８ｂの隣りに、７セグメント表示器（ドット付）からなる複合表示装置（保留複合表示用ＬＥＤ表示器）３８ｃが配設されている。複合と称したのは、特別図柄１の作動保留球数の表示、特別図柄２の作動保留球数の表示、変動時間短縮機能作動中（時短中）および高確率状態中（高確中）の状態報知という、５つの表示機能を有する保留・時短・高確複合表示装置（以下単に「複合表示装置」と称する）であるからである。
【００３０】
また各種機能表示部には、複合表示装置３８ｃの隣りに、複数個（この実施形態では２個）のＬＥＤを配置してなる普通図柄表示装置３９ａ（普通図柄表示手段）が設けられている。この普通図柄表示装置３９ａでは、２個のＬＥＤにより表現される普通図柄の変動表示動作（たとえば、シーソー的に交互に点灯と消灯を繰り返し、いずれかの側が点灯した状態で停止することで当否が判明する）により普通図柄変動表示ゲームが実行されるようになっている。また、この普通図柄表示装置３９ａに隣接して３個のＬＥＤ（第１〜第３ラウンド表示ＬＥＤ）を配置してなるラウンド数表示装置３９ｂが設けられている。このラウンド数表示装置３９ｂは、大当り（「大当り」の詳細は後述する）に係る規定ラウンド数を報知するラウンド表示手段として機能し、たとえば、３つのＬＥＤの点灯・消灯状態の組合せにより、その規定ラウンド数が報知されるようになっている。
【００３１】
センター飾り４８の下方には、上始動口３４（第１の特別図柄始動口：第１の始動手段）と、下始動口３５（第２の特別図柄始動口：第２の始動手段）を備える普通変動入賞装置４１とが上下に設けられ、それぞれの内部には、遊技球の通過を検出する検出センサ３４ａ、３５ａ（上始動口センサ３４ａ、下始動口センサ３５ａ：図３参照）が形成されている。
【００３２】
第１の特別図柄始動口である上始動口３４は、特別図柄表示装置３８ａ（第１の特別図柄表示装置）における第１の特別図柄（以下、「特別図柄１」と称し、場合により「特図１」と略す）の変動表示動作の始動条件に係る入賞口であり、始動口開閉手段（始動口を開放または拡大可能にする手段）を有しない入賞率固定型の入賞装置として構成されている。本実施形態では、遊技領域３ａ内の遊技球落下方向変換部材（たとえば、遊技くぎ（図示せず）、風車４４、センター飾り４８など）の作用により、上始動口３４へは、左流下経路３ｂを流下してきた遊技球については入賞容易な構成であるのに対し、右流下経路３ｃを流下してきた遊技球については入賞困難または入賞不可能な構成となっている。
【００３３】
普通変動入賞装置４１は、始動口開閉手段により始動口の遊技球の入賞率を変動可能な入賞率変動型の入賞装置として構成されており、具体的には、第２の特別図柄始動口である下始動口３５を、開放または拡大可能にする左右一対の可動翼片（可動部材）４７を備える、いわゆる「電動チューリップ型」の入賞装置として構成されている。普通変動入賞装置４１の下始動口３５は、特別図柄表示装置３８ｂ（第２の特別図柄表示装置）における第２の特別図柄（以下、「特別図柄２」と称し、場合により「特図２」と略す）の変動表示動作の始動条件に係る入賞口であり、この下始動口３５の入賞領域は、可動翼片４７の作動状態（作動または非作動）に応じて、入賞を容易とする開状態（入賞容易状態）と、その開状態よりも入賞を困難にし、または入賞を不可能にする閉状態（入賞困難状態）とに変換される。本実施形態では、可動翼片４７が非作動の場合、下始動口３５への入賞が不可能とする閉状態（入賞不可能状態）を保持している。
【００３４】
普通変動入賞装置４１の両側には、一般入賞口４３が左側に３つ、右側に１つ、計４つ配設されており、それぞれの内部には、遊技球の通過を検出する一般入賞口センサ４３ａ（図３参照）が形成されている。
【００３５】
また普通変動入賞装置４１の右斜め上方、つまり右流下経路３ｃの中間部より上部側には、遊技球が通過可能な通過ゲート（特定通過領域）からなる普通図柄始動口３７が設けられている。この普通図柄始動口３７（第３の始動手段）は、普通図柄表示装置３９ａにおける普通図柄の変動表示動作に係る入賞口であり、その内部には、通過する遊技球を検出する普通図柄始動口センサ３７ａ（図３参照）が形成されている。なお本実施形態では、普通図柄始動口３７は右流下経路３ｃ側にのみに形成され、左流下経路３ｂ側には形成されていない形態となっているが、本発明はこれに限らず、左流下経路３ｂのみに形成しても良い。
【００３６】
右流下経路３ｃ内の普通図柄始動口３７から普通変動入賞装置４１へかけての経路途中には、突没式の開放扉５２ｂにより大入賞口５０を開放または拡大可能に構成された特別変動入賞装置５２（特別電動役物）が設けられており、その内部には大入賞口５０に入球した遊技球を検出する大入賞口センサ５２ａ（図３参照）が形成されている。
【００３７】
大入賞口５０の周囲は、遊技盤３の表面から膨出した膨出部（装飾部材）５５となっており、この膨出部５５の上辺５５ａが右流下経路３ｃの下流案内部を形作っている。そして開放扉５２ｂにより大入賞口５０が閉鎖状態（大入賞口閉状態）であれば、この膨出部５５の上辺５５ａと連続する面を形成することによって、右流下経路３ｃの下流案内部（上辺５５ａ）の一部を形作るようになっている。また右流下経路３ｃの下流域には、膨出部５５の上辺５５ａの上方の領域、正確には大入賞口５０の上方の遊技領域において、遊技球の流下方向にほぼ平行に流路修正板５１ｄが突設されており、流下する遊技球を大入賞口５０の方向に寄せる働きをするようになっている。
【００３８】
大入賞口５０への遊技球の入球過程は次のようになる。センター飾り４８の上面と球誘導レール５との間の遊動領域を通過した遊技球は、遊技盤３より突出していて遊技球のガイドとして機能する膨出部５５の頂面（上辺）５５ａ上に沿って流下して来る。そして、その遊技球が遊技盤３面から突出している流路修正板５１ｄの右端に接触し、これにより、当該遊技球の流下方向は大入賞口５０の方向（下方向）に修正される。このとき、突没式の開放扉５２ｂにより大入賞口５０が蓋をされている状態（大入賞口閉状態）であれば、この上を遊技球が転動して、さらに図示しない所定配列の遊技くぎにより、チューリップ式の普通変動入賞装置４１（下始動口３５）の方向に導かれる。このとき、下始動口３５が入賞可能状態（始動口開状態）であれば、下始動口３５に遊技球が入賞し得る。他方、開放扉５２ｂが遊技盤面内に後退していて大入賞口５０が開いている状態（大入賞口開状態）であれば、遊技球が大入賞口５０内に導かれる。なお本実施形態のパチンコ遊技機１では、遊技者が特別変動入賞装置５２側に発射位置を狙い定めた場合（遊技球が右流下経路３ｃを通過するように狙いを定めた場合）、上始動口３４側には遊技球が誘導され難い、または誘導されない構成となっている。したがって「大入賞口閉状態」であれば、普通変動入賞装置４１の可動翼片４７が作動しない限り、各始動口３４、３５への入賞が困難または不可能とされるようになっている。
【００３９】
上記した入賞手段が左右の流下経路のいずれに属するか、つまり左流下経路３ｂまたは右流下経路３ｃのいずれを流下する遊技球が入賞可能であるかについて分類すると、左流下経路３ｂに属する入賞手段には、上始動口３４、下始動口３５、および左側の３つの一般入賞口４３があり、右流下経路３ｃに属する入賞手段には、上始動口３４、下始動口３５、普通図柄始動口３７、大入賞口５０、および右側の１つの一般入賞口４３がある。
【００４０】
下始動口３５は、可動翼片４７が開いた状態（始動口開状態）であれば、左流下経路３ｂおよび右流下経路３ｃの双方に属し、左右のいずれの流下経路からも入賞が可能となっている。しかし、下始動口３５の可動翼片４７は、遊技領域３ａの右側に位置する普通図柄始動口３７に遊技球が通過（入賞）がその作動条件となっているので、実質的には右流下経路３ｃにのみに属するといえる。
【００４１】
また上始動口３４については、概ね左流下経路３ｂまたは左流下経路３ｂのみに属し、右流下経路３ｃからの遊技球については、入賞が困難または不可能となっている。すなわち、遊技領域３ａ内の遊技くぎやその他の遊技部品の配置は、左流下経路３ｂを流下して来た遊技球（センター飾り４８のステージを経た遊技球を含む）について、これを上始動口３４へ誘導し得るが、右流下経路３ｃを流下してきた遊技球については、これを上始動口３４へ誘導困難または誘導しない、という誘導路を形成するように配設されている。
【００４２】
また大入賞口５０については右流下経路３ｃのみに属し、右流下経路３ｃからの遊技球だけが入賞可能となっている。
【００４３】
上記の上始動口３４、下始動口３５、普通図柄始動口３７、大入賞口５０、または一般入賞口４３などの各入賞口は、遊技領域３ａ内に配置された入賞手段として機能し、また、上始動口センサ３４ａ、下始動口センサ３５ａ、普通図柄始動口センサ３７ａ、大入賞口センサ５２ａ、または一般入賞口センサ４３ａなどの検出スイッチ（入賞検出スイッチ）は、入賞手段に入球した遊技球を検出する入賞検出手段として機能する。上記入賞検出スイッチは、フォトスイッチや近接スイッチなどの無接点スイッチや、マイクロスイッチなどの有接点スイッチで構成することができる。
【００４４】
本実施形態のパチンコ遊技機１においては、遊技領域３ａに設けられた各種入賞口のうち、普通図柄始動口３７以外の入賞口への入賞があった場合には、各入賞口別に約束づけられた入賞球１個当りの賞球数（たとえば、上始動口３４または下始動口３５は３個、大入賞口４０は１３個、一般入賞口４３は１０個）が遊技球払出装置１９（図３参照）から払い出されるようになっている。なお上記の各入賞口に入賞しなかった遊技球は、アウト口４９を介して遊技領域３ａから排出される。ここで「入賞」とは、入賞口がその内部に遊技球を取り込んだり、入賞口が遊技球を内部に取り込む構造ではなく、通過型のゲートからなる入賞口（たとえば、普通図柄始動口３７）である場合は、そのゲートを遊技球が通過したりすることをいい、実際には入賞口ごとに形成された各入賞検出スイッチにより遊技球が検出された場合、その入賞口に「入賞」が発生したものとして扱われる。この入賞に係る遊技球を「入賞球」とも称する。
【００４５】
＜２．制御装置：図３＞
次に図３を参照して、本実施形態に係るパチンコ遊技機１の遊技動作制御に係る制御装置について説明する。図３は、その制御装置の概要を示す制御ブロック図である。
【００４６】
本実施形態に係るパチンコ遊技機１の制御装置は、遊技動作全般に係る制御（遊技動作制御）を統括的に司る主制御部（主制御手段）２０と、主制御部２０から演出制御コマンドを受けて、画像と光と音についての演出動作制御（演出現出制御）を統括的に司る演出制御部（演出制御手段）２４と、賞球の払い出し制御を行う払出制御基板（払出制御手段）２９と、外部電源（図示せず）から遊技機に必要な電源を生成し供給する電源基板（電源制御手段）３１と、を中心に構成される。また演出制御部２４には、画像表示装置としての液晶表示装置３６が接続されている。なお、図３において電源供給ルートは省略してある。
【００４７】
（２−１．主制御部２０：主制御手段）
主制御部２０は、ＣＰＵ２０１（主制御ＣＰＵ）を内蔵したマイクロプロセッサを搭載するとともに、ＲＯＭ２０２（主制御ＲＯＭ）と、ＲＡＭ２０３（主制御ＲＡＭ）とを搭載し、全体としてマイクロコンピュータ（Ｚ８０システム相当品）を構成している。ＲＯＭ２０２は、遊技動作制御に係る遊技データを記憶する記憶手段（主制御側記憶手段）として機能し、遊技動作制御手順を記述した制御プログラムの他、遊技動作制御に必要な種々のデータが格納されている。またＲＡＭ２０３は、ワークエリアやバッファメモリとして機能し、遊技進行の際に必要なデータが処理状態に応じて格納され利用される。また図示はしていないが、主制御部２０は、特別図柄変動表示ゲームに係る抽選用乱数を生成するための乱数生成回路、Ｚ８０システムに周期的割込みや一定周期のパルス出力作成機能（ビットレートジェネレータ）や時間計測の機能を付与するＣＴＣ（Ｃｏｕｎｔｅｒ  Ｔｉｍｅｒ  Ｃｉｒｃｕｉｔ）、ＣＰＵに割込み信号を付与するタイマ割込などの割込機能（割込禁止機能を含む）を発揮する割込コントローラ回路なども備えている。
【００４８】
ここでＣＰＵ２０１は、Ｚ８０（ザイログ社製またはこれの相当品）のＣＰＵである。Ｚ８０は、データバスが８ビット、アドレスバスが１６ビットのＣＰＵであるが、広いメモリ空間を必要とせず、その上、高速処理や複雑な数値演算処理も必要としないパチンコ機の制御には最適である。またＣＰＵ２０１は、処理を実行するのに必要なデータの読み書きが行われる複数種類のレジスタを備えている。
【００４９】
主制御部２０には、上始動口３４への入賞を検出する上始動口３４ａと、下始動口３５への入賞を検出する下始動口センサ３５ａと、普通図柄始動口３７の通過を検出する普通図柄始動口センサ３７ａと、大入賞口５０への入賞を検出する大入賞口センサ５２ａと、一般入賞口４３への入賞を検出する一般入賞口センサ４３ａとが接続され、主制御部２０はこれらからの検出信号を受信可能となっている。
【００５０】
また主制御部２０には、下始動口３５の可動翼片４７を開閉制御するための普通電動役物ソレノイド４１ｃと、大入賞口５０の開放扉５２ｂを開閉制御するための大入賞口ソレノイド５２ｃとが接続され、主制御部２０はこれらを制御するための制御信号を送信可能となっている。
【００５１】
また主制御部２０には、特別図柄表示装置３８ａと特別図柄表示装置３８ｂとが接続され、主制御部２０は、特別図柄を表示制御するための制御信号を送信可能となっている。また主制御部２０には、普通図柄表示装置３９ａが接続され、普通図柄を表示制御するための制御信号を送信可能となっている。
【００５２】
また主制御部２０には、複合表示装置３８ｃが接続され、主制御部２０は、これに表示される各種情報を表示制御するための制御信号を送信可能となっている。また主制御部２０には、ラウンド数表示装置３９ｂが接続され、主制御部２０は、大当りによる規定ラウンド数を表示制御するための制御信号を送信可能となっている。
【００５３】
また主制御部２０には、枠用外部集中端子基板２１が接続され、主制御部２０は、遊技進行に関する情報（たとえば、大当り当選情報や賞球数情報や図柄変動表示ゲーム実行回数情報など）を、枠用外部集中端子基板２１を介してホールコンピュータＨＣに送信可能となっている。上記のホールコンピュータＨＣは、主制御部２０から送られてくる情報に基づき、パチンコホールの遊技機の稼働状況を管理する管理コンピュータであり、遊技機外部に配設されている。
【００５４】
また主制御部２０には、払出制御基板（払出制御部）２９が接続され、この払出制御基板２９には、発射装置３２を制御する発射制御基板（発射制御部）２８と、遊技球の払い出しを行う遊技球払出装置（遊技球払出手段）１９とが接続されている。主制御部２０は、払出制御基板２９に対し、払い出しに関する制御コマンド（賞球数を指定する払出制御コマンド）を送信可能となっている。他方、払出制御基板２９は、主制御部２０に対し、払い出し動作状態に関する情報（払出状態信号）を送信可能となっている。主制御部２０側では、この払出状態信号に基づき、遊技球払出装置１９が正常に機能しているか否か、具体的には、賞球の払い出しに不具合（たとえば、玉詰まりや賞球の払い出し不足など）が発生したか否かを監視している。
【００５５】
また主制御部２０は、特別図柄変動表示ゲームに関する情報を乗せた演出制御コマンドを、演出制御部２４に送信可能となっている。このような主制御部２０からの演出制御コマンドは、外部からのゴト行為による不正な信号が演出制御部２４を介して主制御部２０に入力されることを防止するため、一方向通信により演出制御部２４に送信される。
【００５６】
（２−２．演出制御部２４）
演出制御部２４は、ＣＰＵ２４１（演出制御ＣＰＵ）を内蔵したマイクロプロセッサを搭載するとともに、ＲＯＭ２４２（演出制御ＲＯＭ）と、ＲＡＭ２４３（演出制御ＲＡＭ）とを搭載したマイクロコンピュータを中心に構成され、その他、音源ＩＣ、ＣＴＣ、およびタイマ割込などの割込機能（割込禁止機能を含む）を備える割込みコントローラ回路などが設けられている。ＲＯＭ２４２は、演出動作制御に係る遊技データを記憶する記憶手段（演出制御側記憶手段）として機能し、演出制御手順が記述された演出制御プログラムの他、演出動作制御に必要な種々のデータが格納されている。またＲＡＭ２４３は、ワークエリアやバッファメモリとして機能し、演出を現出する際に必要なデータが処理状態に応じて格納され利用される。この演出制御部２４の主な役割は、主制御部２０からの演出制御コマンドの受信、演出制御コマンドに基づく演出の選択決定、液晶表示装置３６の画像表示制御、スピーカ４６の音制御、装飾ランプ４５やＬＥＤの発光制御、可動体役物の動作制御などである。
【００５７】
また演出制御部２４は、液晶表示装置３６の表示制御を司る表示制御部（図示せず）を備えている。この表示制御部は、画像展開処理や画像の描画などの映像出力処理全般の制御を司るＶＤＰ（Ｖｉｄｅｏ  Ｄｉｓｐｌａｙ  Ｐｒｏｃｅｓｓｏｒ）と、ＶＤＰが画像展開処理を行う画像データ（演出画像データ）を格納した画像ＲＯＭと、ＶＤＰが展開した画像データを一時的に記憶するＶＲＡＭ（Ｖｉｄｅｏ  ＲＡＭ）と、ＶＤＰが表示制御を行うために必要な制御データを出力する液晶制御ＣＰＵと、液晶制御ＣＰＵの表示制御動作手順を記述したプログラムやその表示制御に必要な種々のデータを格納する液晶制御ＲＯＭと、ワークエリアやバッファメモリとして機能する液晶制御ＲＡＭと、を中心に構成されている。
【００５８】
また演出制御部２４は、光演出や音演出を行うため、装飾ランプ４５やＬＥＤを含む光表示装置４５ａに対する光表示制御部、スピーカ４６を含む音響発生装置４６ａに対する音響制御部（音源ＬＳＩ）、可動体役物モータ６１に対する駆動制御部（モータ駆動回路）などを備えている。
【００５９】
また演出制御部２４には、遊技者が操作可能な枠演出ボタン１３が接続され、演出制御部２４は、枠演出ボタン１３からの操作検出信号を受信可能となっている。また演出制御部２４には、可動体役物の動作を制御するための可動体役物モータ６１が接続され、演出制御部２４は、可動体役物モータ６１を制御するための制御信号を送信可能となっている。
【００６０】
演出制御部２４は、主制御部２０から送られてくる演出制御コマンドに基づき、あらかじめ用意された複数種類の演出パターンの中から抽選によりあるいは一意に決定し、必要なタイミングで各種演出手段を制御する。これにより、演出パターンに対応する液晶表示装置３６による演出画像の表示、スピーカ４６からの音の再生、装飾ランプ４５やＬＥＤの点灯点滅駆動が実現され、種々の演出パターン（装飾図柄変動表示、予告演出など）が時系列的に展開されることにより、広義の意味での「演出シナリオ」が実現される。ここでの「演出シナリオ」とは、装飾図柄の変動表示動作態様、種々の予告演出を含めた広義の演出パターンを指す。
【００６１】
なお演出制御コマンドは、１バイト長のモード（ＭＯＤＥ）と、同じく１バイト長のイベント（ＥＶＥＮＴ）からなる２バイト構成により機能を定義し、ＭＯＤＥとＥＶＥＮＴの区別を行うために、ＭＯＤＥのＢｉｔ７はＯＮ、ＥＶＥＮＴのＢｉｔ７をＯＦＦとしている。これらの情報を有効なものとして送信する場合、モード（ＭＯＤＥ）およびイベント（ＥＶＥＮＴ）の各々に対応してストローブ信号が出力される。すなわち、ＣＰＵ２０１（主制御ＣＰＵ）は、送信すべきコマンドがある場合、演出制御部２４にコマンドを送信するためのモード（ＭＯＤＥ）情報の設定および出力を行い、この設定から所定時間経過後に１回目のストローブ信号の送信を行う。さらに、このストローブ信号の送信から所定時間経過後にイベント（ＥＶＥＮＴ）情報の設定および出力を行い、この設定から所定時間経過後に２回目のストローブ信号の送信を行う。ストローブ信号は、ＣＰＵ２４１（演出制御ＣＰＵ）が確実にコマンドを受信可能とする所定期間、ＣＰＵ２０１によりアクティブ状態に制御される。
【００６２】
また演出制御部２４（ＣＰＵ２４１）は、ストローブ信号の入力に基づいて割込を発生させてコマンド受信割込処理用の制御プログラムを実行し、この割込処理において演出制御コマンドが取得されるようになっている。またＣＰＵ２４１は、ＣＰＵ２０１とは異なり、ストローブ信号の入力に基づいて割込が発生した場合には、他の割込に基づく割込処理（定期的に実行されるタイマ割込処理）の実行中であっても、当該処理に割り込んでコマンド受信割込処理を行い、他の割込が同時に発生してもコマンド受信割込処理を優先的に行うようになっている。
【００６３】
＜３．動作の概説＞
次に、上記制御装置（図３）を用いた本実施形態のパチンコ遊技機１に係る遊技動作について説明する。
【００６４】
（３−１．図柄変動表示ゲーム）
（３−１−１．特別図柄変動表示ゲーム、装飾図柄変動表示ゲーム）
本実施形態のパチンコ遊技機１では、所定の始動条件、具体的には、遊技球が上始動口３４または下始動口３５に遊技球が入球（入賞）したことに基づき、主制御部２０において乱数抽選による「大当り抽選」が行なわれる。主制御部２０は、その抽選結果に基づき、特別図柄表示装置３８ａ、３８ｂに特別図柄１、２を変動表示して特別図柄変動表示ゲームを開始させ、所定時間経過後に、その結果を特別図柄表示装置に導出表示して、これにより特別図柄変動表示ゲームを終了させる。
【００６５】
ここで本実施形態では、上始動口３４への入賞に基づく大当り抽選と、下始動口３５への入賞に基づく大当り抽選とは別個独立して行われる。このため、上始動口３４に関する大当り抽選結果は特別図柄表示装置３８ａ側で、下始動口３５に関する大当り抽選結果は特別図柄表示装置３８ｂ側で導出されるようになっている。具体的には、特別図柄表示装置３８ａ側においては、上始動口３４に遊技球が入球したことを条件に、特別図柄１を変動表示して第１の特別図柄変動表示ゲームが開始され、他方、特別図柄表示装置３８ｂ側においては、下始動口３５に遊技球が入球したことを条件に、特別図柄２を変動表示して第２の特別図柄変動表示ゲームが開始されるようになっている。そして、特別図柄表示装置３８ａ、３８ｂにおける特別図柄変動表示ゲームが開始されると、所定の変動表示時間経過後に、大当り抽選結果が「大当り」の場合には所定の「大当り」態様で、それ以外の場合には所定の「ハズレ」態様で、変動表示中の特別図柄が停止表示され、これによりゲーム結果（大当り抽選結果）が導出されるようになっている。
【００６６】
なお本明細書中では、説明の便宜上、特別図柄表示装置３８ａ側の第１の特別図柄変動表示ゲームを「特別図柄変動表示ゲーム１」と称し、特別図柄表示装置３８ｂ側の第２の特別図柄変動表示ゲームを「特別図柄変動表示ゲーム２」と称する。また特に必要のない限り、「特別図柄１」と「特別図柄２」とを単に「特別図柄」と称し（場合により「特図」と略す）、また「特別図柄変動表示ゲーム１」と「特別図柄変動表示ゲーム２」とを単に「特別図柄変動表示ゲーム」と称する。
【００６７】
また上述の特別図柄変動表示ゲームが開始されると、これに伴って、液晶表示装置３６に装飾図柄（演出的な遊技図柄）を変動表示して装飾図柄変動表示ゲームが開始され、これに付随して種々の演出が展開される。そして、特別図柄変動表示ゲームが終了すると、装飾図柄変動表示ゲームも終了し、特別図柄表示装置には大当り抽選結果を示す所定の特別図柄が、そして液晶表示装置３６には当該大当り抽選結果を反映した装飾図柄が導出表示されるようになっている。すなわち、装飾図柄の変動表示動作を含む演出的な装飾図柄変動表示ゲームにより、特別図柄変動表示ゲームの結果を反映表示するようになっている。
【００６８】
たとえば、特別図柄変動表示ゲームの結果が「大当り」である場合、装飾図柄変動表示ゲームではその結果を反映させた演出が展開される。そして特別図柄表示装置において、特別図柄が大当りを示す表示態様（たとえば、７セグが「７」の表示状態）で停止表示されると、液晶表示装置３６には、「左」「中」「右」の各表示エリアにおいて、装飾図柄が「大当り」を反映させた表示態様（たとえば、「左」「中」「右」の各表示エリアにおいて、３個の装飾図柄が「７」「７」「７」の表示状態）で停止表示される。
【００６９】
この「大当り」となった場合、つまり、特別図柄変動表示ゲームが終了して、これに伴い装飾図柄変動表示ゲームが終了し、その結果として「大当り」の図柄態様が導出表示された後、特別変動入賞装置５２の大入賞口ソレノイド５２ｃ（図３参照）が作動して開放扉５２ｂが所定のパターンで開閉動作を行い、これにより大入賞口５０が開閉され、通常遊技状態よりも遊技者に有利な特別遊技状態（大当り遊技）が発生する。この大当り遊技では、開放扉５２ｂにより、大入賞口の開放時間が所定時間（最大開放時間：たとえば、２９．８秒）経過するまでか、または大入賞口に入賞した遊技球数（大入賞口５０への入賞球）が所定個数（最大入賞数：役物の１回の作動によりその入口が開き、または拡大した入賞口に対して許容される入賞球数の上限個数：たとえば、９個）に達するまで、その入賞領域が開放または拡大され、これらいずれかの条件を満した場合に大入賞口が閉鎖される、といった「ラウンド遊技」が、あらかじめ定められた規定ラウンド数（たとえば、最大１６ラウンド）繰り返される。なお、大入賞口５０が閉鎖される条件はこれに限らず、大入賞口の開放時間のみに基づくものであっても良いし、大入賞口に入賞した遊技球数のみに基づくものであっても良い。
【００７０】
上記大当り遊技が開始すると、最初に大当りが開始された旨を報知するオープニング演出が行われ、オープニング演出が終了した後、ラウンド遊技があらかじめ定められた規定ラウンド数を上限として複数回行われる。そして、規定ラウンド数終了後には、大当りが終了される旨を報知するエンディング演出が行われ、これにより大当り遊技が終了する。すなわち、大当り遊技は、大別すると、オープニング演出、ラウンド遊技、およびエンディング演出の各遊技期間から構成される。ただし、大入賞口閉状態であるオープニング演出期間とエンディング演出期間とを除いたラウンド遊技実行期間を、大当り遊技期間と捉えても良い。
【００７１】
上記の装飾図柄変動表示ゲームの実行に必要な情報に関しては、まず主制御部２０が、上始動口３４または下始動口３５に遊技球が入球（入賞）したことに基づき、具体的には、上始動口センサ３４ａまたは下始動口センサ３５ａにより遊技球が検出されて始動条件（特別図柄に関する始動条件）が成立したことを条件に、「大当り」または「ハズレ」のいずれであるかを抽選する‘当落抽選（当否種別抽選）’と、「大当り」であったならばその大当り種別を、「ハズレ」であったならばそのハズレ種別を抽選する‘図柄抽選（当選（当り）種別抽選）’とを含む大当り抽選を行い、その抽選結果情報に基づき、特別図柄の変動パターンや、最終的に停止表示させる特別図柄（特別停止図柄）を決定する。そして、処理状態を特定する演出制御コマンドとして、特別図柄の変動パターン情報（たとえば、大当り抽選結果、特別図柄の変動時間に関する情報など）を含む「変動パターン指定コマンド」と、特別停止図柄の情報（図柄抽選結果情報）を含む「装飾図柄指定コマンド」とを演出制御部２４に送信する。これにより、装飾図柄変動表示ゲームに必要とされる基本情報が演出制御部２４に送られる。
【００７２】
なお上記特別図柄の変動パターン情報には、特定の予告演出（後述のリーチ状態を経由するリーチ演出や、疑似変動表示動作を伴う疑似連演出など）の発生を指定する情報を含むことができる。詳述するに、特別図柄の変動パターンは、大当り抽選結果情報に応じて、当りの場合の「当り変動パターン」と、ハズレの場合の「ハズレ変動パターン」に大別され、これら変動パターンには、たとえばリーチ演出の発生を指定するリーチ演出指定用の変動パターン（リーチ変動パターン）、リーチ演出の発生を指定しない非リーチ演出指定用の変動パターン（通常変動パターン）、疑似連演出とリーチ演出との複合発生を指定する疑似連演出指定用のリーチ変動パターン（疑似連有りリーチ変動パターン、疑似連演出の発生を指定し、リーチ演出の発生は指定しない疑似連演出指定用の通常変動パターン（疑似連有り通常変動パターン）などがある。なお疑似連有り変動パターンの場合、疑似連回数を指定する情報も含むことができる。
【００７３】
演出制御部２４は、主制御部２０から送られてくる演出制御コマンド（ここでは、変動パターン指定コマンドと装飾図柄指定コマンド）に含まれる情報に基づいて、装飾図柄変動表示ゲーム中に時系列的に展開させる演出内容（演出シナリオ）や、最終的に停止表示する装飾図柄（装飾停止図柄）を決定し、特別図柄の変動パターンに基づくタイムスケジュールに従い装飾図柄を変動表示して装飾図柄変動表示ゲームを実行させる。これにより、特別図柄表示装置３８ａ、３８ｂによる特別図柄の変動表示と時間的に同調して、液晶表示装置３６による装飾図柄が変動表示され、特別図柄変動表示ゲームの期間と装飾図柄変動表示ゲーム中の期間とが、実質的に同じ時間幅となる。また演出制御部２４は、演出シナリオに対応するように、液晶表示装置３６または光表示装置４５ａあるいは音響発生装置４６ａをそれぞれ制御し、装飾図柄変動表示ゲームにおける各種演出を展開させる。これにより、液晶表示装置３６での画像の再生（画像演出）と、効果音の再生（音演出）と、装飾ランプ４５やＬＥＤなどの点灯点滅駆動（光演出）とが実現される。
【００７４】
このように特別図柄変動表示ゲームと装飾図柄変動表示ゲームとは不可分的な関係を有し、特別図柄変動表示ゲームの表示結果を反映したものが装飾図柄変動表示ゲームにおいて表現されることとしているので、この２つの図柄変動表示ゲームを等価的な図柄遊技と捉えても良い。本明細書中では特に必要のない限り、上記２つの図柄変動表示ゲームを単に「図柄変動表示ゲーム」と称する場合がある。
【００７５】
（３−１−２．普通図柄変動表示ゲーム）
またパチンコ遊技機１においては、普通図柄始動口３７に遊技球が通過（入賞）したことに基づき、主制御部２０において乱数抽選による「補助当り抽選」が行なわれる。この抽選結果に基づき、ＬＥＤにより表現される普通図柄を普通図柄表示装置３９ａに変動表示させて普通図柄変動表示ゲームを開始し、一定時間経過後に、その結果をＬＥＤの点灯と非点灯の組合せにて停止表示するようになっている。たとえば、普通図柄変動表示ゲームの結果が「補助当り」であった場合、普通図柄表示装置３９ａの表示部を特定の点灯状態（たとえば、２個のＬＥＤ３９が全て点灯状態、または「○」と「×」を表現するＬＥＤのうち「○」側のＬＥＤが点灯状態）にて停止表示させる。
【００７６】
この「補助当り」となった場合には、普通電動役物ソレノイド４１ｃ（図３参照）が作動し、これにより可動翼片４７が逆「ハ」の字状に開いて下始動口３５が開放または拡大されて遊技球が流入し易い状態（始動口開状態）となり、通常遊技状態よりも遊技者に有利な補助遊技状態（以下、「普電開放遊技」と称する）が発生する。この普電開放遊技では、普通変動入賞装置４１の可動翼片４７により、下始動口３５の開放時間が所定時間（たとえば、０．２秒）経過するまでか、または下始動口３５に入賞した遊技球数が所定個数（たとえば、４個）に達するまで、その入賞領域が開放または拡大され、これらいずれかの条件を満たした場合に下始動口３５を閉鎖する、といった動作が所定回数（たとえば、最大２回）繰り返されるようになっている。なお、下始動口３５が閉鎖される条件はこれに限らず、下入賞口の開放時間のみに基づくものであっても良いし、下入賞口に入賞した遊技球数のみに基づくものであっても良い。
【００７７】
ここで本実施形態では、特別／装飾図柄変動表示ゲーム中、普通図柄変動表示ゲーム中、大当り遊技中、または普電開放遊技中などに、上始動口３４または下始動口３５もしくは普通図柄始動口３７に入賞が発生した場合、すなわち上始動口センサ３４ａまたは下始動口センサ３５ａもしくは普通図柄始動口センサ３７ａからの検出信号の入力があり、対応する始動条件（図柄遊技開始条件）が成立した場合、これを変動表示ゲームの始動権利に係るデータとして、変動表示中にかかわるものを除き、所定の上限値である最大保留記憶数（たとえば、最大４個）まで保留記憶されるようになっている。この図柄変動表示動作に供されていない保留中の保留データまたはその保留データに係る遊技球を、「作動保留球」とも称する。この作動保留球の数を遊技者に明らかにするため、パチンコ遊技機１の適所に設けた専用の保留表示器（図示せず）、または液晶表示装置３６による画面中にアイコン画像として設けた保留表示器を点灯表示させる。
【００７８】
また本実施形態では、特別図柄１、特別図柄２、および普通図柄に関する作動保留球をそれぞれ最大４個までＲＡＭ２０３の該当記憶領域に保留記憶し、特別図柄または普通図柄の変動確定回数として保留する。なお、特別図柄１、特別図柄２、および普通図柄に関する作動保留球数の最大記憶数（最大保留記憶数）は特に制限されず、各図柄の最大保留記憶数が異なっていても良い（たとえば、特別図柄１側の最大保留記憶数を４個、特別図柄２側の最大保留記憶数を２個、普通図柄側の最大保留記憶数を６個など）。また特別図柄１および特別図柄２に関し、大当り抽選により得られる利益が相対的に高くなる図柄側の最大保留記憶数を多く設定しても良い。本実施形態では、特別図柄２に係る大当り抽選が、遊技者とり利益が高い大当り種が得られることから、たとえば特別図柄１側の最大保留記憶数を１個、特別図柄２側の最大保留記憶数をそれよりも多い４個に設定しても良い。
【００７９】
（３−２．遊技状態）
次に、遊技状態について説明する。本実施形態に係るパチンコ遊技機１では、特別遊技状態である上記大当りの他、複数種類の遊技状態を発生可能に構成されている。本発明の理解を容易なものとするために、先ず、種々の遊技状態の発生に関連する機能（手段）について説明する。
【００８０】
本実施形態のパチンコ遊技機１は、主制御部２０（ＣＰＵ２０１）がその機能部を担う「確率変動（以下、「確変」と略す）機能」を備えている。これには特別図柄に係る確変機能（以下、「特別図柄確変機能」と称する）と普通図柄に係る確変機能（以下、「普通図柄確変機能」と称する）の２種類がある。
【００８１】
特別図柄確変機能は、大当りの抽選確率を所定確率（通常確率）の低確率（たとえば、３９９分の１）から高確率（たとえば、３９．９分の１）に変動させて、通常遊技状態よりも有利な「高確率状態」を発生させる機能である。この特別図柄確変機能が作動中の遊技状態（高確率状態）下では、大当り抽選確率が高確率となることから、大当りが生起され易くなる。したがって、遊技者が期待する遊技状態は、この特別図柄確変機能が作動中の遊技状態であるといえる。なお、特別図柄確変機能の作動開始条件およびその作動終了条件の詳細については、追って説明する。
【００８２】
普通図柄確変機能は、補助当り抽選確率が所定確率（通常確率）である低確率（たとえば、２５６分の１）から高確率（たとえば、２５６分の２５５）に変動させて、通常遊技状態よりも有利な「補助当り確変状態」を発生させる機能である。この普通図柄確変機能が作動中の遊技状態（補助当り確変状態）下では、補助当り抽選確率が高確率状態となることから補助当りが生起され易くなり、普電開放遊技が頻繁に発生して、通常遊技状態よりも単位時間当りの可動翼片４７の作動率が向上する作動率向上状態となる。なお、本実施形態のパチンコ遊技機１では、普通図柄確変機能の作動開始条件は、後述の特別図柄時短機能の作動開始条件と同じ条件となっており、その作動終了条件も当該特別図柄時短機能の作動終了条件と同じ条件となっている。
【００８３】
また、本実施形態のパチンコ遊技機１は、主制御部２０がその機能部を担う「変動時間短縮（以下、「時短」と称する）機能」を備えている。これには特別図柄に係る時短機能（以下、「特別図柄時短機能」と称する）と普通図柄に係る時短機能（以下、「普通図柄時短機能」と称する）の２種類がある。
【００８４】
特別図柄時短機能は、１回の特別図柄変動表示ゲームに要する平均的な時間（特別図柄が変動を開始してから確定表示される迄の平均時間（特別図柄の平均変動時間））を短縮する「特別図柄時短状態」を発生させる機能である。特別図柄時短機能が作動中の遊技状態（特別図柄時短状態）下では、１回の特別図柄変動表示ゲームにおける特別図柄の平均的な変動時間が短縮され（たとえば、リーチなしハズレ変動に要する平均時間が８秒から２秒に短縮される）、通常遊技状態よりも単位時間当りの大当り抽選回数が向上する抽選回数向上状態となる。なお本実施形態のパチンコ遊技機１では、特別図柄の変動時間が作動保留球数の違いにより短縮される場合があるが、この場合は、特別図柄時短状態が発生しているわけではなく、他の制御処理によるものである。
【００８５】
普通図柄時短機能は、１回の普通図柄変動表示ゲームに要する平均的な時間（普通図柄が変動を開始してから確定表示されるまでの平均的な時間（普通図柄の平均変動時間））を短縮する「普通図柄時短状態」を発生させる機能である。普通図柄時短機能が作動中の遊技状態（普通図柄時短状態）下では、１回の普通図柄変動表示ゲームにおける普通図柄の平均的な変動時間が短縮され（たとえば、１０秒から１秒に短縮される）、通常遊技状態よりも単位時間当りの補助当り抽選回数が向上する抽選回数向上状態となる。なお本実施形態のパチンコ遊技機１では、普通図柄の変動時間が作動保留球数の違いにより短縮される場合があるが、この場合は、普通図柄時短状態が発生しているわけではなく、他の制御処理によるものである。また本実施形態のパチンコ遊技機１では、普通図柄時短機能の作動開始条件は、上述の特別図柄時短機能の作動開始条件と同じ条件となっており、その作動終了条件も当該特別図柄時短機能の作動終了条件と同じ条件となっている。
【００８６】
さらにまた、本実施形態のパチンコ遊技機１は、主制御部２０がその機能部を担う「開放延長機能」を備えている。
【００８７】
開放延長機能は、普通変動入賞装置４１の可動翼片４７の開動作期間（可動翼片４７の開放時間およびその開放回数の少なくともいずれか一方）を延長した「開放延長状態」を発生させる機能である。この開放延長状態は、いわゆる「電チューサポート状態」と称される。上記開放延長機能が作動中の遊技状態（開放延長状態）下では、可動翼片４７の開動作期間（始動口開状態時間）が、たとえば０．２秒から１．７秒に延長され、またその開閉回数が、たとえば１回（開放延長機能が非作動中のとき）から２回（開放延長機能が作動中のとき）に延長されて、通常遊技状態よりも単位時間当りの可動翼片４７の作動率が向上する作動率向上状態となる。なお、本実施形態のパチンコ遊技機１では、開放延長機能の作動開始条件は、上述の特別図柄時短機能の作動開始条件と同じ条件となっており、その作動終了条件も当該特別図柄時短機能の作動終了条件と同じ条件となっている。したがって、開放延長状態中は、普通図柄確変機能および普通図柄時短機能も作用するため、可動翼片４７の作動率が著しく向上した遊技状態が発生する。
【００８８】
以上のような各機能を１または複数種類作動させることにより、遊技機の内部的な遊技状態（内部遊技状態）に変化をもたらすことができる。ここで本実施形態では、普通図柄確変機能、普通図柄時短機能、および開放延長機能の作動開始条件は、特別図柄時短機能の作動開始条件と同じ条件としているので、各機能が同じ契機にて動作することになる。以下では、説明の便宜上、特別図柄確変機能、特別図柄時短機能、普通図柄確変機能、普通図柄時短機能、および開放延長機能が作動する遊技状態を「確変状態」と称し、これらの機能のうちから特別図柄確変機能を除去した遊技状態を「時短状態」と称し、特別図柄確変機能のみが作動する遊技状態を「潜伏確変状態（潜確または潜確状態）」と称し、全機能が作動中でない（非作動）状態を「通常遊技状態（通常状態）」と称する。したがって、これらの遊技状態における大当り抽選確率に着目すれば、遊技状態が「時短状態」または「通常遊技状態」である場合には少なくとも大当り抽選確率が‘低確率状態’となり、遊技状態が「潜確状態」または「確変状態」の場合においては少なくとも大当り抽選確率が‘高確率状態’となる。また大当り中は、全機能が非作動となり、基本的には、上記通常遊技状態と同じ遊技状態下に置かれる。
【００８９】
（３−２−１．高ベース遊技状態）
本実施形態では、上記の普通図柄に関する機能、すなわち普通図柄確変機能、普通図柄時短機能、および開放延長機能は、特別図柄時短機能の作動開始条件と同じ条件となっているので、これら３つの機能が同じ契機にて動作することになる。しかし、上記の普通図柄確変機能、普通図柄時短機能、および開放延長機能を個々に着目した場合、これらの機能のうち少なくともいずれか１つが作動すると、上記の可動翼片４７の作動率が向上する作動率向上状態となり下始動口３５への入賞頻度が上昇することから、遊技状態としては、大当りの抽選結果を導出する特別図柄変動表示ゲームの始動条件の成立頻度が通常遊技状態より高まる「高ベース遊技状態（始動条件向上状態）」となる。なお、ここでいう「高ベース遊技状態」とは、普通図柄に関する機能が作動する場合の遊技状態をいい、特別図柄に関する機能、すなわち特別図柄確変機能および特別図柄時短機能の少なくともいずれか一方が作動する場合の遊技状態とは異なる。
【００９０】
他方、特別図柄に関する機能（特別図柄確変機能と特別図柄時短機能）を個々に着目した場合、上記特別図柄確変機能が作動する場合には大当り抽選確率が通常遊技状態より高まる「高確率状態」となり、上記特別図柄時短機能が作動する場合には、特別図柄変動表示ゲームの消化時間が通常遊技状態よりも早い「特別図柄時短状態」となる。この点において、特別図柄変動表示ゲームの始動条件の成立頻度が通常遊技状態より高くなる上記「高ベース遊技状態」とは区別される。
【００９１】
また本実施形態では上記「高ベース遊技状態」の一例として、開放延長機能が付与された電チューサポート状態を「高ベース遊技状態」として扱う。電チューサポート状態下では、普通変動入賞装置４１の可動翼片４７の作動率（開放時間や開放回数）が向上して下始動口３５への入賞率が高まり、単位時間当りの入賞頻度が上昇することから、電チューサポート状態でない場合（低ベース遊技状態）と比較して、遊技者にとって有利な遊技状態になる。この電チューサポート状態の有無に着目した場合、遊技状態が「通常遊技状態」または「潜確状態」の場合には‘電チューサポート状態無し（以下、「電サポ無し状態」と称する）’となり、遊技状態が「時短状態」または「確変状態」である場合には‘電チューサポート状態有り（以下、「電サポ有り状態」と称する）’となる。
【００９２】
なお本実施形態では、遊技状態に関連した演出の多様化を図るために、一の内部遊技状態をさらに分類して管理している。たとえば上記「通常遊技状態（低確・電サポ無し）」には、「通常遊技状態（通常状態）」および「ＣＨＡＮＣＥ  ＺＯＮＥ状態（以下「ＣＺ」と略す）」といった複数種類の通常遊技状態が含まれ、それぞれ異なる遊技状態として管理している。すなわち、同じ通常遊技状態であっても特別図柄の変動パターンを選択する際の条件（変動パターン選択モード（遊技モード）：後述の変動パターン振分指定番号（Ｔｃｏｄｅ）。図３７参照）が異なるようになっている。
【００９３】
これにより、大当り抽選確率や電サポの有無などの決定に関する各機能（特別図柄確変機能、特別図柄時短機能、普通図柄確変機能、普通図柄時短機能、および開放延長機能）の作動状況、すなわち「内部遊技状態」に着目した場合に、同じ「通常遊技状態」でありながらも、特別図柄の変動パターンに関しては「通常状態」と「ＣＺ」という複数種類の遊技状態（変動パターン選択モード）ごとに対応した変動パターンを選択できるので、演出制御部２４側において、各遊技状態ごとに関連した演出モード（詳細は後述する）下における演出を発生させることができるようになっている。また本実施形態では、内部遊技状態は同じ「潜確状態」でありながらも、演出の発生に関連した遊技状態については、「潜確状態」または「ＣＺ」として管理し、上述した通常遊技状態下の「ＣＺ」と同じ遊技状態に対応した演出を発生させるこができるようなっている。これにより、「ＣＺ」期間中、演出上、大当り抽選確率を秘匿できるようになっている（各遊技状態の移行条件や、演出内容を指定する特別図柄の変動パターンに関する詳細については後述する）。
【００９４】
本実施形態において、上記大当り抽選確率や電サポの有無などの決定に関する各機能に着目した場合の「内部遊技状態」の種類には、通常遊技状態、潜確状態、時短状態、および確変状態の内部遊技状態が含まれる。他方、特別図柄の変動パターンの決定、換言すれば、演出の決定に着目した場合の「遊技状態（変動パターン選択モード）」の種類には、内部遊技状態の種類よりも多い、通常状態、ＣＺ（ＣＨＡＮＣＥ  ＺＯＮＥ状態）、潜確状態、時短状態、および確変状態の複数種類の遊技状態が含まれる。このように本実施形態では、大当り抽選確率や電サポの有無に着目した遊技状態（内部遊技状態）と、演出の決定に着目した遊技状態とを異なるものとして管理することで、内部遊技状態が同じであっても、複数種類の演出モードを実現させることができるようになっている。これにより、同一の内部遊技状態下における演出のバリエーションを豊富なものとすることができる。なお説明の便宜上、本明細書中では特に必要のない限り、上記内部遊技状態と演出の決定に着目した場合の遊技状態（変動パターン選択モード（変動パターン振分指定番号（Ｔｃｏｄｅ）））とを区別せずに、単に「遊技状態」と称する場合がある。
【００９５】
＜４．当りについて＞
次に、本実施形態に係るパチンコ遊技機の「当り」について説明する。
【００９６】
（４−１．当り種別）
本実施形態に係るパチンコ遊技機１は、複数種類の当りを対象に大当り抽選を行うようになっている。この当り種別には、「１６Ｒ長開放確変大当り」、「１２Ｒ長開放確変大当り」、「１２Ｒ長開放非確変大当り」、「２Ｒ短開放潜確大当り」、および「小当り（小当りＡ、小当りＢ、および小当りＣ）」などの複数種類の当りが含まれる。
【００９７】
これら当りのうち、「１６Ｒ長開放確変大当り」、「１２Ｒ長開放確変大当り」、「１２Ｒ長開放非確変大当り」、「２Ｒ短開放潜確大当り」は条件装置の作動契機となる「大当り」種別に属する当りであり、「小当り」は条件装置の作動契機とならない「非大当り」種別に属する当りである。ここで「条件装置」とは、その作動がラウンド遊技を行うための役物連続作動装置の作動に必要な条件とされている装置（手段）で、特定の特別図柄の組合せが表示され、または遊技球が大入賞口内の特定の領域を通過した場合に作動するものをいう。上記「大当り」種別に属する当りや、「非大当り」種別に属する当り（小当り）は、いずれも大入賞口の開閉動作を伴う特別遊技状態への移行契機となる当りである。したがって、「非大当り」種別に属する当りは、単なる「ハズレ」とは異なる。
【００９８】
上記‘大当り’種別に属する当りのうち、「１６Ｒ長開放確変大当り」、「１２Ｒ長開放確変大当り」、「２Ｒ短開放潜確大当り」は、その大当り遊技終了後の遊技状態を、少なくとも高確率状態を伴う遊技状態（本実施形態では、確変状態または潜確状態）に移行させる「確変大当り」に属する大当りとなっている。他方、「１２Ｒ長開放非確変大当り」は、その大当り遊技終了後の遊技状態を高確率状態を伴う遊技状態に移行させずに、低確率状態を伴う遊技状態に移行させる「非確変大当り」に属する大当りとなっている。なお「小当り」は‘非大当り’種別に属する当りではあるが、特に必要がない限り上記の大当りと区別することなく、大当り種別の一つとして同列に扱うことにする。
【００９９】
（４−２．当り遊技）
次に、上記した各当りによる当り遊技について説明する。
【０１００】
（４−２−１．１６Ｒ長開放確変大当りによる当り遊技）
１６Ｒ長開放確変大当りによる当り遊技（以下、「１６Ｒ確変大当り遊技」と称する）は、規定ラウンド数を１６ラウンドとする大当りであり、本実施形態では、１回のラウンド遊技における大入賞口５０の最大開放時間が「長開放時間」の‘２９．８秒’に設定される。ここで「長開放時間」とは、その時間内に大入賞口への入賞数が上記最大入賞数（たとえば、９個）に達する可能性がある（最大入賞数に達する可能性が十分ある）時間幅として定めたものである。
【０１０１】
ラウンド遊技が開始されて大入賞口５０が開放された後、上記の最大開放時間が経過した場合は大入賞口５０が閉鎖されて今回のラウンド遊技が終了し、規定ラウンド数の１６ラウンドに達していなければ、所定時間（ラウンド間インターバル時間）が経過した後、次のラウンド遊技に移行される。ただし、最大開放時間経過前であっても大入賞口５０に入賞した遊技球数（入賞球数）が最大入賞数（たとえば、９個）に達した場合は、大入賞口５０が閉鎖されて今回のラウンド遊技が終了し、所定時間（ラウンド間インターバル時間）が経過した後、次のラウンド遊技に移行される。つまり、大入賞口の最大開放時間が経過した場合か、または大入賞口に入賞した遊技球数が最大入賞数に達した場合かのいずれか一方の条件を満たすと、開放された大入賞口が閉鎖され、所定のインターバル時間を挟んで、次のラウンド遊技に移行されるようになっている（後述の１２Ｒ長開放確変大当り、１２Ｒ長開放非確変大当りおよび２Ｒ短開放潜確大当りによる当り遊技についても同様）。
【０１０２】
なお、ラウンド遊技間における上記「ラウンド間インターバル時間」は、「残存球排出時間」と、この残存球排出時間が経過してから次のラウンド遊技が開始されるまでの「開放前インターバル時間」とからなる。上記「残存球排出時間」とは、大入賞口の閉鎖後における大入賞口内部の残存球を排出するための余裕時間（たとえば、１９８０ｍｓ）を指し、その時間幅として、大入賞口が閉鎖される直前に入賞した遊技球が大入賞口内部に形成された入賞検出スイッチ（大入賞口センサ５２ａ）を通過するまでに要する十分な時間が確保されている。また「開放前インターバル時間」とは、上述の残存球排出時間が経過して大入賞口内の残存球が排出されたものとみなされた後、次のラウンド遊技における大入賞口が開放されるまでの時間幅（たとえば、２０ｍｓ）を指す。この開放前インターバル時間中に大入賞口センサ５２ａが遊技球を検出しても、その遊技球は不正行為による不正入賞とみなし、無効なものとして扱われるようになっている。
【０１０３】
（４−２−２．１２Ｒ長開放確変大当り、１２Ｒ長開放非確変大当りによる当り遊技）
１２Ｒ長開放確変大当りによる当り遊技（以下、「１２Ｒ確変大当り遊技」と称する）と、１２Ｒ長開放非確変大当りによる当り遊技（以下、「１２Ｒ確変大当り遊技」と称する）は、規定ラウンド数を１２ラウンドとする以外は、上述した１６Ｒ確変大当り遊技の内容と同じある。したがって、この１２Ｒ確変・１２Ｒ非確変大当り遊技は、上記１６Ｒ確変大当り遊技よりも相対的に低い利益が付与される大当り遊技となる（本実施形態では、４ラウンド分の賞球数差がある）。
【０１０４】
（４−２−３．２Ｒ短開放潜確大当りによる当り遊技）
２Ｒ短開放潜確大当りによる当り遊技（以下、「２Ｒ潜確大当り遊技」と称する）では、規定ラウンド数を２ラウンドとする大当りであり、本実施形態では、１回のラウンド遊技における大入賞口５０の最大開放時間は「短開放時間」の０．１秒に設定される。ここで「短開放時間」とは、大入賞口への入賞自体を困難とする時間幅として定めたものである。本実施形態では、遊技球落下方向変換部材（センター飾り４８や遊技くぎ）、または発射装置の性能（たとえば単位時間あたりの遊技球の連射速度性能）、あるいは大入賞口の形成位置などにより、上記「短開放時間」内に大入賞口閉鎖条件の一つである「最大入賞数」に達することが不可能なようになっている。２Ｒ潜確大当り遊技では、大入賞口５０が短開放時間しか開放されずに、そのラウンド遊技数も２ラウンド分と少ないことから、実質的には賞球が殆ど得られない大当り遊技となっている（正確には、大入賞口５０の入賞も発生する可能性はあるが、各ラウンド遊技の大入賞口の最大開放時間が短開放時間に設定される関係上、その可能性は極めて低くなり、実質的に、賞球が殆ど得られない）。
【０１０５】
以上のように本実施形態では、大当りの種類に応じて、大当り遊技中の賞球数、換言すれば、遊技者が獲得し得る遊技球数（獲得賞球数）が異なるように構成されている。なお、２Ｒ潜確大当り遊技では最大開放時間を上記短開放時間に設定すると説明したが本発明はこれに限られない。たとえば、大入賞口５０への入賞がある程度許容されるように、１６Ｒ確変大当り遊技や１２Ｒ確変大当り遊技や１２Ｒ非確変大当り遊技と同じ長開放時間を設定しても良いし、上記最大入賞数に達することは困難または不可能であるが、大入賞口５０への入賞球数をある程度確保できるような開放時間（長開放時間よりも短く、短開放時間よりも長い中間的な開放時間：たとえば、５秒）に設定しても良い。また、当りによる賞球数（特賞数：Ｔ１Ｙ）を異ならせるために、大当りの種類に応じて、上記最大入賞数をそれぞれ異なる個数に設定しても良い。
【０１０６】
（４−２−４．小当り（小当りＡ〜小当りＣ）による当り遊技）
小当りＡ〜小当りＣによる当り遊技（以下、「小当り遊技」と称する）では、それぞれ大入賞口５０の開放が２回行われ、１回あたりの大入賞口５０の最大開放時間が２Ｒ潜確大当り遊技の最大開放時間に相当する０．１秒に設定され、１回目の大入賞口５０の閉鎖後、２回目の大入賞口５０開放までのインターバル時間が２Ｒ潜確大当り遊技のラウンド間インターバル時間と同じ時間幅が設定される。また小当り遊技における大入賞口５０の閉鎖条件に関しては、最大開放時間が経過した場合か、または大入賞口５０に入賞した遊技球数が最大入賞数（たとえば、９個）に達した場合かのいずれか一方の条件が満たされた場合となっている。この点も２Ｒ潜確大当り遊技と同じである。つまり、この小当り遊技中において外見から捉えた大入賞口５０の開閉動作が、上記２Ｒ潜確大当り遊技のものと実質的に同一の動作態様で制御されるようになっている。
【０１０７】
この「小当り」は「条件装置」の作動契機とはならない当り種別であることから、「大当り」のようなラウンド遊技は実行されない。しかし２Ｒ潜確大当り遊技と実質的に同一の動作態様で大入賞口５０を開閉制御することにより、疑似的なラウンド遊技を実現させて、見た目上、あたかも２Ｒ短開放潜確大当りに当選したかの如く装うことを可能にしている。また小当り遊技中の当り中演出（当り遊技中に現出される演出）は、２Ｒ潜確大当り遊技中の当り中演出と実質的同一（同一または酷似）の演出が現出されるようになっている。つまり、当り中演出を含む小当り遊技に係る動作は、２Ｒ短開放潜確大当りに係る遊技動作と実質的に同一挙動を示し、遊技者側から見て、どちらの当り遊技が実行されているかの識別が困難または不可能とされる。これにより、小当りに当選した場合であっても、２Ｒ短開放潜確大当りへの当選期待感を遊技者に与えることができるようになっている。
【０１０８】
（４−３．当り遊技終了後の遊技状態）
次に図４を参照して、上記の各当り遊技後に移行される遊技状態について説明する。図４は、各当り遊技後に移行する遊技状態の説明に供する説明図である。
【０１０９】
（４−３−１．１６Ｒ確変大当り遊技終了後の遊技状態）
１６Ｒ確変大当り遊技後は、図示のように、その当り当選時の遊技状態にかかわらず「確変状態」に移行される。この「確変状態」となった場合には、特別図柄変動表示ゲームの実行回数（特別図柄の変動表示動作回数（以下、「特別図柄の変動回数」と略す）が所定回数（本実施形態では、特別図柄変動表示ゲーム１および２の合計実行回数（特別図柄１および２の合計変動回数））：たとえば１００００回）終了するまでの間か、またはその所定回数内で大当りが確定するまで（「大当りが確定」するまでとは、特別図柄が大当りを示す表示態様で停止表示され、大当り遊技の発生が確定した場合や、大当りに当選した場合であっても良い。以下同様）当該確変状態が継続され、その所定回数内で大当りが確定することなく特別図柄変動表示ゲームが終了したときには当該確変状態が終了して、次ゲームから「通常状態」に移行されるようになっている。本実施形態のパチンコ機１は、大当り抽選確率が少なくとも高確率となる遊技状態に移行された後、大当りに当選することなく特別図柄変動表示ゲームが所定回数終了した場合、当該高確率状態を終了させて大当り抽選確率を低確率に移行させる回数切りの確変機（回数切り確変機（ＳＴ機））となっている。以下、必要に応じて、この高確率状態が継続される特別図柄変動表示ゲーム（特別図柄の変動回数）の上限回数を「規定ＳＴ回数」と称する。なお本発明は「ＳＴ機」に限らず、次回大当りが確定するまで確変状態を継続させる構成としても良い。
【０１１０】
（４−３−２．１２Ｒ確変大当り遊技終了後の遊技状態）
１２Ｒ確変大当り遊技後は、その当り当選時の遊技状態にかかわらず「確変状態」に移行され、この確変状態となってからの遊技状態遷移は、上述した１６Ｒ長開放確変大当りの場合と同じである。
【０１１１】
（４−３−３．１２Ｒ非確変大当り遊技終了後の遊技状態）
１２Ｒ非確変大当り遊技後は、図示のように、その当り当選時の遊技状態にかかわらず「時短状態」に移行される。この「時短状態」となった場合には、特別図柄変動表示ゲームの実行回数が所定回数（たとえば５０回）終了するまでの間か、またはその所定回数内で大当りが確定するまで当該時短状態が継続し、その所定回数内で大当りが確定することなく特別図柄変動表示ゲームが終了したときには当該時短状態が終了して、次ゲームから「通常状態」に移行されるようになっている。
【０１１２】
（４−３−４．２Ｒ潜確大当り遊技終了後の遊技状態）
２Ｒ潜確大当り遊技後は、図示のように、その当り当選時の遊技状態に応じて、移行先の遊技状態が異なる。具体的には、当選時の遊技状態が「通常状態」であった場合には「ＣＺ」に、時短状態であった場合には「確変状態」に、「確変状態」であった場合には「確変状態」に移行されるようになっている。ただし、当選時の遊技状態が「ＣＺ」の場合、内部遊技状態に応じて次のような移行制御がなされる。上記大当り当選時の内部遊技状態が通常遊技状態の「ＣＺ」であった場合には、内部遊技状態が潜確状態の「ＣＺ」に移行され、内部遊技状態が潜確状態の「ＣＺ」であった場合には、「潜確状態」に移行される。なお、内部遊技状態が潜確状態下の「ＣＺ」は、内部遊技状態が通常遊技状態下の「ＣＺ」と同じ遊技状態として管理されるが、その実体は、内部遊技状態が‘潜確状態’の「ＣＺ」である。以下では説明の便宜上、内部遊技状態が通常遊技状態下の「ＣＺ」を「ＣＺ（通常）」と称し、内部遊技状態が潜確状態下の「ＣＺ」を「ＣＺ（潜確）」と称する場合がある。
【０１１３】
２Ｒ潜確大当り遊技終了後の「ＣＺ（ここでは、ＣＺ（潜確））」に移行された場合、特別図柄変動表示ゲームの実行回数が第１の所定回数（たとえば４回）終了するまでの間か、またはその所定回数内で大当りが確定するまで当該「ＣＺ（潜確）」が継続し、その所定回数内で大当りが確定することなく特別図柄変動表示ゲームが終了したときには当該「ＣＺ（潜確）」が終了して、次ゲームから「潜確状態」に移行される。なお詳細は後述するが、本実施形態では、２Ｒ潜確大当り遊技終了後、潜確状態への移行期待感を与えるため、後述の小当り遊技後による遊技状態と関連して、２Ｒ短開放潜確大当りによる「ＣＺ」の継続回数を、小当りによるものよりも多い継続回数に設定してある。
【０１１４】
（４−４．小当り遊技終了後の遊技状態）
次に小当り遊技後の遊技状態について説明する。ここで小当り遊技後に関しては、その小当り当選時の内部遊技状態がそのまま継続されるようになっている。つまり、小当り当選に起因した内部遊技状態の移行制御は行われない。このため、小当り当選時の内部遊技状態とその小当り遊技後の内部遊技状態とは、いずれも同じ内部遊技状態となる。この点、内部遊技状態の移行制御が行われうる「大当り」とは性質を異にする。しかし本実施形態では、小当り当選に起因した‘内部遊技状態’の移行制御は行わない一方、特別図柄の変動パターンの決定（演出の決定）に関する‘遊技状態（変動パターン選択モード（後述の図３７の変動パターン振分指定番号（Ｔｃｏｄｅ）参照））’の移行制御は行うようになっている。これにより、たとえば、小当り遊技後の遊技状態と２Ｒ潜確大当り遊技後の遊技状態とを同じ遊技状態に移行させた場合には、双方で同じ演出をなす演出モードに滞在させ、小当り遊技後であっても、２Ｒ潜確大当り遊技後と同じ演出モード下の演出を発生させることが可能になる。これにより、演出上からは、２Ｒ短開放潜確大当りに当選して「潜確状態」に移行したかも知れない、という高確率状態への突入期待感を遊技者に与えることができるようになっている。以下、図４を参照しながら、小当りＡ〜小当りＣに当選した場合における各小当り遊技終了後の遊技状態について詳細に説明する。
【０１１５】
（４−４−１．小当りＡに当選した場合の小当り遊技終了後の遊技状態）
小当りＡによる小当り遊技後は、図示のように、その当り当選時の遊技状態に応じて、移行先の遊技状態が異なる。具体的には、当選時の遊技状態が「通常状態」か、または「ＣＺ（‘ＣＺ（通常）’または‘ＣＺ（潜確）’）」であった場合には「ＣＺ」に移行され、他の遊技状態（潜確状態、時短状態、または確変状態）の場合には遊技状態の移行はなく、その当選時の遊技状態が継続されるようになっている。
【０１１６】
上記小当りＡにより「ＣＺ」に移行される場合は、そのＣＺが継続される回数（以下、「ＣＺ継続回数」と称する）として、第２の所定回数（たとえば、１回）が設定される。上記小当りＡ当選により「ＣＺ」に移行された場合、特別図柄変動表示ゲームの実行回数が上記ＣＺ継続回数（たとえば、１回）終了するまでの間か、またはその回数内で大当りが確定するまで当該「ＣＺ」が継続し、その回数内で大当りが確定することなく特別図柄変動表示ゲームが終了したときには当該「ＣＺ」が終了する。なお、この「ＣＺ」が終了したときの遊技状態が「ＣＺ（潜確）」であった場合には、次ゲームから「潜確状態」に移行され、「ＣＺ（通常）」であった場合には、次ゲームから「通常状態」に移行されるようになっている（後述の小当りＢ、Ｃについても同様）。
【０１１７】
（４−４−２．小当りＢに当選した場合の小当り遊技終了後の遊技状態）
小当りＢによる小当り遊技後は、上述の小当りＡの場合と同様の移行制御が行われる（図４の小当りＢの欄参照）。ただし、小当りＢにより設定されるＣＺの継続回数は、小当りＡ（１回）よりも多い回数（第３の所定回数：たとえば２回）が設定される。
【０１１８】
（４−４−３．小当りＣに当選した場合の小当り遊技終了後の遊技状態）
小当りＣによる小当り遊技後は、上述の小当りＡ、Ｂの場合と同様の移行制御が行われる（図４の小当りＣの欄参照）。ただし、小当りＣによリ設定されるＣＺ継続回数は、小当りＢ（２回）よりも多い回数（第４の所定回数：たとえば３回）が設定される。
【０１１９】
上記「ＣＺ」は、２Ｒ潜確大当り遊技終了後にも移行し得る遊技状態である。このため、２Ｒ短開放潜確大当り当選、または小当りＡ〜Ｃの当選に起因して「ＣＺ」に移行された場合、それぞれ「ＣＺ」に対応した演出をなす演出モード（後述の「ＣＺ（ＣＨＡＮＣＥ  ＺＯＮＥ）演出モード」）に滞在することになり、演出上において、内部遊技状態が「潜確状態」であるか否か、つまり大当り当選確率状態が高確率状態であるか低確率状態であるか否かが秘匿される。本実施形態では、通常遊技状態と潜確状態とで内部的な機能である特別図柄確変機能の作動状態に違いはあるものの、外観上に現れる機械的な遊技動作状態が同じ状態となることに着目し（双方ともに‘電サポ無し状態’）、遊技者側に演出上からもどのような遊技状態であるかを察知されないようにすることで、高確率状態の期待感を遊技者に与えることができるようになっている。
【０１２０】
また本実施形態では、上記ＣＺ継続回数に関し、２Ｒ短開放潜確大当りに当選した場合にはＣＺ継続回数４回が設定され、これにより変動回数４回限定のＣＺ（ＣＺ４回）に移行されることになる。そして、このＣＺが終了した後は（ただし、ＣＺ中、大当りまたは小当りに当選することなくＣＺが４回が終了した場合）、遊技状態がＣＺから潜確状態に移行され、後述の演出モードに関しては、現在の大当り抽選確率状態（内部遊技状態）を秘匿状態とする秘匿演出モードから、潜確状態を確定的に報知する「潜確演出モード」に移行される（演出モードの詳細については後述する）。したがって、「ＣＺ」が４回継続した場合、「潜伏状態」が明白になる。これに関連して、大当り抽選確率状態の変動が行われない小当りＡ〜Ｃのいずれかに当選した場合、その当選した小当りに応じて、２Ｒ短開放潜確大当りによる４回よりも少ないＣＺ継続回数（１回〜３回）が設定されるようになっている。具体的には、小当りＡの当選した場合は変動回数１回限定のＣＺ（ＣＺ１回）に、小当りＢの当選した場合には変動回数２回限定のＣＺ（ＣＺ２回）に、小当りＣに当選した場合には変動回数３回限定のＣＺ（ＣＺ３回）に移行される。これにより、小当りＡ〜Ｃおよび２Ｒ短開放潜確大当りに応じて上記ＣＺ継続回数が異なり、ＣＺ中のゲームが消化される度に、「潜伏状態」が確定的となる４回に達するかもしれないという緊張感を遊技者に与えることができるようになっている。
【０１２１】
（４−５.ＣＺ中の当り当選について）
なお本実施形態では、「ＣＺ」中に２Ｒ短開放潜確大当りまたは小当りＡ〜Ｃのいずれかに当選した場合、新たなＣＺ継続回数として、その当選した当りに応じたＣＺ継続回数が再設定されるようになっている。これにより、２Ｒ短開放潜確大当りに当選した場合のＣＺ継続回数４回以上の状況下を作り出すことができる。たとえば、小当りＣに当選してＣＺ（ＣＺ：３回）に移行し、そのＣＺ中３回目に小当りＢに当選した場合、小当りＢ当選によりＣＺ継続回数２回が再設定され、ＣＺ期間が「ＣＺ期間３回＋再設定された２回」の最大５回まで延長される。つまりＣＺが４回継続されたとしても必ずしも潜確状態下であることが明白とはならず、意外性に富んだ遊技性を作り出すことができる。
【０１２２】
勿論、「ＣＺ」が４回継続した場合に潜確状態下であることが明白となるように構成しても良い。たとえば、通常状態中に小当りに当選に起因して「ＣＺ（通常）」に移行した後、当該「ＣＺ（通常）」中に滞在している限りは、小当りＡ〜Ｃのいずれかに再当選したとしても、当該「ＣＺ（通常）」の継続回数が最大３回を超えないよう構成することができる。また通常状態中に２Ｒ短開放潜確大当りに当選に起因して「ＣＺ（潜確）」に移行した後、当該「ＣＺ（潜確）」中に小当りＡ〜Ｃのいずれかに当選した場合、その小当りに対応したＣＺ継続回数を新たに設定しない構成とすることができる。これにより、「ＣＺ」が４回継続すれば潜確状態下であることが明白となる、といった遊技性を作り出すことができる。
【０１２３】
また本実施形態では、ＣＺ継続回数４回未満で、潜確状態が明らかになる状況下を作り出すこともできる。たとえば、ＣＺ中に２Ｒ短開放潜確大当りに当選し、「ＣＺ（潜確）」移行後の１回目に小当りＢに当選した場合、小当りＢ当選によるＣＺ継続回数‘２回’が再設定されると、ＣＺ期間が「小当りＢが当選したＣＺ期間１回＋小当りＢ当選により再設定された２回」となり、本来の‘４回’よりも少ない‘３回’に短縮される。そして、このＣＺ期間が終了した後は、遊技状態がＣＺから潜確状態に移行され、後述の演出モードに関しては、潜確状態を確定的に報知する「潜確演出モード」に移行される。これにより、ＣＺが４回継続しなくとも潜確状態が明白となりうるため、意外性に富んだ遊技性を作り出すことができる。なお既に説明したように、２Ｒ短開放潜確大当りに当選した場合において、その当選時の遊技状態が「ＣＺ（潜確）」である場合には、その当り遊技後は潜確状態に移行されるので、演出モードに関しては、秘匿演出モードが終了され、潜確演出モードに格上げ移行されることになる。この場合もＣＺ継続回数４回未満で潜確状態が明らかになりうる。
【０１２４】
＜５．演出について＞
（５−１．演出モード）
次に、各遊技状態下に対応する演出モード（演出状態）について説明する。本実施形態のパチンコ遊技機１には、現在の遊技状態に関連した演出をなす演出モードを設け、その演出モード間を行き来可能に構成している。具体的には、「通常状態」滞在中はこれに関連する演出をなす「通常演出モード」、「潜確状態」滞在中はこれに関連する演出をなす「潜確演出モード」、「ＣＺ」滞在中はこれに関連する演出をなす「ＣＺ演出モード」、「確変状態」滞在中はこれに関連する演出をなす「確変演出モード」などを含む各遊技状態に応じた複数種類の演出モードが設けられている。なお上記「ＣＺ」に対応する「ＣＺ演出モード」は、演出上、現在の大当り抽選確率状態（内部遊技状態）を秘匿状態とし、遊技者に高確率状態の期待感を煽る演出をなす「秘匿演出モード」としての役割を果たす。本実施形態では、上記大当り抽選確率状態を秘匿状態とする「ＣＺ演出モード」以外の演出モード下では、遊技状態が確定的に報知されるようになっている。
【０１２５】
演出制御部２４（ＣＰＵ２４１）は、複数種類の演出モード間を移行制御する機能部（演出状態移行制御手段）を有する。演出制御部２４（ＣＰＵ２４１）は、主制御部２０（ＣＰＵ２０１）から送られてくる特定の演出制御コマンド（たとえば、現在の遊技状態（内部遊技状態を含む）を指定したり、遊技状態が移行される旨を知らせたりする、といった主制御部側で管理される遊技状態を特定可能とする演出制御コマンド）に基づいて、主制御部２０側で管理される遊技状態と整合性を保つ形で、複数種類の演出モード間を移行制御可能に構成されている。また演出制御部２４は、遊技状態を指定するコマンド（たとえば、変動パターン指定コマンド、装飾図柄指定コマンド、遊技状態指定コマンド、当り中に送信されるコマンド（「大当り開始コマンド」や「大当り終了コマンド」など））により、主制御部２０側で管理される内部遊技状態および変動パターン振分指定番号を把握し、これを管理可能に構成されている。
【０１２６】
また各演出モードでは、遊技者がどのような遊技状態に対応した演出モード下に滞在しているのかを把握できるように、装飾図柄の変動表示画面のバックグラウンドとしての背景表示が、たとえば「通常演出モード」下では季節‘春’を連想させる背景演出（たとえば、桜の木の背景画像を表示する背景演出：第１の背景演出）、「潜確演出モード」下では季節‘夏’を連想させる背景演出（たとえば、海の背景画像を表示する背景演出：第２の背景演出）、「ＣＺ演出モード」下では季節‘秋’を連想させる背景演出（たとえば、紅葉の木の背景画像を表示する背景演出：第３の背景演出）、「確変演出モード」下では季節‘冬’を連想させる背景演出（たとえば、雪山の背景画像を表示する背景演出：第４の背景演出）にそれぞれ切り替え制御される。
【０１２７】
なお本実施形態の「ＣＺ演出モード」は、内部遊技状態が潜確状態（高確率状態）であるか通常遊技状態（低確率状態）であるかにかかわらず、同じ演出モードであると説明したが、本発明はこれに限られない。たとえば、主制御部２０から演出制御部２４に対して、内部遊技状態に関する情報を含ませた演出制御コマンド（たとえば、「変動パターン指定コマンド」、「装飾図柄指定コマンド」、「遊技状態指定コマンド」、当り中に送信されるコマンド（「大当り開始コマンド」や「大当り終了コマンド」など）に含ませても良い）を送信することで、内部遊技状態に応じて、潜確状態（高確率状態）下における「本物のＣＺ演出モード（第１の秘匿演出モード）」と、通常遊技状態（低確率状態）下における「ガセのＣＺ演出モード（第２の秘匿演出モード）」とに移行制御可能に構成しても良い。
【０１２８】
具体的には、内部遊技状態が「通常遊技状態」中に‘小当りに当選し、当該通常遊技状態が維持される場合には、その小当り遊技終了後に「ＣＺ演出モード」のうち上記「ガセのＣＺ演出モード（低確）」に移行させ、他方、内部遊技状態が「通常遊技状態」中に‘２Ｒ短開放潜確大当り’に当選し、潜確状態に移行される場合には、その２Ｒ潜確大当り遊技終了後に「ＣＺ演出モード」のうち上記「本物のＣＺ演出モード（高確）」に移行制御可能な構成とすることができる。この場合、各演出モード下における演出に関しては、上記「本物のＣＺ演出モード」と上記「ガセのＣＺ演出モード」の双方の背景演出を同じにし（たとえば、双方ともに、季節‘秋’を連想させる背景演出）、現在の大当り抽選確率状態（内部遊技状態）を秘匿状態としつつ、上記「本物のＣＺ演出モード」と上記「ガセのＣＺ演出モード）」とで、特定の演出の発生確率を異ならせるようにし、高確率状態であるか否かの推測要素を遊技者に与えることができるようになる（たとえば、上記「ガセのＣＺ演出モード」よりも「本物のＣＺ演出モード」の方が特定の演出（潜確状態の可能性がある旨を示唆または暗示させる、といった「潜確期待演出」）の発生確率を高める、といった形態があげられる）。このような潜確期待演出により、現在の内部遊技状態が潜確状態であるか否かの潜確期待感を遊技者に与え、遊技の面白みをより一層向上させることができる。
【０１２９】
（５−２．予告演出）
次に、予告演出について説明する。演出制御部２４は、図柄変動表示ゲーム中において、主制御部２０からの演出制御コマンドの内容、具体的には、少なくとも変動パターン指定コマンドに含まれる変動パターン情報（たとえば当落抽選結果、リーチ演出の有無、および特別図柄の変動時間など）に基づき、大当り抽選結果に関連した様々な予告演出を、上述した演出モード下で現出制御する機能部（予告演出現出制御手段）を備える。斯様な演出態様には、「リーチ演出（リーチ変動パターンに係る演出態様）」に代表される予告演出の他、これらの演出に付随して、または単独的に発生するものが含まれる。これらの演出態様は、当り種別に当選したか否かの信頼度または期待度（以下、「当り当選期待度」と称する）を示唆（予告）し、遊技者の当り種別への当選期待感（当り当選期待感）を煽るための「煽り演出」として機能する。上記当り当選期待度は、演出の出現率（選択率）の高低や遊技状態に応じて変化する。たとえば、リーチ演出における当り当選期待度は、主として、リーチ演出の出現率（選択率）の高低に応じて変化する。具体的には、一のリーチ演出（たとえば、強ＳＰリーチ）が出現する場合の当り当選期待度は、大当り時およびハズレ時を含めた当該リーチ演出が実行される割合（当該リーチ演出の全出現率）のうち、大当りの場合に当該リーチ演出が実行される割合（当選時の当該リーチ演出の出現率）で示される。つまり、リーチ演出に対する当り当選期待度は、「当選時の当該リーチ演出の出現率／当該リーチ演出の全出現率」で示され、この期待度が異なるように、大当り抽選結果に関連して各リーチ演出の選択率が定められている。以下に、本実施形態に係る予告演出について説明する。
【０１３０】
（５−２−１．リーチ演出）
上記「リーチ演出」とは、リーチ状態を伴う演出態様をいい、具体的には、リーチ状態を経由して最終結果を表示するような演出態様をいう。この「リーチ状態」とは、装飾図柄変動表示ゲームの結果が導出される前段階において、当該装飾図柄変動表示ゲームの途中で導出表示される一部の装飾図柄が、大当り発生（大当り当選）を示す表示態様の一部を構成している状態で、未だ導出表示されていない装飾図柄の変動表示が行われている表示態様であり、換言すれば、大当り発生を示す表示態様が導出され易いことを遊技者に連想させうる変動表示態様をいう。たとえば、大当り発生（大当り当選）を示す装飾図柄の組合せが「７（左図柄）」「７（中図柄）」「７（右図柄）」である場合、所定の当り有効ライン上において、装飾図柄の一部が大当り発生（大当り当選）を示す表示態様の一部を表示しており（たとえば、左図柄と右図柄とが「７」を表示しているといった、いわゆる「聴牌状態（リーチ図柄）」を呈している。但し、最終的に導出される結果が必ずしも大当り発生を示す表示態様、たとえば「７（左図柄）」「７（中図柄）」「７（右図柄）」が導出されるとは限らない）、いまだ導出表示されていない装飾図柄（ここでは、聴牌状態（リーチ図柄）を形成していない中図柄）が、所定時間継続して停止、揺動、拡大縮小、または変形しながら、最終結果が表示される前段階で大当り発生の可能性が継続している状態やその様子をいう。したがって、たとえリーチ状態が形成されたからといって、装飾図柄変動表示ゲームの結果が必ずしも「大当り」になるとは限らず、最終的に導出された結果が大当りを示す停止表示態様（たとえば、「７（左図柄）」「７（中図柄）」「７（右図柄）」）でない場合は、今回のゲーム結果は「ハズレ」となる。
【０１３１】
上記の「リーチ演出」は、大当りに当選したか否かの期待度を示す大当り当選期待度（大当りである可能性がある旨（大当りとなる旨を含む））を予告（示唆）するものであり、大当り当選期待度に関連付けられた複数種類のリーチ演出が含まれる。たとえば、特定のリーチ状態を伴うリーチ演出が出現した場合、通常のリーチ状態（‘ノーマルリーチ（Ｎリーチ）’）を伴うリーチ演出が出現した場合に比べて、大当り当選期待度が相対的に高まるものがある。このような特定のリーチ状態を伴うリーチ演出を‘スーパーリーチ（ＳＰリーチ）’という。このＳＰリーチの多くは、大当り期待感を煽るべく、Ｎリーチによりも相対的に長い演出時間（変動時間）を持つ。
【０１３２】
本実施形態のリーチ演出には、各遊技状態に応じて複数種類のリーチ演出が設けられている（図３４、図３５参照）。リーチ演出における大当り当選期待度は、主として、リーチ演出の選択率の高低や遊技状態に応じて変化する。たとえば、通常状態中に係るリーチ種別間では「Ｎリーチ＜ＳＰリーチ１＜ＳＰリーチ２＜・・・＜ＳＰリーチ６＜ＳＰリーチ７」の関係で、番号が大きくなるほど大当り当選期待度が高くなるように、大当り抽選結果に関連してその選択率（発生率）が定められている（他の遊技状態についても同様の関係））。なお、実際の大当り当選期待度は、他の予告演出が伴うか否かに応じて変化する。このため、たとえば、上記ＳＰリーチ５が出現した場合であっても、大当り当選期待度の高い予告演出が絡めば、上記ＳＰリーチ６と同等もしくはそれ以上の大当り当選期待度となりうる。
【０１３３】
（５−２−２．疑似連演出（疑似連））
「疑似連」とは、装飾図柄の疑似的な連続変動表示状態（疑似変動）を伴う演出態様をいい、具体的には、装飾図柄変動表示ゲーム中において、装飾図柄の一部または全部を一旦仮停止状態とし、その仮停止状態から装飾図柄の再変動動作を実行する、といった表示動作を１回または複数回繰り返すことにより、見た目上、一セットとする変動動作があたかも複数回実行されているかの如く表現するような変動表示態様をいう。この疑似変動を行う場合には、仮リーチ状態（仮停止状態前にリーチ状態の可能性がある旨を示唆したり、リーチ図柄が停止するかの如く装ったりする変動表示状態）を形成しながら、一旦ハズレとなる図柄の組合せで仮停止状態としてから再変動動作を行ったり、または通常の装飾図柄に替えて特殊な装飾図柄（疑似連の発生可能性がある旨を示唆する特殊な装飾図柄（疑似連発動チャンス図柄））を含ませて仮停止状態としてから再変動動作を行う、といったように、特殊な装飾図柄を含ませて仮停止させることにより、疑似変動が行われる旨、またはその可能性がある旨を遊技者に示唆する場合もある。斯様な「疑似連」は、主として、疑似連回数が多くなるほど大当り当選期待度が高まるようにその発生率（疑似連回数に応じた疑似連の発生確率）が定められている。換言すれば、疑似連回数が多くなるほど大当り当選期待度が相対的に高いＳＰリーチ種別の発生が期待できるようになっている。
【０１３４】
したがって上記「疑似連」は、リーチ演出を含む演出シナリオの場合（疑似連有りリーチ変動パターンに基づく演出態様の場合）、リーチ状態が形成される前段階（リーチ演出の前段階）に発生され、たとえばリーチ演出の発生可能性がある旨の予告として、仮停止状態時の停止図柄の組合せを構成する一部または全部の停止図柄が、リーチ状態を形成するときの図柄の組合せ（リーチ図柄）を構成する可能性がある旨を示唆する疑似変動動作を行い、この疑似変動が終了した後、リーチ状態を経由して、最終的なゲーム結果が導出されることになる。なお、リーチ演出を含まない演出シナリオの場合（疑似連有り通常変動パターンに基づく演出態様の場合）、疑似変動が終了した後、リーチ状態を経由せずに最終的なゲーム結果が導出されることになる。ここで、上記疑似変動が終了した後に展開される変動表示を「本変動」とも称し、たとえばリーチ状態を経由する場合には、この本変動にてリーチ状態が形成されて、最終的なゲーム結果が導出される。なお、上記疑似連と上記リーチ演出とが伴う演出態様の場合、それぞれ別の演出態様である‘疑似連’と‘リーチ演出’とが複合したものとなっているが、説明の便宜上、本明細書では特に必要のない限り、疑似連有りリーチ演出を「リーチ演出」と同列に扱う。
【０１３５】
（５−２−３．ボタン予告演出）
上記「ボタン予告演出」とは、遊技者が枠演出ボタン１３を操作したか否かに応じて、演出の内容が変化し得る演出態様をいい、いわゆる、「遊技者参加型」の演出態様をいう。この「ボタン予告演出」では、所定の操作受付期間中、遊技者に対して枠演出ボタン１３の操作を促す情報が報知され、この報知期間中に枠演出ボタン１３が操作されたか否かに応じてその後の演出が変化するようになっており、たとえば現出中のキャラクター表示が変化したり、特殊な効果音が発生したりすることにより、大当り当選期待度を示唆することができるようになっている。このような「遊技者参加型」の演出態様は、遊技者があたかも遊技結果に影響を及ぼしているような感覚を与えることができるので、遊技の面白みを増すことができる。
【０１３６】
（５−３．先読み予告演出）
また演出には、未だ図柄変動表示ゲームの実行（特別図柄の変動表示動作）には供されていない作動保留球（未消化の作動保留球）について、大当りの当選可能性がある旨（大当り当選期待度）を事前に報知する先読み予告演出がある。この先読み予告演出については、まず主制御部２０において、作動保留球が発生した場合（始動条件が成立した場合）、当該作動保留球が図柄変動表示ゲームの実行（特別図柄の変動表示動作）に供される前に、当該作動保留球に係る大当り抽選結果を事前に判定する「先読み当り判定」が行われる（図１０のステップＳ３１７〜Ｓ３１８、図１１のステップＳ３３７〜Ｓ３３８（乱数判定処理〜特別停止図柄データ作成処理）参照）。
【０１３７】
さらに上記「先読み当り判定」結果を利用して、将来、その作動保留球が図柄変動表示ゲームの実行に供された際の特別図柄の変動パターンを事前に判定する「先読み変動パターン判定」が行われる。この事前に判定される特別図柄の変動パターンを「先読み変動パターン」と称する。この先読み変動パターン判定では、たとえば、どのようなリーチ状態を経由するリーチ演出指定用のリーチ変動パターン（リーチ変動パターン）となるのか、それともリーチ状態を経由しない非リーチ演出指定用の通常変動パターン（通常変動パターン）となるのかについて事前に判定される。なお上記先読み変動パターンは、少なくとも当落抽選結果を利用して判定されるため、演出制御部２４側に送信される先読み変動パターン情報には、変動パターン種別だけでなく、変動開始時の変動パターンが、大当り（小当りを含む）当選時の「当り変動パターン」であるか、ハズレ当選時の「ハズレ変動パターン」であるかの情報も含まれる。この先読み変動パターンの情報が主制御部２０から演出制御部２４に送信されると、演出制御部２４において先読み予告演出に関する演出制御処理が行われる。このように、先読み当り判定を経て先読み変動パターン判定する一連の処理を「先読み判定」と称する。
【０１３８】
詳しくは、上記先読み判定結果の情報を含む「保留加算コマンド」が主制御部２０から演出制御部２４に送信され、当該保留加算コマンドを演出制御部２４が受信すると、そのコマンドに含まれる先読み判定結果の内容に基づく先読み予告演出に関する演出制御処理が行われる。この保留加算コマンドは２バイトで構成され、先読み判定時の作動保留球数を指定する上位バイト側のデータと、先読み変動パターンの内容を特定可能とする下位バイト側データとから構成される（図５参照）。したがって、保留加算コマンドには、作動保留球情報と先読み変動パターン情報とが含まれる。ただし演出制御部２４は、保留加算コマンドを受信した場合に必ずしも先読み予告演出を現出させるわけではなく、先読み予告演出の実行を抽選により決定し、作動保留球の発生したタイミングで、または先に行われる図柄変動表示ゲームの開始と同時に、あるいはそのゲーム中の所定のタイミングで、今回の作動保留球を対象とした先読み予告演出を現出させることができる。
【０１３９】
なお作動保留球発生時の先読み判定により得られる「先読み変動パターン」は、必ずしも作動保留球が実際に変動表示動作に供されるときに得られる「変動開始時の変動パターン」そのものではある必要はない。たとえば、上記変動開始時の変動パターンが「通常中ＳＰリーチ１」を指定する変動パターンであるケースを代表的に説明する。このケースでは、先読み変動パターンにより指定される内容が、「ＳＰリーチ１」というリーチ演出の種類そのものではなく、その骨子である「ＳＰリーチ」種別、または大当り当選期待度が相対的に低い「弱ＳＰリーチ種別（たとえば、通常状態であれば、通常中ＳＰリーチ１〜３）」、あるいは、大当り当選期待度が相対的に高い「強ＳＰリーチ種別（たとえば、通常状態であれば、通常中ＳＰリーチ４〜７）」という同系統の変動パターンを纏めて分類した「ＳＰリーチ種別」、または「弱ＳＰリーチ種別」、あるいは「強ＳＰリーチ種別」である旨を指定することができる。このケースに係る先読み予告演出では、先読みされた「リーチ種別」に関連した演出態様が現出されることになる。したがって先読み予告演出により報知される主な情報は、将来的に実行される図柄変動表示ゲームに関し、大当り当選期待度が高い煽り演出（本ケースでは、ＳＰリーチ種）が発生する可能性が高いか低いかといった情報、換言すれば、大当りの当選可能性が高いか低いかといった情報であり、このような情報を作動保留球が消化される前段階において事前に遊技者に報知することにより、今回の図柄変動表示ゲームだけでなく、将来的に実行される図柄変動表示ゲームにも遊技者の関心を向けさせて、遊技の面白みを向上させている。
【０１４０】
（５−３−１．先読み予告演出態様：図５、図６）
次に図５および図６を参照しながら、先読み予告演出態様について説明する。図５および図６は、本実施形態に係るパチンコ遊技機１における先読み予告演出の説明に供する説明図であり、先読み予告演出の一例を示したものである。
【０１４１】
まず図５を参照して、本実施形態のパチンコ遊技機１では、液晶表示装置３６の画面内の一部に（図示では、装飾図柄の表示エリアの下方）、特別図柄１側の作動保留球数を表示する保留表示領域７６と特別図柄２側の作動保留球数を表示する保留表示領域７７とが設けられており、作動保留球の有無に関しては、その旨を点灯状態（作動保留球あり：図示の「○（白丸印）」）あるいは消灯状態（作動保留球なし：図示の破線の丸印）にて、現在の作動保留球数に関する情報が報知される（図５（イ）参照）。
【０１４２】
この作動保留球の有無に関する表示（以下、「保留表示」と称する）は、その発生順（入賞順）に順次表示され、各保留表示領域７６、７７には最大４個の保留表示が可能となっている（図５（ロ）参照）。具体的には、各保留表示領域７６、７７において、一番左側の作動保留球が、当該保留表示内の全作動保留球のうち時間軸上で一番先に生じた（つまり最も古い）作動保留球として表示される。本実施形態では、図示のように、液晶表示装置３６の画面内の一部に、最大保留記憶数と同数（４個）だけ設けた保留アイコン（アイコン画像）からなる保留表示部ａ１〜ｄ１（特図図柄１側に対応）、ａ２〜ｄ２（特図図柄２側に対応）が設けられている。これらの保留表示部ａ１〜ｄ１、ａ２〜ｄ２は、通常は、先読み判定する際に存在する作動保留球数と同数、たとえば３個だけ、その表示態様が作動状態（点灯状態）に切り替える。したがって、この保留表示部が作動保留数を表示する保留表示手段として働く。しかし、先読み予告演出を実行する場合は、保留表示部ａ１〜ｄ１、ａ２〜ｄ２のうちの該当する一の保留表示部の保留表示態様を所定の先読み予告表示態様（専用保留表示態様）に変更し、これにより先読み予告演出を発生させる手段として働く。
【０１４３】
演出制御部２４は、主制御部２０から送られてくる上記保留加算コマンドを受けた場合、上記保留表示に関連する表示制御処理の一環として、先読み予告演出の実行可否を抽選する先読み予告抽選を行う。この先読み予告抽選に当選に係る作動保留球が先読み予告演出の対象となった作動保留球となる（たとえば、図５のハッチングを施した保留表示部ｂ２が該当する）。なお本実施形態では、先読み予告抽選実行条件として、現存する作動保留球に係る先読み変動パターンの中に、リーチ変動パターン種別がないことを条件とする。これは、連続的に発生している先読み予告演出の途中に他のリーチ演出が介在して、本来の先読み予告演出が寸断され、その演出効果が希薄になってしまうのを回避するためである。上記先読み予告抽選による当選確率は、「ハズレ」よりも「大当り」の方が、また大当り当選期待度が相対的に高いリーチ種別の場合の方が高確率となっており、先読み予告演出が発生するか否かにより、大当りへの当選期待度が示される。
【０１４４】
先読み予告抽選に当選した場合には、上記保留表示部ａ１〜ｄ１、ａ２〜ｄ２の保留アイコンのうちで、その先読み予告対象となった保留アイコンが、たとえば、通常の保留表示の青色から、予告表示の黄色、緑色、赤色、または虹色などの特殊な保留色に変化するといった「保留表示変化系」の先読み予告演出が行われる。ここで、保留アイコンの青色、黄色、緑色、赤色、虹色の表示は、この色の順に、大当り当選期待度が高いことを意味しており、特に虹色の保留アイコンの表示は、大当り確定（当確）表示となるプレミアム的な保留アイコンとなっている。この保留色は、先読み変動パターンの内容に基づいて抽選により決定される。具体的には、「ハズレ」よりも「大当り」の方が、また大当り当選期待度が相対的に高いリーチ種別の場合の方が大当り当選期待度が高い保留色が高確率で選択されるようになっている。なお「保留表示変化系」の先読み予告演出態様としては、上述のように保留色を変化させることに限らず、特殊なキャラクタを模したアイコンなどに変化するようにしても良い。このような「保留表示変化系」の先読み予告演出は、作動保留球発生時に現出されることから「入賞時変化系」の先読み予告演出と称される。
【０１４５】
現存する作動保留球は、図柄変動表示ゲームの実行を契機に順次消化される。このとき、作動保留球が１つ消化したことを表現するべく、現存する作動保留球に対応した保留表示部の表示位置を繰り上げ移行され（順次左側にシフト）、その表示個数が減じられるといった表示制御が行われるが、上記した通常と異なる保留表示態様は、この間も保留表示の表示位置を変えながら連続的に表示され続ける。この点、上記の保留表示変化系（入賞時変化系）の先読み予告演出は、複数回の図柄変動表示ゲーム（複数回の図柄変動表示動作）に跨って専用の予告演出を現出させるといった「連続予告演出」の一態様であるといえる。この連続予告演出は複数回の図柄変動表示ゲームにおいて実行される点で、疑似連のように、１回の図柄変動動作中に行われる予告演出とは異なる。
【０１４６】
また本実施形態では、上述の「入賞時変化系」の先読み予告演出とは異なり、図柄変動表示ゲームが開始したことを契機としてなされる「変動開始時変化系」の先読み予告演出を現出可能となっている。この「変動開始時変化系」の先読み予告演出とは、たとえば、液晶表示装置３６の画面に先読み専用の予告画像を表示させ、これを複数回の図柄変動表示ゲームに跨って実行し連続表示させるといった「画像表示変化系」の先読み予告演出である。すなわち、「変動開始時変化系」の先読み予告演出は、一の図柄変動表示ゲーム中に始動口に遊技球が入賞して始動条件が成立した場合、その始動条件成立に係る図柄変動表示ゲームを実行する権利を一旦保留記憶するとともに、先読み予告演出を行うか否かに関し先読み予告抽選を行い、この先読み予告抽選に当選した場合には、その時点で現存する全ての保留記憶について、それらの図柄変動表示ゲームを何らかの関連性を有した表現にする。たとえば、記憶順にみて最も古い作動保留球から先読み予告対象の作動保留球までの現存する作動保留球に係る全ての図柄変動表示ゲームにおいて、液晶表示装置３６の画面に先読み専用の予告画像を表示させる。この点、「変動開始時変化系」の先読み予告演出も「入賞時変化系」の先読み予告演出と同じく、複数回の図柄変動表示ゲームに跨って専用の予告演出を現出させるといった「連続予告演出」の一態様であるといえる。なお、上記先読み予告演出を他の演出手段により現出させても良く、たとえば、可動体役物（図示せず）を先読み専用の動作パターンで動作させて、複数回の図柄変動表示ゲームに跨って先読み演出として現出可能に構成しても良い。
【０１４７】
次に図６を参照して、本実施形態のパチンコ遊技機１が織り成す先読み予告演出態様について説明する。
【０１４８】
図中（１）は、図柄変動表示ゲーム中（図示の「↓」は装飾図柄が変動表示中であることを示している）に上始動口３４に入賞して特別図柄１側の作動保留球数が３個になったとし、その３個目のうち、第２番目に変動開始動作が実行される作動保留球が先読み予告演出の対象（ここでは、入賞時変化系の先読み予告抽選と変動開始時変化系の先読み予告抽選とに重複当選）となったケースを示している。またここでは、先に保留されていた第１番目と後に保留された第３番目の作動保留球については、先読み予告抽選非当選の作動保留球であったとする。
【０１４９】
演出制御部２４は、同図（１）示すように、先読み予告の対象となった第２番目の作動保留球の保留表示を通常とは異なる先読み専用の保留表示（以下、「専用保留表示」と称する）に変化させる。このとき、先読み予告の対象ではない第１番目および第３番目の作動保留球に対応する保留表示は、通常の保留表示（以下、「通常保留表示」と称する）のまま維持される。図示では、先読み予告の対象となった第２番目の作動保留球の保留表示を、通常保留表示（白丸（○）印）から専用保留表示（ハッチング付き丸印）に表示態様が変化した場合を示している。これにより、遊技者に対して先読み予告演出が開始された旨が報知される。なお同図（１）は、現在実行中であった図柄変動表示ゲームが終了して、装飾図柄が「２４６」で停止表示されたものを示している（結果は「ハズレ」とする）。
【０１５０】
遊技進行は同図（２）に移り、主制御部２０は、上記第１番目（最も古い作動保留球）であった特別図柄１側の作動保留球に基づく特別図柄変動表示ゲームを開始してその作動保留球を消化（１つ消化）し、演出制御部２４は、その特別図柄変動表示ゲームの開始とともに、各作動保留球に対応する保留表示態様をそれぞれ左へシフトさせ、作動保留球が１つ消化された状態を示す保留表示態様とし、当該第１番目であった作動保留球に基づく装飾図柄変動表示ゲームを開始させる。このとき、「変動開始時変化系」の先読み予告演出として、液晶表示装置３６の画面内に先読み予告演出用の背景画像（たとえば、稲妻を模した稲妻画像表示による稲妻演出：専用予告画像）を表示させる。これにより、液晶表示装置３６の画面は、同図（２）に示すような表示態様となる。
【０１５１】
そして遊技進行は同図（３）に移り、現在実行中であった図柄変動表示ゲームが終了して装飾図柄が「３５１」で停止表示されたとする（結果は「ハズレ」とする）。
【０１５２】
続いて遊技進行は同図（４）に移り、主制御部２０は、上記第２番目であった作動保留球、つまり先読み予告演出の対象となった作動保留球に基づく特別図柄変動表示ゲームを開始してその作動保留球を消化し、演出制御部２４は、その特別図柄変動表示ゲームの開始とともに、各作動保留球に対応する保留表示態様をそれぞれ左へシフトさせ、当該第２番目であった作動保留球に基づく装飾図柄変動表示ゲームを開始させる。このとき、入賞時変化系の「専用保留表示」は上記シフト時に画面から消え、今回の図柄変動表示ゲームの開始を契機（その作動保留球の消化とともに）に終了される。また変動開始時変化系の専用予告画像（ここでは稲妻演出）も今回の図柄変動表示ゲーム中の発生を最後に終了される。なお同図（４）は、図柄変動表示ゲーム開始直後の液晶表示装置３６の画面表示を示したものである。このようにして、一連の先読み予告演出が終了したことになる。その後、今回の図柄変動表示ゲーム中に、大当り当選期待度が相対的に高まる煽り演出（疑似連やリーチ演出（ＳＰリーチ））が発生すれば、先読み予告演出の内容と相まって、大当りへの期待感はより一層高まることになる。
【０１５３】
なお先読み予告演出の一態様として、上記保留加算コマンドが２Ｒ短開放潜確大当り当選または小当り当選を指定するものであった場合、ＣＺ突入の可能性（２Ｒ短開放潜確大当り当選または小当り当選）を予告するといった、ＣＺ突入予告用の先読み予告演出を現出可能に構成することができる。またＣＺ中において作動保留球が発生した場合、現在の大当り当選確率状態に応じて、その作動保留球を対象とした先読み予告演出を現出可能に構成することができる。たとえば、ＣＺ中において作動保留球が発生した場合、高確率状態下の方が低確率状態下でよりも相対的に高い確率で先読み予告演出（たとえば、の作動保留球に係る保留表示を高確率状態の可能性を示唆するＣＺ中専用の保留表示に変化させる）を現出させる。
【０１５４】
このように本実施形態のパチンコ遊技機１では、連続予告演出の一態様として、上記のような先読み予告演出を発生可能に構成されている。これにより、演出のバリエーションを豊富なものとすることができるので、遊技の面白みを向上させることができる。
【０１５５】
なお、パチンコ遊技機１による各種の演出は、遊技機に配設された演出手段により現出される。上記演出手段は、視覚、聴覚、触覚など、人間の知覚に訴えることができる刺激伝達手段であれば、いずれも本発明における演出手段として採用することができる。装飾ランプ４５やＬＥＤ装置、スピーカ４６、液晶表示装置３６などの光発生手段、音響発生装置、演出表示装置、ないし操作者の体に振動を伝える加振装置、あるいは視覚的演出効果がある可動体役物などは、その代表例である。ここで演出表示装置は、画像表示装置と同じく視覚に訴える表示装置であるが、画像によらないもの（たとえば、７セグメント表示器）も含む点で画像表示装置と異なる。画像表示装置と称する場合は主として画像表示により演出を現出するタイプを指し、７セグメント表示器のように画像以外により演出を現出するものは、上記演出表示装置の概念の中に含まれる。また、枠演出ボタン１３（手操作手段）の操作を、特定の期間（たとえば、大当りへの当選期待度が相対的に高い煽り演出が発生中の一部または全部の期間）操作不能状態（たとえば、枠演出ボタン１３の押下できないようにする）、または操作困難状態（たとえば、枠演出ボタン１３の押下し難くする）に置く特殊演出手段を設けても良いし、手操作手段に対して振動を与える加振装置を設けても良い。
【０１５６】
＜主制御部側の処理：図７〜図１６＞
次に図７〜図１６を参照して、本実施形態の主制御部２０側における遊技動作処理について説明する。主制御部２０側の処理は、主に、所定のメイン処理（主制御側メイン処理：図７）と、ＣＴＣからの定時割込みで起動されるタイマ割込処理（主制御側タイマ割込処理：図８）とを含んで構成される。
【０１５７】
＜６．主制御側メイン処理：図７＞
図７は、主制御部２０側のメイン処理を示すフローチャートである。メイン処理が開始されるのは、停電状態からの復旧時のように初期化スイッチ（図示せず）が操作されることなく電源がＯＮ状態になる場合と、初期化スイッチがＯＮ操作されて電源がＯＮ状態になる場合とがある。いずれの場合でも、パチンコ遊技機１に電源が投入されると、電源基板３１によって各制御基板に電圧が供給され、主制御部２０（ＣＰＵ２０１）が図７に示す主制御側メイン処理を開始する。
【０１５８】
この主制御側メイン処理において、ＣＰＵ２０１は、まず遊技動作開始前における必要な初期設定処理を実行する（ステップＳ０１１）。たとえば、最初に自らを割込み禁止状態に設定すると共に、所定の割込みモード（割込みモード２）に設定し、またマイクロコンピュータの各部を含めてＣＰＵ内部のレジスタ値を初期設定する。
【０１５９】
次に、図示してない入力ポートを介して入力されるＲＡＭクリアスイッチの出力信号であるＲＡＭクリア信号の状態（ＯＮ、ＯＦＦ）を判定する（ステップＳ０１２）。ここでＲＡＭクリア信号とは、ＲＡＭの全領域を初期設定するか否かを決定する信号であって、通常、パチンコ店の店員が操作する初期化スイッチのＯＮ／ＯＦＦ状態に対応した値を有している。
【０１６０】
ここでは、ＲＡＭクリア信号がＯＮ状態であったと仮定すると、ステップＳ０１２の判定結果が‘ＹＥＳ’となり、ＲＡＭの全領域がゼロクリアされる（ステップＳ０１６）。したがって、電源遮断時にセットされたバックアップフラグの値は、他のチェックサム値などと共にゼロとなる。
【０１６１】
次に、ＲＡＭ領域がゼロクリアされたことを報知するための「ＲＡＭクリア表示コマンド」が初期化コマンドとして各制御基板に送信する（ステップＳ０１７）。そして、ＲＡＭクリア報知タイマに、ＲＡＭクリアされた旨を報知するための時間として、たとえば、３０秒を格納する（ステップＳ０１８）。
【０１６２】
次に、タイマ割込み動作を起動する割込み信号を出力するＣＴＣを初期設定して（ステップＳ０１９）、ＣＰＵを割込み許可状態に設定する。
【０１６３】
その後は、割込みが発生するまで割込禁止状態と割込許可状態とを繰り返すとともに、その間に、各種乱数更新処理を実行する（ステップＳ０２０〜Ｓ０２２）。この各種乱数更新処理（ステップＳ０２１）では、特別図柄変動表示ゲームや普通図柄変動表示ゲームに使用される各種乱数（インクリメント処理によって所定数値範囲を循環している大当り抽選に係る乱数（図柄抽選に利用される特別図柄判定用乱数）や、補助当り抽選に係る乱数（補助当りの当落抽選に利用される補助当り判定用乱数））の初期値（スタート値）変更のために使用する乱数（特別図柄判定用初期値乱数、補助当り判定用初期値乱数）や、変動パターンの選択に利用される変動パターン用乱数を更新する。
【０１６４】
本実施形態のＲＡＭ２０３には大当り抽選に係る図柄抽選、補助当り抽選、または変動パターン抽選などに利用される各種の乱数カウンタとして、特別図柄判定用乱数カウンタ初期値の生成用カウンタ、特別図柄判定用乱数カウンタ、補助当り判定用乱数カウンタ初期値の生成用カウンタ、補助当り判定用乱数カウンタ、変動パターン用乱数カウンタ、などが設けられている。これらのカウンタは、ソフトウェア的に乱数を生成する乱数生成手段としての役割を果たす。ステップＳ０２１の各種乱数更新処理では、上述の特別図柄判定用乱数カウンタや補助当り判定用乱数カウンタの初期値を生成する２つの初期値生成用カウンタ、変動パターン用乱数カウンタなどを更新して、上記各種のソフト乱数を生成する。たとえば、変動パターン用乱数カウンタとして取り得る数値範囲が０〜２３８とすると、ＲＡＭ２０３の変動パターン用乱数の値を生成するためのカウント値記憶領域から値を取得し、取得した値に１を加算してから元のカウント値記憶領域に格納する。このとき、取得した値に１を加算した結果が２３９であれば０を元の乱数カウンタ記憶領域に格納する。他の初期値生成用乱数カウンタも同様に更新する。ＣＰＵ２０１は、間欠的に実行されるタイマ割込処理を行っている間を除いて、各種乱数更新処理を繰り返し実行するようになっている。
【０１６５】
ステップＳ０１２の判定処理に戻って説明を続けると、停電状態からの復旧時には、初期化スイッチ（ＲＡＭクリア信号）はＯＦＦ状態である（ステップＳ０１２：ＹＥＳ）。そこで、このような場合、ステップＳ０１２の判定処理に続き、バックアップフラグ値を判定する（ステップＳ０１３）。なお、バックアップフラグは、電源遮断時にＯＮ状態（バックアップフラグ＝５ＡＨ（‘ＸＸＨ’は任意の１６進数の意）に設定され、電源復帰後の最初のタイマ割込み処理の処理でＯＦＦ状態（バックアップフラグ＝００Ｈ）にリセットされるよう構成されている。
【０１６６】
したがって、電源投入時や停電状態からの復旧時である場合には、通常では、バックアップフラグがＯＮ状態のはずである。ただし、何らかの理由で電源遮断までに所定の処理が完了しなかったような場合には、バックアップフラグはリセット（ＯＦＦ）状態になる。したがって、バックアップフラグがＯＦＦ状態となる場合には（ステップＳ０１３：ＮＯ）、ステップＳ０１６の処理に移行させて遊技機の動作を初期状態に戻す。
【０１６７】
一方、バックアップフラグがＯＮ状態であれば（ステップＳ０１３：ＹＥＳ）、チェックサム値を算出するためのチェックサム演算を実行する。ここで、チェックサム演算とは、ＲＡＭ２０３のワーク領域を対象とする８ビット加算演算である。そして、チェックサム値が算出されたら、この演算結果を、ＲＡＭ２０３のＳＵＭ番地の記憶値と比較をする（ステップＳ０１４）。上記ＳＵＭ番地には、電源遮断時に、同じチェックサム演算によるチェックサム値が記憶されている。そして、記憶された演算結果は、ＲＡＭ２０３の他のデータと共に、バックアップ電源によって維持されている。したがって、本来は、ステップＳ０１４の判定によって両者が一致するはずである。
【０１６８】
しかし、電源遮断時にチェックサム演算が実行できなかった場合や、実行できても、その後、メイン処理のチェックサム演算の実行時までの間に、ワーク領域のデータが破損している場合もあり、このような場合にはステップＳ０１４の判定結果は不一致となる。判定結果の不一致によりデータ破損が検出された場合には（ステップＳ０１４：ＮＯ）、ステップＳ０１６の処理に進みＲＡＭクリア処理を実行し、遊技機の動作状態を初期状態に戻す。一方、チェックサム演算によるチェックサム値と、ＳＵＭ番地の記憶値とが一致する場合には（ステップＳ０１４：ＹＥＳ）、バックアップデータに基づき、電源遮断前におけるスタックポインタを復帰し、電源遮断時の処理状態から遊技を開始するために必要な遊技復旧処理を実行する。
【０１６９】
ステップＳ０１５の遊技復旧処理を終えると、ステップＳ０１９の処理に進み、ＣＴＣを初期設定してＣＰＵを割込み許可状態に設定し、その後は、割込みが発生するまで割込禁止状態と割込許可状態とを繰り返すとともに、その間に、上述した各種乱数更新処理を実行する（ステップＳ０２０〜Ｓ０２２）。
【０１７０】
＜７．主制御側タイマ割込処理：図８＞
次に図８を参照して、主制御側のタイマ割込処理について説明する。図８は、主制御側タイマ割込処理を示すフローチャートである。この主制御側タイマ割込処理は、ＣＴＣからの一定時間（４ｍｓ程度）ごとの割込みで起動され、主制御側メイン処理実行中に割り込んで実行される。以下では説明の便宜上、ＣＰＵ２０１がＲＡＭやＲＯＭなどのメインメモリを読み書きする際のアドレス値（そのアドレスに記述されているデータ類を含む）やプログラム上の演算処理により得られた結果情報などを、ＣＰＵ内蔵のレジスタ内に読み込んだり取り込んだりするなどの処理を「取得」と称し、またＣＰＵ２０１がＲＡＭのワーク領域にアクセスして、所定のデータを記憶させることを「格納」と称する場合がある。
【０１７１】
図８において、ＣＰＵ２０１は、タイマ割込みが生じると、レジスタの内容をスタック領域に退避させた後、まず電源制御基板３１からの電源の供給状態を監視する電源異常チェック処理を行う（ステップＳ０５１）。この電源異常チェック処理では、主に、電源が正常に供給されているかを監視する。ここでは、たとえば、電断が生じるなどの異常が発生した場合、電源復帰時に支障なく遊技を復帰できるように、電断時における所定の遊技情報をＲＡＭに格納するバックアップ処理などが行われる。
【０１７２】
次いで、遊技動作制御に用いられるタイマを管理するタイマ管理処理を行う（ステップＳ０５２）。パチンコ遊技機１の遊技動作制御に用いる各種タイマ（たとえば、後述の特別図柄役物動作タイマなど）のタイマ値はここで管理（更新）される。
【０１７３】
次いで、入力管理処理を行う（ステップＳ０５３）。この入力管理処理では、パチンコ遊技機１に設けられた各種センサによる検出情報を入賞カウンタに格納する。ここでの各種センサによる検出情報とは、たとえば、上始動口センサ３４ａ、下始動口センサ３５ａ、普通図柄始動口センサ３７ａ、大入賞口センサ５２ａ、一般入賞口センサ４３ａなどの入賞検出スイッチから出力されるスイッチ信号のＯＮ／ＯＦＦ情報（入賞検出情報）である。これにより、各入賞口において入賞を検出（入賞が発生）したか否かが割込みごとに監視される。また上記「入賞カウンタ」とは、各々の入賞口ごとに対応して設けられ、入賞した遊技球数（入賞球数）を計数するカウンタである。
【０１７４】
次いで、各変動表示ゲームに係る乱数を定期的に更新するタイマ割込内乱数管理処理を行う（ステップＳ０５４）。この定期乱数更新処理では、特別図柄判定用乱数や補助当り判定用乱数の更新（割込み毎に＋１加算）と、乱数カウンタが一周するごとに、乱数カウンタのスタート値を変更する処理を行う。たとえば、特別図柄判定用乱数カウンタの値を所定範囲で更新（＋１加算）し、特別図柄判定用乱数カウンタが１周するごとに、特別図柄判定用乱数カウンタ初期値の生成用カウンタの値を読み出し、その生成用カウンタの値を特別図柄判定用乱数カウンタに格納する。これにより、特別図柄判定用乱数カウンタのスタート値が上記の生成用カウンタの値に応じて変更されるので、更新周期は一定でありながらも特別図柄判定用乱数カウンタのカウント値はランダムになる。
【０１７５】
次いで、遊技動作状態の異常の有無を監視するエラー管理処理を行う（ステップＳ０５５）。このエラー管理処理では、遊技動作状態の異常を監視し、異常（エラー）が発生した場合には、所定のエラー処理を行う。
【０１７６】
次いで、賞球管理処理を行う（ステップＳ０５６）。この賞球管理処理では、上記入力管理処理で格納したデータを把握して、上記入賞カウンタの確認を行い、入賞があった場合は、賞球数を指定する払出制御コマンドを払出制御基板（払出制御部）２９に送信する。この払出制御コマンドを受信した払出制御基板２９は、遊技球払出装置１９を制御し、指定された賞球数の払い出し動作を行わせる。これにより、それぞれの入賞口に対応した賞球数（入賞口別に約束づけられた入賞球１個当りの所定の賞球数×入賞カウンタの値分の賞球数）が払い出されるようになっている。
【０１７７】
次いで、普通図柄管理処理を行う（ステップＳ０５７）。この普通図柄管理処理では、普通図柄変動表示ゲームにおける補助当り抽選を行い、その抽選結果に基づいて、普通図柄の変動パターンや普通図柄の停止表示態様を決定したり、所定時間毎に点滅を繰り返す普通図柄のデータ（普通図柄変動中のＬＥＤ点滅表示用データ）を作成し、普通図柄が変動中でなければ、停止表示用のデータ（普通図柄停止表示中のＬＥＤ点滅表示用データ）を作成したりする。なお普通図柄管理処理は、補助遊技抽選手段、普通図柄の変動表示動作を制御する普通図柄表示手段（普通図柄表示制御手段）として機能する。
【０１７８】
次いで、普通電動役物管理処理を行う（ステップＳ０５８）。この普通電動役物管理処理では、普通図柄管理処理（ステップＳ０５７）の補助当り抽選の抽選結果に基づき、普電開放遊技発生に必要な普通電動役物ソレノイド４１ａに対するソレノイド制御用の励磁信号の生成およびそのデータ（ソレノイド制御データ）の設定を行う。ここで設定されたデータに基づき、後述のソレノイド管理処理にて、励磁信号が普通電動役物ソレノイド４１ａに対して出力され、これにより可動翼片４７の動作が制御される。
【０１７９】
次いで、特別図柄管理処理を行う（ステップＳ０５９）。この特別図柄管理処理（大当り判定手段）では、主に、特別図柄変動表示ゲームにおける大当り抽選を行い、その抽選結果に基づいて、特別図柄の変動パターン（先読み変動パターン、変動開始時の変動パターン）や特別停止図柄などを決定する。なお、特別図柄管理処理の詳細は図９にて後述する。
【０１８０】
次いで、特別電動役物管理処理を行う（ステップＳ０６０）。この特別電動役物管理処理では、主に、大当り抽選結果が「大当り」または「小当り」であった場合、その当りに対応した当り遊技を実行制御するために必要な設定処理を行う。なお、特別電動役物管理処理の詳細は図１６にて後述する。
【０１８１】
次いで、右打ち報知情報管理処理を行う（ステップＳ０６１）。この右打ち報知情報管理処理では、「電サポ有り状態」の高ベース遊技状態が生起する遊技状態である場合、右打ち指示情報（右流下経路３ｃを狙う旨を指示する情報（普通図柄始動口３７に入賞を促す指示情報））を報せる「発射位置誘導演出（右打ち報知演出）」を現出させるための処理を行う。この右打ち情報が報知されるケースとしては、電サポ有り状態下において遊技者が誤って発射位置を左流下経路３ｂ側に狙いを定めていると推定されるケースで、電サポ有り状態下において、上始動口３４に入賞が発生した場合や、所定時間経過しても普通図柄始動口３７へ入賞が発生しない場合などが挙げられる。このような場合、右打ち報知情報管理処理において、上記発射位置誘導演出の開始を指示する「右打ち指示コマンド」が演出制御部２４に送信され、このコマンドを受けて、演出制御部２４が上記発射位置誘導演出を現出制御する構成となっている。
【０１８２】
次いで、ＬＥＤ管理処理を行う（ステップＳ０６２）。このＬＥＤ管理処理では、普通図柄表示装置３９ａや特別図柄表示装置３８ａ，３８ｂに対して表示データを出力する。これにより、普通図柄や特別図柄の変動表示および停止表示が行われる。なおステップＳ０５７の普通図柄管理処理で作成された普通図柄の表示データや、ステップＳ０５９の特別図柄管理処理中の特別図柄表示データ更新処理（後述の図９のステップＳ３０９）で作成される特別図柄の表示データは、このＬＥＤ管理処理で出力される。
【０１８３】
次いで、外部端子管理処理を行う（ステップＳ０６３）。この外部端子管理処理では、枠用外部集中端子基板２１を通して、パチンコ遊技機１の動作状態情報（当り遊技開始情報、図柄変動表示ゲーム開始・終了情報、入賞発生情報、賞球払い出し情報など）をホールコンピュータＨＣや島ランプなどの外部装置に対して出力する。
【０１８４】
次いで、ソレノイド管理処理を行う（ステップＳ０６４）。このソレノイド管理処理では、ステップＳ０５８の普通電動役物管理処理で作成されたソレノイド制御データに基づく普通電動役物ソレノイド４１ｃに対する励磁信号の出力処理、ステップＳ０６０の特別電動役物管理処理で作成されたソレノイド制御データに基づく大入賞口ソレノイド５２ｃに対する励磁信号の出力処理を行う。これにより、可動翼片４７や開放扉５２ｂが所定のパターンで動作し、下始動口３５や大入賞口５０が開閉される。
【０１８５】
以上のステップＳ０５１〜ステップＳ０６４の処理を終えた後、退避していたレジスタの内容を復帰させて（レジスタ復帰処理）、割込み許可状態に設定する（ステップＳ０６５）。これにより、タイマ割込処理を終了して、割込み前の上記主制御側メイン処理に戻り、次のタイマ割込みが発生するまで主制御側メイン処理を行う。
【０１８６】
（８．特別図柄管理処理：図９）
次に、図８中の特別図柄管理処理（ステップＳ０５９）について説明する。図９は、ステップＳ０５９の特別図柄管理処理の詳細を示すフローチャートである。
【０１８７】
図９において、ＣＰＵ２０１は、まず特別図柄１側（上始動口３４側）に関する特図１始動口チェック処理を行い（ステップＳ３０１）、次いで、特別図柄２側（下始動口３５側）に関する特図２始動口チェック処理を行う（ステップＳ３０２）。
【０１８８】
ステップＳ３０１〜Ｓ３０２の始動口チェック処理を終えると、小当り中フラグの状態を判定する（ステップＳ３０３）。この「小当り中フラグ」とは、小当り遊技中であるか否かを指定するためのフラグで、当該フラグがＯＮ状態（＝５ＡＨ）である場合には小当り遊技中である旨を示し、当該フラグがＯＦＦ状態（＝００Ｈ）である場合には小当り遊技中ではない旨を示す。
【０１８９】
上記小当り中フラグがＯＦＦ状態（＝００Ｈ）の場合（ステップＳ３０３：≠５ＡＨ）、次いで、条件装置作動フラグの状態を判定する（ステップＳ３０４）。この「条件装置作動フラグ」とは、大当り遊技中であるか否かを指定するためのフラグで、当該フラグがＯＮ状態（＝５ＡＨ）である場合には大当り遊技中である旨を示し、当該フラグがＯＦＦ状態（＝００Ｈ）である場合には大当り遊技中ではない旨を示す。
【０１９０】
上記条件装置作動フラグがＯＦＦ状態（＝００Ｈ）の場合（ステップＳ３０４：≠５ＡＨ）、すなわち、小当り遊技中でもなく大当り遊技中でもない場合（ステップＳ３０３：≠５ＡＨ、かつステップＳ３０４：≠５ＡＨ）、特別図柄動作ステータス（００Ｈ〜０３Ｈ）に応じて、特別図柄の変動表示動作に関する処理を行う（ステップＳ３０５：特別図柄動作ステータス分岐処理）。一方、小当り遊技中（ステップＳ３０３：＝５ＡＨ）、または大当り遊技中である場合には（ステップＳ３０４：＝５ＡＨ）、ステップＳ３０６〜Ｓ３０８の特別図柄の変動表示動作に関する処理を行わずに、そのままステップＳ３０９の特別図柄表示データ更新処理に進む。したがって、小当り遊技中または大当り遊技中のいずれかである場合には、特別図柄の変動表示動作は行われない（特別図柄表示装置の特別図柄の表示状態は、小当り後または大当り後に確定表示されたままの状態が保持されている）。なお「特別図柄動作ステータス」とは、特別図柄の挙動を示すステータス値であり、このステータス値は処理状態に応じて変更され、ＲＡＭ２０３の特別図柄動作ステータス格納領域に格納される。
【０１９１】
ステップＳ３０５の特別図柄動作ステータス分岐処理では、特別図柄動作ステータスが「待機中（００Ｈ、０１Ｈ）」「変動中（０２Ｈ）」「確認中（０３Ｈ）」のいずれのステータス値であるかに応じて、それぞれに対応する処理を実行する。
【０１９２】
具体的には、特別図柄動作ステータスが「待機中（００Ｈまたは０１Ｈ）」である場合には、特別図柄変動開始処理（ステップＳ３０６）を、「変動中（０２Ｈ）」である場合には、特別図柄変動中処理（ステップＳ３０７）を、「確認中（０３Ｈ）」である場合には、特別図柄確認時間中処理（ステップＳ３０８）を実行する。ここで上述の「待機中」とは、特別図柄の挙動が次回変動のための待機状態である旨を示し、「変動中」とは特別図柄の挙動が変動（変動表示）中である旨を示し、上記「確認中」とは特別図柄の変動が終了して停止（確定）表示中（特別図柄確認時間中）である旨を示す。これらの処理により、特別図柄の変動開始および変動停止を一セットする変動表示動作が実現されることになる。なお上記の特別図柄変動開始処理（ステップＳ３０６）、特別図柄変動中処理（ステップＳ３０７）、および特別図柄確認時間中処理（ステップＳ３０８）の詳細は、後述する。
【０１９３】
上記ステップＳ３０６〜Ｓ３０８のいずれかの処理を終えると、後述のステップＳ３０９の特別図柄表示データ更新処理を行う。この特別図柄表示データ更新処理では、特別図柄が変動中であるか否かを判定し、変動中であれば、所定時間（たとえば０．５秒）毎に点滅を繰り返す特別図柄のデータ（特別図柄変動中の７セグ点滅表示用データ）を作成し、特別図柄が変動中でなければ、停止表示用のデータ（特別図柄停止表示中の７セグ点滅表示用データ）を作成する。ここで作成した特別図柄の表示データは、図８のＬＥＤ管理処理（ステップＳ０６２）で出力され、特別図柄表示装置３８ａ、３８ｂ上における特別図柄の変動表示および停止表示が実現される。これにより特別図柄管理処理を抜けて、図８のステップＳ０６０の特別電動役物管理処理に進む。
【０１９４】
（８−１．特図１始動口チェック処理：図１０）
まず、特図１始動口チェック処理（図９のステップＳ３０１）について説明する。図１０は、上記のステップＳ３０１の特図１始動口チェック処理の詳細を示すフローチャートである。この特図１始動口チェック処理は、所定の始動条件の成立に基づいて実行される入賞時処理としての役割を果たし、ここでは、特別図柄変動表示ゲーム１を実行させるための開始前処理（特図１側の入賞時処理）として、上始動口３４の入賞発生に起因した特図１側の作動保留球数の加算処理、各種乱数の記憶処理、保留加算コマンドの作成処理などが行われる。なお後述の特図２始動口チェック処理（図９のステップＳ３０２）も特図１始動口チェック処理と同じく、所定の始動条件の成立に基づいて実行される入賞時処理としての役割を果たし、特別図柄変動表示ゲーム２を実行させるための開始前処理（特図２側の入賞時処理）として、下始動口３５の入賞発生に起因した特図２側の作動保留球数の加算処理、各種乱数の記憶処理、および保留加算コマンドの作成処理などが行われ、次に述べる特図１始動口チェック処理と同じ処理手順を踏む。
【０１９５】
図１０において、ＣＰＵ２０１は、まず上始動口３４において入賞（入賞球）を検出したか否かを判定する（ステップＳ３１１）。
【０１９６】
上始動口３４の入賞を検出した場合（ステップＳ３１１：ＹＥＳ）、特別図柄１の作動保留球数が４以上であるか否か判定する（ステップＳ３１２）。すなわち、特別図柄１に係る作動保留球（以下、「特図１作動保留球」と称する）の数が最大保留記憶数（ここでは、上限４個）未満であるか否かを判定する。なお、上始動口３４の入賞検出がなかった場合は（ステップＳ３１１：ＮＯ）、何もしないで特図１始動口チェック処理を抜ける。
【０１９７】
特図１作動保留球数が４以上である場合（ステップＳ３１２：ＹＥＳ）、後述のステップＳ３２５の処理に進み、特図１作動保留球数が４以上でない場合、つまり４未満の場合は（ステップＳ３１２：ＮＯ）、特図１作動保留球数に１加算（＋１）して（ステップＳ３１３）、ステップＳ３１４の処理に進む。
【０１９８】
ステップＳ３１４の処理に進むと、今回発生した特図１作動保留球に係る特別図柄変動表示ゲーム１に利用される各種乱数を取得する（ステップＳ３１４）。具体的には、乱数カウンタから大当り判定用乱数、特別図柄判定用乱数、変動パターン用乱数の現在値を取得し、その取得した乱数値をＲＡＭ２０３の保留記憶エリアに格納する。この保留記憶エリアは、図柄変動表示ゲームに係る所定の遊技情報を作動保留球（保留データ）として記憶する領域であり、この保留記憶エリアには、保留データとしての上記の各種乱数値が特別図柄１の変動表示動作に供されるまで（特別図柄変動表示ゲーム１実行時まで）、始動条件の成立順（入賞順）に保留記憶されていく。なお上記保留記憶エリアには、特別図柄１側と特別図柄２側とに対応した保留記憶エリア（特別図柄１に対応する特図１保留記憶エリア（第１の保留記憶エリア）と、特別図柄２に対応する特図２保留記憶エリア（第２の保留記憶エリア））とが設けられている。これら保留記憶エリアには、保留１記憶エリア〜保留ｎ記憶エリア（ｎは最大作動保留球数：本実施形態では、ｎ＝４）が設けられており、それぞれ最大作動保留球数分の保留データを格納可能となっている（保留記憶順番は、保留１記憶エリア、保留２記憶エリア、・・・、保留ｎ−１記憶エリア、保留ｎ記憶エリアの順に格納されるようになっている）。
【０１９９】
なお上記各種乱数のうち、特別図柄判定用乱数および変動パターン用乱数は、それぞれに対応したソフトウェア的に乱数を生成する乱数カウンタから抽出される。これら乱数カウンタの乱数値は、ＲＡＭ２０３に設けられた各々に対応したカウント値記憶領域において、間欠的に生じる割込み処理と割込み処理の間に実行されるメイン処理において乱数的に更新されているので、その値がそのまま取得されるようになっている。
【０２００】
他方、大当り判定用乱数値は、ハードウェア的に乱数を生成する乱数生成回路（大当り判定用乱数値をカウントするための大当り判定用乱数カウンタ：図示せず）から抽出される。この乱数生成回路は、上始動口センサ３４ａまたは下始動口センサ３４ａから遊技球の検出信号が入力されると、このタイミングにおけるカウント値をラッチして、そのカウント値がマイクロコンピュータに入力されるようになっている。このカウント値は、大当り判定用乱数値として、ＲＡＭ２０３の保留記憶エリアと別個に設けられたＲＡＭ２０３の大当り判定用乱数値用の記憶領域（特別電動役物作動判定用乱数ラッチバッファ）に格納され、ＣＰＵ２０１は、必要なタイミングで、その特別電動役物作動判定用乱数ラッチバッファに格納された大当り判定用乱数値を読み出し利用する。
【０２０１】
次いで、保留加算コマンド（詳細は後述する）を作成するための入賞コマンドデータ（保留加算コマンドの下位バイト側（ＥＶＥＮＴ）に相当するデータ）として、先読み判定を禁止する先読み禁止データ（ＥＶＥＮＴ：「０１Ｈ」）を取得し（ステップＳ３１５）、「特図１先読み禁止条件」が成立しているか否かを判定する（ステップＳ３１６）。上記「特図１先読み禁止条件」とは、特図１作動保留球を対象とした先読み判定を禁止するための条件である。
【０２０２】
上記特図１先読み禁止条件が成立している場合（ステップＳ３１６：ＹＥＳ）、今回の特図１作動保留球を対象とした先読み判定が実行されず（ステップＳ３１５の処理により保留加算コマンドが先読み禁止を指定するものとなる）、これにより、先読み予告演出も実行されないことになる（ステップＳ３１６：ＹＥＳの処理ルート参照）。本実施形態では、現在の遊技状態に基づき、先読み禁止か否かを判定するようになっている。具体的には、‘電サポ有り状態’を伴う遊技状態中である場合に、特別図柄１側の先読み判定を禁止する。このように、電サポ有り状態を伴う遊技状態中である場合に特別図柄１側の先読み判定を禁止する理由は、次の通りである。
【０２０３】
第１の理由としては、‘電サポ有り状態’下に置かれた場合は、下始動口３５への入賞率が通常遊技状態よりも著しく向上し得る「高ベース遊技状態（可動翼片４７の作動率向上状態：補助当りの当選確率が２５６分の２５５となり、開放延長機能が作動する）」となるため、遊技者が普通図柄始動口３７へ入賞させるように発射位置を狙い定めた場合（本実施形態では、右流下経路３ｃを遊技球が通過するように狙いを定めた場合）、特別図柄２に係る作動保留球数（以下、「特図２作動保留球」と称する）が頻繁に発生するものと推定される。これに対し、電サポ無し状態下に置かれた場合は、可動翼片４７の作動率が低い「低ベース遊技状態（補助当りの当選確率が２５６分の１となり、開放延長機能が未作動となる）」となり、また本実施形態では、遊技くぎなどの落下方向変換部材に起因して、上始動口３４側には遊技球が誘導され難い、または誘導されない構成となっており、遊技者が普通図柄始動口３７側に発射位置を狙い定めた場合には、特に不利益をもたらす、という遊技性となっている。このため、電サポ有り状態中に遊技者が左流下経路３ｂ側を遊技球が通過するように発射位置を定めることはないものと推定され、特図１作動保留球を対象とした先読み予告演出を発生させる必要性に乏しく、そのような発生率の低い特図１作動保留球を対象として先読み判定を一々行うようにすると、制御負担が増大してしまうといった問題が生じるからである。
【０２０４】
また第２の理由としては、技術介入性の問題がある。技術介入性の問題が生じる例としては、現在、特図１作動保留球を対象とした何らかの先読み予告演出（特に、大当り当選期待度が高い先読み予告演出）だけが発生した場合、遊技者がこれを認識すれば、特図２作動保留球を途切れないようにして優先変動側である特別図柄変動表示ゲーム２を継続的に実行させることで、特別図柄２側（特別図柄変動表示ゲーム２側）の大当り抽選の恩恵を最大限受けながらゲームを進行させていくことができてしまう。本実施形態では、特別図柄１側の図柄抽選を受けるよりも特別図柄２側の図柄抽選を受けた方が、利益の高い「１２Ｒ長開放確変大当り」や「１６Ｒ長開放確変大当り」が高確率で当選するようになっている（詳細は後述する）。このため、特別図柄１側（特別図柄変動表示ゲーム１側）の大当り抽選を受けるよりも特別図柄２側（特別図柄変動表示ゲーム２側）の大当り抽選を受ける方が、遊技者にとって有利なゲーム展開とされる。これを利用し、特図１作動保留球の大当り当確が判明している場合には、電サポ有り状態が終了するまで特別図柄２側の大当り抽選の恩恵を最大限受けた後、その当選に係る特図１作動保留球を消化させて容易に大当りを得る、といった技術介入性の問題が生じ、遊技者間の不平等を招来する。
【０２０５】
そこで本実施形態では、上記のような問題点に鑑み、特図１側と特図２側の先読み判定を禁止する区間（先読み禁止状態）を設け、遊技状態に応じて、これらの区間を切り替え制御可能に構成されている。
【０２０６】
再びステップＳ３１６の説明に戻り、特図１先読み禁止条件が成立している場合には（ステップＳ３１６：ＹＥＳ）、先読み判定に関する処理（ステップＳ３１７〜Ｓ３１９）は行わずに、ステップＳ３２０の処理に進む。
【０２０７】
特図１先読み禁止条件が成立していない場合には（ステップＳ３１６：ＮＯ）、次いで、乱数判定処理を行う（ステップＳ３１７）。この乱数判定処理は、‘先読み判定’処理の一環として行われるものであり、ここでは、今回の作動保留球に係る「当落抽選」を事前に判定する‘先読み当落判定’を行う。具体的には、今回の作動保留球が変動表示動作に供されるときに実行される「特別電動役物作動判定用乱数判定処理（後述の図１２のＳ４０９参照）」の抽選結果（変動開始時の当落抽選結果）を先読み判定する。
【０２０８】
ステップＳ３１７の乱数判定処理に入ると、まずＲＡＭ２０３（特別電動役物作動判定用乱数ラッチバッファ）に格納された大当り判定用乱数値を取得し、次いで、後述の特図１用当り乱数判定テーブルを取得する。そして、取得した大当り判定用乱数値と当り乱数判定テーブルとに基づき、今回の作動保留球を対象とした当落判定（大当り、小当り、およびハズレの別の判定）を行う。
【０２０９】
（Ｔ−１.当り乱数判定テーブル）
上記当り乱数判定テーブルには、特別図柄変動表示ゲーム１に係る「特図１用当り乱数判定テーブル（図示せず）」と、特別図柄変動表示ゲーム２に係る「特図２用当り乱数判定テーブル（図示せず）」とが含まれる。
【０２１０】
これらの当り乱数判定テーブルには、大当り抽選確率状態（高確率状態（高確）と低確率状態（低確））別に、当落種別（大当りか、小当りか、ハズレかの別）を決定するための判定領域（判定値）と、大当り判定用乱数値（大当り判定用乱数の大きさ：６５５３６）とが関連付けて定められており、具体的には、大当り判定用乱数値がいずれの判定値に属するか否かにより、大当り、小当り、またはハズレのいずれかが決定される。したがって、取得した大当り判定用乱数値が同じ判定値に属する場合（大当り判定用乱数値が同じ値）であっても、現在の大当り抽選確率状態が、高確率状態であるか低確率状態であるかにより、一方では「大当り」、他方では「ハズレ」といったように当落種別が異なる場合がある。本実施形態の大当り当選確率は、低確率状態では約１／３９７で、高確率状態ではそれよりも１０倍程度上昇した約１／３９．７で大当りに当選するようになっており、小当りの当選確率は、大当り抽選確率状態にかかわらず、約１／２００となっている。つまり、小当りの当選確率は大当り抽選確率状態にかかわらず一定であり、この点、大当り抽選確率状態により当選確率が変動する上記の大当りと性格を異にする。
【０２１１】
この当落抽選（先読み当落判定）により、「大当り」当選となった場合には大当り判定フラグが「５ＡＨ（大当り判定フラグがＯＮ状態）」に設定され、それ以外の判定値に属する場合には「大当り非当選（大当り判定フラグがＯＦＦ状態）」となる。また「小当り」当選となった場合には小当り判定フラグが「５ＡＨ（小当り判定フラグがＯＮ状態）」に設定され、それ以外の判定値に属する場合には「小当り非当選（小当り判定フラグがＯＦＦ状態）」となる。したがって大当り判定用乱数値が、大当り判定フラグ「００Ｈ」、かつ小当り判定「００Ｈ」となる判定値に属する場合、「大当り」および「小当り」のいずれにも当選しなかったことになり、今回の当落判定結果は‘ハズレ（大当り判定フラグおよび小当り判定フラグがＯＦＦ状態）’となる。
【０２１２】
なお特別図柄変動表示ゲーム２による当落抽選（特図２始動口チェック処理中のステップＳ３３７（図１１参照））では、別途設けた上記「特図２用当り乱数判定テーブル」を利用した抽選が行われる。本実施形態の特図２用当り乱数判定テーブルにおいては、大当り当選の判定領域は同じ（大当りの当選確率は同じ）であるが、小当り当選となる判定値自体を定めていない。すなわち、特別図柄変動表示ゲーム１では、大当り、小当り、およびハズレが当落抽選対象とされるが、特別図柄変動表示ゲーム２では、大当りとハズレだけが当落抽選対象とされる。勿論、特図２用当り乱数判定テーブルについても、小当りを当落抽選対象として定めても良い。
【０２１３】
上記したステップＳ３１７の乱数判定処理を終えると、次いで、特別停止図柄データ作成処理を行う（ステップＳ３１８）。この特別停止図柄データ作成処理は、‘先読み判定’処理の一環として行われるものであり、ここでは、今回の作動保留球に係る「図柄抽選」を事前に判定する‘先読み図柄判定’を行う。具体的には、今回の作動保留球が変動表示動作に供されるときに実行される「特別停止図柄作成処理（後述の図１１のＳ４１０参照）」の抽選結果（変動開始時の図柄抽選結果）を先読み判定する。なお上記乱数判定処理（ステップＳ３１７）〜特別停止図柄データ作成処理（ステップＳ３１８）が‘先読み当り判定’に係る処理となる。
【０２１４】
ステップＳ３１８の特別停止図柄データ作成処理に入ると、まずステップＳ３１７の乱数判定処理で得られた当落抽選結果を取得し、この当落抽選結果（大当り、小当り、ハズレの別）に応じて、大当り図柄テーブル、小当り図柄テーブル、またはハズレ図柄テーブルのいずれかを選択する。そして、ステップＳ３１４で取得した特別図柄判定用乱数値を取得して、選択した図柄テーブルと特別図柄判定用乱数値とに基づき、今回の作動保留球を対象とした先読み図柄判定（当り（当選）種別の先読み判定）を行う。
【０２１５】
（Ｔ−２.図柄テーブル）
上記の各図柄テーブルには、「特別図柄判定用乱数値（特別図柄判定用乱数値の大きさ：２００）」と、当選種別を決定するための判定領域（判定値）とが関連付けて定められており、具体的には、特別図柄判定用乱数値がいずれの判定値に属するか否かにより、当選種別を識別するための特別図柄判定データおよび特別停止図柄番号が決定されるようになっている。
【０２１６】
ここで「特別図柄判定データ」とは当選種別（当選の種類：大当り種別、小当り種別、およびハズレ種別）を識別するデータであり、つまり２Ｒ短開放潜確大当り、１２Ｒ長開放確変大当り、１２Ｒ長開放非確変大当り、１６Ｒ長開放確変大当り、小当りＡ〜Ｃ、ハズレＡ〜Ｂのいずれに当選したのかを識別するためのデータである。この特別図柄判定データは、当選種別情報が必要とされる処理（たとえば、後述の図１２のステップＳ４１１の遊技状態移行準備処理、ステップＳ４１２の特別図柄変動パターン作成処理、大当り遊技の実行制御に関する処理（図６の特別電動役物管理処理（ステップＳ０６０）など）において利用されるデータである。また上記の「特別停止図柄番号」とは、特別図柄表示装置に停止表示する特別停止図柄態様を指定するデータであり、主制御部２０側において特別図柄の停止図柄種を特定する際に利用される。
【０２１７】
（Ｔ−２−１.大当り図柄テーブル）
本実施形態の大当り図柄テーブルには、特別図柄変動表示ゲーム１に係る特図１用の「大当り図柄テーブル１」と特別図柄変動表示ゲーム２に係る特図２用の「大当り図柄テーブル２」とが含まれる。各大当り図柄テーブルには、特別図柄判定用乱数値と、大当り種別を決定するための判定値とが関連付けて定められており、具体的には、特別図柄判定用乱数値がいずれの判定値に属するか否かにより、複数種類の大当りのうちからいずれか一つの大当りが決定されるようになっている。
【０２１８】
上記大当り図柄テーブル１では、たとえば、特別図柄判定用乱数値が判定値０〜８０の範囲に属する場合には「２Ｒ短開放潜確大当り」当選となり（図柄選択（抽選）率：８０／２００）、判定値８０〜１１９の範囲に属する場合は「１２Ｒ長開放非確変大当り」当選となり（図柄選択率：４０／２００）、判定値１２０〜１７９の範囲に属する場合には「１２Ｒ長開放確変大当り」当選となり（図柄選択率：６０／２００）、判定値１８０〜１９９の範囲に属する場合には「１６Ｒ長開放確変大当り」当選となり（図柄選択率：２０／２００）、複数種類の大当りのうちからいずれか一つの大当りが、所定の図柄選択率で決定される。
【０２１９】
また上記大当り図柄テーブル２は、上述の大当り図柄テーブル１と基本的な構成は同じであるが、大当り図柄テーブル１と次の点が異なる。大当り図柄テーブル２では、大当り図柄テーブル１と比較し、特定の大当りの図柄選択率（図柄抽選確率）が異なる。具体的には、特別図柄判定用乱数値が判定値０〜４０の範囲に属する場合には「１２Ｒ長開放非確変大当り」当選となり（図柄選択率：４０／２００）、判定値４１〜８０の範囲に属する場合には「１２Ｒ長開放非確変大当り」当選となり（図柄選択率：４０／２００）、判定値８０〜１９９の範囲に属する場合には「１６Ｒ長開放確変大当り」当選となり（図柄選択率：１２０／２００）、「２Ｒ短開放潜確大当り」が当選となる判定値が存在しない構成としてある。つまり、大当り図柄テーブル１による図柄抽選よりも大当り図柄テーブル２による図柄抽選の方が相対的に高い利益の大当りの種類が選択される確率が高く、遊技者にとって有利な図柄抽選となっている。これにより、特別図柄変動表示ゲーム１よりも特別図柄変動表示ゲーム２の抽選を受ける方が遊技者にとって有利なゲーム展開とされる。
【０２２０】
（Ｔ−２−２.小当り図柄テーブル）
本実施形態の小当り図柄テーブルは、特別図柄変動表示ゲーム１と特別図柄変動表示ゲーム２とで兼用され、上記の大当り図柄テーブルの構成と同じように、特別図柄判定用乱数値がいずれかの判定領域（判定値）に属するか否かにより、小当り種別（小当りＡ〜Ｃのいずれか）所定の図柄選択率で決定され、またこれに対応する特別図柄判定データが決定されるようになっている。なお小当りＡ〜Ｃの図柄選択率は、自由に設定することができるが、図柄選択確率の関係が「小当りＡ＜小当りＢ≦（または＜）小当りＣ」の関係であることが好ましい。その理由は、小当りＡが最もＣＺ継続回数が少ない１回に設定され、ＣＺ期間が最も短くなることから、たとえＣＺに移行しても潜確状態への緊張感がすぐに終ってしまうからである。このような小当りＡを最も高い図柄選択率とするよりも、潜確状態が確定しうるＣＺ継続回数４回に近い回数が設定される、小当りＢや小当りＣの図柄選択率を高める方が、潜確状態への緊張感を持続させる上で効果的だからである。
【０２２１】
（Ｔ−２−３.ハズレ図柄テーブル）
本実施形態のハズレ図柄テーブルには、特別図柄変動表示ゲーム１に係る特図１用の「ハズレ図柄テーブル１」と、特別図柄変動表示ゲーム２に係る特図２用の「ハズレ図柄テーブル２」とが含まれる。
【０２２２】
上記ハズレ図柄テーブル１、２は、上記の大当り図柄テーブルや小当りテーブルの構成と同じように、特別図柄判定用乱数値がいずれかの判定領域（判定値）に属するか否かにより、ハズレ種別（ハズレＡまたはハズレＢのいずれか）が所定の図柄選択率で決定され、またこれに対応する特別図柄判定データが決定されるようになっている。なお、ハズレ図柄テーブル１とハズレ図柄テーブル２とは、ハズレＡ〜Ｂの当選に係る判定値が異なっており、したがって特別図柄判定用乱数値が同じ値であっても、ハズレ図柄テーブル１が参照される場合と、ハズレ図柄テーブル２が参照される場合とでは、当選となるハズレ種別が異なる場合がある。本実施形態では、ハズレＡの当選確率よりもハズレＢの当選確率の方が低く定められている。
【０２２３】
上記したステップＳ３１８の特別停止図柄データ作成処理を終えると、次いで、ステップＳ３１９の始動口入賞時乱数判定処理を行う。この始動口入賞時乱数判定処理も、上記乱数判定処理（ステップＳ３１７）や特別停止図柄データ作成処理（ステップＳ３１８）と同じく、‘先読み判定’処理の一環として行われるものであり、ここでは、今回の作動保留球に係る変動開始時の変動パターンを先読みする‘先読み変動パターン判定’を行う。具体的には、今回の作動保留球が変動表示動作に供されるときに実行される「特別図柄変動パターン作成処理（後述の図１２のＳ４１２参照）」の結果（変動開始時の変動パターン内容）を先読み判定する。
【０２２４】
上記始動口入賞時乱数判定処理に入ると、ステップＳ３１７の乱数判定処理で得られた当落抽選結果と、ステップＳ３１８の特別停止図柄データ作成処理で得られた図柄抽選結果と、変動パターン用乱数とを利用し変動開始時の変動パターンの先読み判定を行い、その判定結果に基づいて、後述の「保留加算コマンド」の作成に利用される入賞コマンドデータ（２バイト目（ＥＶＥＮＴ）：下位バイト）の作成処理を行う。この始動口入賞時乱数判定処理において決定される入賞コマンドデータ（ＥＶＥＮＴ）により、先読み変動パターン（作動保留球数情報は除く）の内容が指定される。
【０２２５】
ステップＳ３１９の始動口入賞時乱数判定処理を終えると、先読み判定時の作動保留球数を指定する上位バイト（ＭＯＤＥ）側の入賞コマンドデータと、先読み変動パターンを指定する下位バイト（ＥＶＥＮＴ）側の入賞コマンドデータとから構成される「保留加算コマンド（後述の図２９参照）」を作成し（ステップＳ３２０）、演出制御部２４に送信する（ステップＳ３２１）。これにより、特図１始動口チェック処理を抜けて、続いて、図１１の特図２始動口チェック処理（ステップＳ３０２）を行う。なお上記保留加算コマンドは、具体的には、作動保留球数と特別図柄種別（特別図柄１、特別図柄２）とに応じて作成され、先読み判定時の作動保留球数およびその特別図柄種別を指定する上位バイト（ＭＯＤＥ）側の入賞コマンドデータと、先読み変動パターン種別を指定する下位バイト（ＥＶＥＮＴ）側の入賞コマンドデータとから構成される。
【０２２６】
上記「保留加算コマンド」には、主として、作動保留球数に関する情報と、先読み変動パターン種別に関する情報とが含まれる。また本実施形態では、特別図柄種が複数種類（特別図柄１と特別図柄２）あるので、この特別図柄種別に関する情報も含まれる。斯様な保留加算コマンドにより、今回の保留記憶ついて、いずれの特別図柄側であるのか、何個目の作動保留球であるのか、先読み判定結果はどのような変動パターンであるのか等について演出制御部２４側において特定可能となる。なお、先読み変動パターン種別に関する情報は、演出制御部２４側において先読み演出抽選をする契機に利用され、作動保留球数に関する情報と特別図柄種別に関する情報は、図５に保留表示領域７６、７７として示すように、特別図柄１側と特別図柄２側に区別して作動保留球数を表示するのに利用される。
【０２２７】
（保留加算コマンドの変形例）
上記したように、保留加算コマンドには複数種類の情報が含まれている。本実施形態では、単一の保留加算コマンドを作成してこれを演出制御部２４側に送信する形態としているが、これに限らず、次のような形態の保留加算コマンドとすることができる。
【０２２８】
保留加算コマンドを複数種類の制御コマンドに分け、これらを順次送信可能な構成とすることができる。複数種類の制御コマンドとしては、たとえば、作動保留球数に関する情報を含む制御コマンド（保留記憶された保留球数に関する情報を含む第２の制御コマンド）と、先読み変動パターン種別に関する情報を含む制御コマンド（先読み判定結果に関する情報を含む第１の制御コマンド）とすることができる。
【０２２９】
また、特別図柄種別情報を含ませる場合には、作動保留球数に関する情報および特別図柄種別（特別図柄１、特別図柄２）に関する情報を含む制御コマンドと、先読み変動パターン種別に関する情報を含む制御コマンドとするか、または、作動保留球数に関する情報を含む制御コマンドと、特別図柄種別（特別図柄１、特別図柄２）に関する情報および先読み変動パターン種別に関する情報を含む制御コマンドとすることができる。
【０２３０】
また作動保留球数に関する情報を含む制御コマンドと、特別図柄種別（特別図柄１、特別図柄２）に関する情報を含む制御コマンドと、先読み変動パターン種別に関する情報を含む制御コマンドとすることができる。
【０２３１】
本実施形態では、演出制御コマンドに複数種類の情報を含ませて演出制御部２４に送信する場合、それら情報を単一の演出制御コマンドに含ませて演出制御部２４に送信する構成としているがこれに限らず、一の情報を含む演出制御コマンドと、他の情報を含む演出制御コマンドとに分けて、単一の演出制御コマンドが有する情報を、上述のように、複数の演出制御コマンドに分担させる形態で演出制御部２４に送信する構成としても良い。
【０２３２】
（保留加算コマンド一覧：図２９）
図２９に保留加算コマンドを例示する。なお図示では、保留加算コマンドとして、通常中に利用される保留加算コマンドを代表的に例示し、他の保留加算コマンドについては、説明の便宜上、重複記載を避けるために省略する。
【０２３３】
保留加算コマンドは、２バイトの制御データで構成される。具体的には、図２９に示すように、作動保留球数と特別図柄種別（特別図柄１および特別図柄２）とに応じて作成される上位バイト（１バイト目（ＭＯＤＥ）データ：「ＢＸＨ」（ＢＸＨはＢ５Ｈ〜ＢＥＨ））と、そしてステップＳ３１９の始動口入賞時乱数判定処理で作成される下位バイト（２バイト目（ＥＶＥＮＴ）データ：「ＸＸＨ」（ＸＸはコマンドごとに対応する数値：００Ｈ〜１１Ｈ））とから構成される。
【０２３４】
上位バイト（ＭＯＤＥ）データＢ５Ｈ〜ＢＥＨは先読み判定時の作動保留球数を指定するもので、このうち「Ｂ６Ｈ〜Ｂ９Ｈ」は特別図柄１の作動保留球数１〜４個の指定にそれぞれ対応し、「ＢＢＨ〜ＢＥＨ」は特別図柄２の作動保留球数１〜４個の指定にそれぞれ対応する。また下位バイト（ＥＶＥＮＴ）データ００Ｈ〜１１Ｈのうち、００Ｈ〜０ＡＨはハズレの先読み変動パターン種別Ｘ１〜Ｘ１１の指定に対応し、０ＢＨ〜１１Ｈは当りの先読み変動パターン種別Ｙ１〜Ｙ７の指定に対応する。
【０２３５】
したがって、この保留加算コマンドには、先読み判定に関する一連の処理（ステップＳ３１５〜Ｓ３１７）において得られた先読み判定結果情報、具体的には、先読み変動パターンを特定しうる情報が含まれる。ただし、下位バイト（ＥＶＥＮＴ）値が「０１Ｈ」の場合は、先読み禁止が指定される。
【０２３６】
なお上記した保留加算コマンドを、複数種類の制御コマンドに分担させる形態（上記変形例）とする場合には、図示の保留加算コマンドデータ値を適宜変更して各制御コマンドに分担させるように構成した２バイト構成の制御コマンドとし、先読み判定時の作動保留球数情報や先読み変動パターン情報を特定可能に構成すれば良い。
【０２３７】
上記保留加算コマンドが主制御部２０から送信されると、これを受けた演出制御部２４は、その保留加算コマンドに含まれる情報に基づく先読み予告演出の現出に関する抽選（先読み予告抽選）を行い、先読み予告演出を現出する場合、図柄変動表示ゲームの開始とともに、またはそのゲーム中の所定のタイミングで、今回の作動保留球を対象とする先読み予告演出を現出させる。また演出制御部２４は、保留加算コマンドを受けた場合、始動口に入賞があった旨を報知する「入賞演出」を現出させることができる。
【０２３８】
なお、作動保留球数が４以上の場合に新たな入賞があった場合にもオーバーフロー（ｏｖｅｒｆｌｏｗ）入賞時の保留加算コマンド（以下、「ＯＦ保留加算コマンド」と略す）が作成され、演出制御部２４に送信されるようになっている。このＯＦ保留加算コマンドも、２バイトから構成され、上位バイト目（ＭＯＤＥ）は「Ｂ５Ｈ（特別図柄１に対応）」または「ＢＡＨ（特別図柄２に対応）」であり、下位バイト（ＥＶＥＮＴ）はオーバーフロー入賞を指定する「００Ｈ」となっている。
【０２３９】
また上記ＯＦ保留加算コマンドは、先読み判定には利用されずに、専ら上述の「入賞演出」に利用されるものであるが、以下のような演出を現出させるように構成してもよい。たとえば、演出制御部２４が上記ＯＦ保留加算コマンドを受信した場合において、現在の作動保留球の中に「大当り（小当りを含んでも良い）」となるものが存在している場合、その旨を報知する予告演出（ＯＦ入賞時保留内予告演出）を現出可能に構成しても良い。この場合、演出制御部２４は、保留加算コマンドを受信した場合、これに含まれる先読み判定情報を記憶する先読み判定情報記憶手段と、ＯＦ保留加算コマンドを受信した場合、現在の作動保留球の中に「大当り（小当りを含んでも良い）」となるものが存在していることを条件に、大当りの可能性や上記ＣＺ突入の可能性（２Ｒ短開放潜確大当り当選または小当り当選）がある旨を報知する（所定の報知抽選により報知するか否かを決定しても良い）保留内予告演出手段と、を含むことができる。斯様な予告演出は、オーバーフロー入賞の発生を契機に現出される入賞演出に準ずるものであるが、未だ最終結果が導出されていない図柄変動表示ゲームの結果を先読み的に報知するという点で、先読み予告演出と同じ役割を果たす。
【０２４０】
（８−２．特図２始動口チェック処理：図１１）
次、特図２始動口チェック処理（図９のステップＳ３０２）について説明する。図１１は、特図２始動口チェック処理の詳細を示すフローチャートである。
【０２４１】
上記特図２始動口チェック処理は、特図１始動口チェック処理と同じく、所定の始動条件の成立に基づいて実行される入賞時処理としての役割を果たし、ここでは、特別図柄変動表示ゲーム２を実行させるための開始前処理として、先に述べた特図１始動口チェック処理の流れと同じように、作動保留球数の加算処理、各種乱数の記憶処理、保留加算コマンドの作成処理などの処理が行われる。以下、上記特図１始動口チェック処理（ステップＳ３０１）と同じ処理内容については、重複記載を避けるために適宜省略して説明する。
【０２４２】
図１１において、ＣＰＵ２０１は、まず下始動口３５において入賞（入賞球）を検出したか否かを判定する（ステップＳ３３１）。
【０２４３】
下始動口３５の入賞検出がなかった場合は（ステップＳ３３１：ＮＯ）、何もしないで特図２始動口チェック処理を抜ける。しかし下始動口３５の入賞を検出した場合は（ステップＳ３３１：ＹＥＳ）、特別図柄２の作動保留球数が４以上であるか否か判定する（ステップＳ３３２）。
【０２４４】
特図２作動保留球数が４以上である場合（ステップＳ３３２：ＹＥＳ）、ステップＳ３４５に進む。一方、特図２作動保留球数が４以上でない場合、つまり４未満の場合は（ステップＳ３１２：ＮＯ）、特図２作動保留球数を１加算（＋１）し（ステップＳ３３３）、ステップＳ３３４の処理に進む。
【０２４５】
ステップＳ３３４の処理に進むと、今回発生した特図２作動保留球に係る特別図柄変動表示ゲーム２に利用される各種乱数（大当り判定用乱数、特別図柄判定用乱数、および変動パターン用乱数）の乱数カウンタの現在値を取得し、それぞれＲＡＭ２０３の保留記憶エリアに格納する（ステップＳ３３４）。この処理は、図１０のステップＳ３１４の処理の仕方と同じである。この特図２作動保留球は、特別図柄２の変動表示動作に供されるまで、最大保留記憶数を所定の上限値として、始動条件の成立順に保留記憶される。
【０２４６】
次いで、入賞コマンドデータとして、先読み判定を禁止する先読み禁止データ（下位バイト「０１Ｈ」）を取得し（ステップＳ３３５）、「特図２先読み禁止条件」が成立しているか否かを判定する（ステップＳ３３６）。上記「特図２先読み禁止条件」とは、特図２作動保留球を対象とした先読み判定を禁止するための条件である。
【０２４７】
上記特図２先読み禁止条件が成立している場合（ステップＳ３３６：ＹＥＳ）、今回の特図２作動保留球を対象とした先読み判定が実行されず、これにより、先読み予告演出も実行されないことになる（ステップＳ３３６：ＹＥＳの処理ルート）。本実施形態では、現在の遊技状態に基づき、先読み禁止か否かを判定するようになっている。具体的には、‘電サポ無し状態を伴う遊技状態’を伴う遊技状態中である場合、つまり内部遊技状態が、通常遊技状態中または潜確状態中である場合は、特別図柄２側の先読み判定を禁止する。このように、電サポ無し状態を伴う遊技状態中である場合に特別図柄２側の先読み判定を禁止する理由は、次の通りである。
【０２４８】
「通常遊技状態」または「潜確状態」であるならば、‘電サポ無し状態’下に置かれ、下始動口３５の入賞率が著しく低下する。また既に説明したように、本実施形態では、上記電サポ無し状態中に遊技者が普通図柄始動口３７側に発射位置を狙い定めた場合、左流下経路３ｂを遊技球が通過するように狙いを定めた場合よりも上始動口３４の入賞率が著しく低下してしまう、といった遊技者にとって不利益をもたらす遊技性となっている。このため、電サポ無し状態中に遊技者が普通図柄始動口３７側に発射位置を狙い定めることはないものと推定される。したがって、電サポ無し状態中においては、特図２作動保留球を対象とした先読み予告演出を発生させる必要性に乏しく、また発生率の低い特図２作動保留球を対象として先読み判定を一々行うようにすると、制御負担が増大してしまうといった問題が生じるからである。
【０２４９】
なお本実施形態では、遊技状態に応じて、特別図柄１側の先読み禁止区間（先読み禁止状態の期間）と特別図柄２側の先読み禁止区間とを切り替え可能に構成されているが、本発明はこれに限られない。たとえば、遊技状態に応じて、特別図柄１側および特別図柄２側のいずれか一方の先読み判定は一切実施しないという構成としても良い。特にＣＺ中において、先読み判定を一切実施しない構成としても良い。ＣＺ中においては、これに対応する専用のＣＺ演出モード下でなされる演出により、遊技者の潜確状態の期待感を煽るようになっている。またＣＺ期間も比較的短期間である。このため、先読み予告演出を現出させない構成としても良い。
【０２５０】
再びステップＳ３３６の説明に戻り、特図２先読み禁止条件が成立している場合には（ステップＳ３３６：ＹＥＳ）、ステップＳ３４０の処理に進む。しかし特図２先読み禁止条件が成立していない場合には（ステップＳ３３６：ＮＯ）、ステップＳ３３７の処理に進み、乱数判定処理を行う（ステップＳ３３７）。この乱数判定処理では、特別図柄変動表示ゲーム２に係る「先読み当落判定」が行われる。また基本的な処理の仕方は、図１０の特図１始動口チェック処理中のステップＳ３１７の乱数判定処理と同じである。
【０２５１】
ステップＳ３３７の乱数判定処理を終えると、次いで、特別停止図柄データ作成処理を行う（ステップＳ３３８）。この特別停止図柄データ作成処理では、特別図柄変動表示ゲーム２に係る「先読み図柄判定」が行われる。また基本的な処理の仕方は、図１０の特図１始動口チェック処理中のステップＳ３１８の特別停止図柄データ作成処理と同じである。
【０２５２】
次いで、特図１始動口チェック処理中と同様の始動口入賞時乱数判定処理を行い（ステップＳ３３９）、入賞コマンドデータと作動保留球数に基づき、図２９の保留加算コマンド（ＭＯＤＥデータがＢＡＨ〜ＢＥＨ、ＥＶＥＮＴデータが００Ｈ〜１１Ｈ）を作成し（ステップＳ３４０）、作成した保留加算コマンドを演出制御部２４に送信して（ステップＳ３４１）、特図２始動口チェック処理を抜ける。
【０２５３】
（８−３．特別図柄変動開始処理：図１１）
次に、特別図柄変動開始処理（ステップＳ３０５）について説明する。図１１は、図９の特別図柄変動開始処理の詳細を示すフローチャートである。
【０２５４】
図１１において、ＣＰＵ２０１は、まず特図２作動保留球数がゼロか否かを判定し（ステップＳ４０１）、特図２作動保留球数がゼロでない場合には（ステップＳ４０１：ＮＯ）は、ステップＳ４０３の処理に進み、今回の変動表示に供する作動保留球を対象とした変動開始時の処理（ステップＳ４０３〜Ｓ４１６）を行う。一方、特図２作動保留球数がゼロの場合には（ステップＳ４０１：ＹＥＳ）、続いて特図１作動保留球数がゼロか否かを判定し（ステップＳ４０２）、特図１作動保留球数がゼロでない場合には（ステップＳ４０２：ＮＯ）は、ステップＳ４０３の処理に進み、今回の変動表示に供する作動保留球を対象とした特別図柄の変動開始に係る処理（ステップＳ４０３〜Ｓ４１６）を行う。このステップＳ４０１とＳ４０２の処理により、特図１作動保留球と特図２作動保留球のどちらを優先的に変動表示動作に供するか（どちらの作動保留球を消化していくか）の「優先変動順位」が定まる。ステップＳ４０１とＳ４０２の処理は、特図１作動保留球と特図２作動保留球の双方に作動保留球が存在する場合、特図２作動保留球を優先的に消化させる「優先変動手段」として機能する。
【０２５５】
本実施形態では、上記優先変動手段により、特図１作動保留球と特図２作動保留球の双方に作動保留球が存在する場合、特図２作動保留球が優先的に消化される、つまり特別図柄変動表示ゲーム１よりも特別図柄変動表示ゲーム２の方が優先的に実行されるようになっている。より詳しくは、特別図柄１または特別図柄２が停止表示されたことを条件に、上記第１の保留記憶エリア（第１の保留記憶手段（特別図柄１側の作動保留球に係る保留記憶エリア））に特別図柄１に関する保留データ（第１の保留記憶：特図１作動保留球）が記憶されており上記第２の保留記憶エリア（第２の保留記憶手段（特別図柄２側の作動保留球に係る保留記憶エリア））に特別図柄２に関する第２の保留データ（第２の保留記憶：特図２作動保留球）が記憶されていない場合には、当該第１の保留データのうちの最も先に記憶された保留データに基づく第１の特別図柄の変動表示を開始させる一方、当該第２の保留記憶エリアに当該第２の保留データが記憶されている場合には、その第１の保留記憶エリアに上記第１の保留データが記憶されているか否かにかかわらず、当該第２の保留データのうち最も先に記憶された保留データに基づく当該第２の特別図柄の変動表示を開始させるようになっている。
【０２５６】
なお特図２作動保留球数と特図１作動保留球数の双方の作動保留球数がゼロである場合（ステップＳ４０１：ＹＥＳ、かつステップＳ４０２：ＹＥＳ）、「作動保留球なし」の状態となる。この「作動保留球なし」の状態は、特別図柄が待機中であり、かつ保留記憶無しの状態となった場合であり、この状態に突入したことを演出制御部２４側に知らせて、デモ画面表示に切り替え制御させる。そこで、「作動保留球なし」になった場合は、ステップＳ４１７に進み、特別図柄動作ステータスが「待機中（００Ｈ）」であるか否かを判定する。この「待機中（００Ｈ）」は、上記「作動保留球なし」の状態を示す動作ステータスである。初めてステップ４１７の判定処理を通過する場合には、特別図柄動作ステータスが「待機中（０１Ｈ）」となっている（後述の図２４Ａの特別図柄確認時間中処理中のステップＳ４７２参照）。この「待機中（０１Ｈ）」の場合には、ステップ４１８の処理に進み、特別図柄動作ステータスを「待機中（００Ｈ）」に切り替え（特別図柄動作ステータスに００Ｈを格納：ステップＳ４１８）、演出制御コマンドとして、デモ画面を表示させるための「デモ表示コマンド」を演出制御部２４に送信して（ステップＳ４１９）、特別図柄変動開始処理を抜ける。演出制御部２４は、上記デモ表示コマンドを受けてから所定時間経過しても図柄変動表示ゲームに係る演出制御コマンド（たとえば、保留加算コマンド）を受けない場合、変動表示動作が一定時間行われない状態（客待ち待機状態）が発生したとみなし、液晶表示装置３６において、遊技待機状態中を報知する「デモ画面表示」を行うこととしている。
【０２５７】
特図１作動保留球数または特図２作動保留球数がゼロでない場合は（ステップＳ４０１：ＮＯまたはＳ４０２：ＮＯ）、今回の変動表示に供する作動保留球を対象とした特別図柄の変動開始に係る処理（ステップＳ４０３〜Ｓ４１７）を行っていく。なお、以下に説明するステップＳ４０３〜Ｓ４１７の処理については、上記のステップＳ４０１の判定で‘ＮＯ’であった場合は特図２作動保留球を対象とした処理、上記のステップＳ４０２の判定で‘ＮＯ’であった場合は特図１作動保留球を対象とした処理となるが、処理の仕方は同じであるため、重複記載を避けるために特に必要が無い限り、特別図柄１側の作動保留球を対象とした処理なのか、特別図柄２側の作動保留球を対象とする処理なのかという区別をせずに説明していく。
【０２５８】
ステップＳ４０３に進むと、作動保留球数を１減算し（今回の変動表示動作に供する特別図柄側に係る作動保留球数−１：ステップＳ４０３）、減算後の作動保留球数情報を含む制御コマンドを「保留減算コマンド」（図３０）として作成し、これを演出制御部２４に送信する（ステップＳ４０４）。
【０２５９】
（保留減算コマンド：図３０）
図３０は、保留減算コマンドの一覧を示したものである。この保留減算コマンドも２バイトの制御データで構成される。具体的には、特別図柄種別（特別図柄１および特別図柄２）に応じて作成される上位バイト（ＭＯＤＥ）データ：「Ｂ０Ｈ」〜「Ｂ１Ｈ」（「Ｂ０Ｈ」は特別図柄１の保留球数減算指定、「Ｂ１Ｈ」は特別図柄２の保留球数減算指定）と、そして下位バイト（ＥＶＥＮＴ）データ：「ＸＸＨ」（ＸＸはコマンドごとに対応する数値：０１Ｈ〜０５Ｈ）とから構成される。ＭＯＤＥデータの「Ｂ０Ｈ」（特別図柄１の保留球数減算指定）と「Ｂ１Ｈ」（特別図柄２の保留球数減算指定）のそれぞれにＥＶＥＮＴデータの０１Ｈ〜０５Ｈが対応する。このＥＶＥＮＴデータの「０１Ｈ〜０５Ｈ」は作動保留球数０〜４個の指定にそれぞれ対応する。なお、「０５Ｈ」（保留記憶個数が４個を指定するもの）は電源投入時にセットする場合に使用されるものであり、この実施形態では使用されない。したがってＥＶＥＮＴデータが「０５Ｈ」の保留減算コマンドは送信されない。
【０２６０】
次いで、特別図柄作動確認データを格納する（ステップＳ４０５）。この特別図柄作動確認データは、今回の変動開始側の特別図柄種別を指定する情報であり、たとえば、特別図柄１が変動開始側であるならば「００Ｈ」を、特別図柄２が変動開始側であるならば「０１Ｈ」を特別図柄作動確認データに格納する。
【０２６１】
次いで、ＲＡＭ２０３の保留記憶エリアに格納されている保留データをシフトして（ステップＳ４０６）、保留４記憶エリアをゼロクリアする（ステップＳ４０７）。このステップＳ４０６〜Ｓ４０７の処理では、保留記憶数ｎ＝１に対応する保留記憶エリア（保留１記憶エリア）に格納されている保留データ（大当り判定用乱数、特別図柄判定用乱数、変動パターン用乱数）を読み出し、ＲＡＭ２０３の判定用乱数記憶エリアに格納するとともに、保留ｎ記憶エリア（ｎ＝２、３、４）に対応する保留記憶エリア（保留２記憶エリア、保留３記憶エリア、保留４記憶エリア）に格納されている保留データを、それぞれ‘ｎ−１’に対応する保留記憶エリアに格納し（ステップＳ４０６）、保留４記憶エリアをクリアする（ステップＳ４０７）。つまり、保留１記憶エリアの保留データを判定用乱数記憶エリアにシフトするとともに、保留２記憶エリア以降の保留データを１つずつ下位側の番号（保留２記憶エリア→保留１記憶エリア、保留３記憶エリア→保留２記憶エリア、保留４記憶エリア→保留３記憶エリア）にそれぞれシフトして上書きし、保留４記憶エリアに空き領域を設ける（新たな作動保留球が発生しない場合は、ステップＳ４０７の処理を行うごとに空き領域が順次シフトされていくので、全作動保留球消化時には、全保留記憶エリアが空き領域となる）。これにより、特別図柄変動表示ゲームの開始順番は、作動保留球数ｎ（ｎ＝１、２、３、４）の順番と一致し、始動口入賞時に取得された作動保留球がいずれの保留記憶エリアに対応するものであるかが特定されるとともに、新たな作動保留球の保留記憶が可能になる。
【０２６２】
次いで、残り時短回数コマンド送信処理を行う（ステップＳ４０８）。ここでは、後述の特別図柄時短回数カウンタ（特別図柄時短状態が終了するまでの残り回数を計数するためのカウンタ）がゼロであるか否かを判定し、残りの時短回数がある場合は、その残り時短回数情報を含む「残り時短回数コマンド」を演出制御部２４に送信する（ステップＳ４０８）。この「残り時短回数コマンド」は、演出制御部２４側において、残りの時短回数情報を報知する際に利用される。
【０２６３】
次いで、特別電動役物作動判定用乱数判定処理を行う（ステップＳ４０９）。この特別電動役物作動判定用乱数判定処理では、大当り判定用乱数値を利用し、今回の特別図柄変動表示ゲームに係る「当落抽選」を行う。なお特別電動役物作動判定用乱数判定処理は、「当落抽選」を行うといった点において‘先読み判定’処理の一つである「乱数判定処理（図１０のステップＳ３１９、図１１のステップＳ３３９）」と同じような働きをする処理であるが、ここでは、今回の変動表示動作に供される作動保留球を対象とした‘変動開始時の判定’における「当落抽選」を行う。特別電動役物作動判定用乱数判定処理の処理手順は、乱数判定処理（図１０のステップＳ３１９、図１１のステップＳ３３９）と実施的に同じ処理手順であるので、重複記載を避けるために適宜省略して説明する。
【０２６４】
ここではまず、特別図柄作動確認データに基づき、今回の変動表示側に対応する当り乱数判定テーブルを取得する。この当り乱数判定テーブルは、乱数判定処理（図１０のステップＳ３１７、図１１のステップＳ３３７）で利用した当り乱数判定テーブルと同じものである。次いで、判定用乱数記憶エリアに格納された大当り判定用乱数値を取得し、大当り判定用乱数値と当り乱数判定テーブルとに基づく、大当り、小当り、およびハズレの別の当落抽選を行う。
【０２６５】
この当落抽選により、「大当り」当選となった場合には大当り判定フラグが「５ＡＨ」に設定され、それ以外の判定値に属する場合には「大当り非当選」となる。また「小当り」当選となった場合には小当り判定フラグが「５ＡＨ」となり、それ以外の判定値に属する場合には「小当り非当選」となる。したがって大当り判定用乱数値が、大当り判定フラグ「００Ｈ」、かつ小当り判定「００Ｈ」となる判定値に属する場合、「大当り」および「小当り」のいずれにも当選しなかったことになり、今回の当落判定結果は‘ハズレ’となる。
【０２６６】
ステップＳ４０９の特別電役物作動判定用乱数判定処理を終えると、次いで、特別停止図柄作成処理を行う（ステップＳ４１０）。この特別停止図柄作成処理では、ステップＳ４０９の特別電役物作動判定用乱数判定処理の当落抽選結果と特別図柄判定用乱数値を利用し、今回の特別図柄変動表示ゲームに係る「図柄抽選」を行う。なお特別停止図柄作成処理は、「図柄抽選」を行うといった点において‘先読み判定’処理の一つである「特別停止図柄データ処理（図１０のステップＳ３１８、図１１のステップＳ３３８）」と同じような働きをする処理であるが、ここでは、今回の変動表示動作に供される作動保留球を対象とした‘変動開始時の判定’における「図柄抽選」を行う。特別停止図柄作成処理の基本的な処理手順は、特別停止図柄データ処理（図１０のステップＳ３１８、図１１のステップＳ３３８）と同じであるので、重複記載を避けるために、適宜省略して説明する。
【０２６７】
ここではまず、特別図柄作動確認データとステップＳ４０９の特別電役物作動判定用乱数判定処理で得られた当落抽選結果（上記大当り判定フラグと小当り判定フラグ）と、を取得し、これらに基づき、今回の変動表示側に対応する図柄テーブルとして、大当り図柄テーブル１、２、小当り図柄テーブル、ハズレ図柄テーブル１、２のいずれかを選択する。この図柄テーブルは、特別停止図柄データ処理（図１０のステップＳ３１８、図１１のステップＳ３３８）で利用した図柄テーブルと同じものである。次いで、判定用乱数記憶エリアに格納された特別図柄判定用乱数値を取得し、上記選択した図柄テーブルと、特別図柄判定用乱数値とに基づき、今回の特別図柄変動表示ゲームに係る「図柄抽選」を行い、今回の特別図柄変動表示ゲームに係る当選種別を決定する。
【０２６８】
ステップＳ４１０の特別停止図柄作成処理を終えると、次いで、遊技状態移行準備処理を行う（ステップＳ４１１）。この遊技状態移行準備処理では、遊技状態を移行させるための設定として、当り遊技後の遊技状態を指定するために必要な設定処理を行う。なお、この遊技状態移行準備処理の詳細は図１３にて後述する。
【０２６９】
ステップＳ４１１の遊技状態移行準備処理を終えると、次いで、特別図柄変動パターン作成処理を行う（ステップＳ４１２）。この特別図柄変動パターン作成処理では、特別電動役物作動判定用乱数判定処理で得られた当落抽選結果、特別停止図柄作成処理の図柄抽選結果、および変動パターン用乱数などを利用し、今回の変動表示動作に供される作動保留球を対象とした特別図柄の変動パターンを決定する。そして、その変動パターンの内容を演出制御部２４側に知らせるべく、演出制御コマンドとして、その変動パターンの内容を特定可能な変動パターン情報を含む「変動パターン指定コマンド」を作成し、これを演出制御部２４側へと送信する。なお、特別図柄変動パターン作成処理は、特別図柄の変動パターンを決定するといった点において‘先読み判定’処理の一つである始動口入賞時乱数判定処理および保留加算コマンドに関する作成処理（図１０のステップＳ３１９〜Ｓ３２０、図１１のステップＳ３３９〜Ｓ３４０）と同じような働きをする処理であるが、ここでは、今回の変動表示動作に供される作動保留球を対象とした特別図柄の変動パターン、つまり変動開始時の変動パターンが決定される。
【０２７０】
ここではまず、変動パターン用乱数値を取得し、次いで、大当り抽選結果（当落抽選、図柄抽選）に基づき、下記の当り変動パターン振分テーブル（図３４）またはハズレ変動パターン振分テーブル（図３５）を取得する。そして、この変動パターン振分テーブルと変動パターン用乱数値と基づき、特別図柄の変動パターンを抽選により決定する。
【０２７１】
（Ｔ−３．変動パターン振分テーブル：図３４、図３５）
図３４に当り用変動パターン振分テーブルを、図３５にハズレ用変動パターン振分テーブルを示す。上記当り用変動パターン振分テーブルは、当り（大当りまたは小当り）に当選した場合に選択され、上記ハズレ用変動パターン振分テーブルは、ハズレに当選した場合に選択される変動パターン振分テーブルである。
【０２７２】
上記の変動パターン振分テーブルには、変動パターン振分指定番号（現在の遊技状態）、作動保留球数（ハズレ変動パターン振分テーブルの場合の図中の「保０」〜「保３」の表記は、今回変動表示動作に供される作動保留球を除く、残りの作動保留球数「０個」〜「３個」を示す）、大当り抽選結果（特別停止図柄作成処理（ステップＳ４１０）の図柄抽選結果）、および変動パターン用乱数値（乱数値の大きさ：２３９）などが関連付けて定められており、変動パターン用乱数による抽選により複数種類の変動パターンのうちからいずれかの変動パターンが選択されるようになっている。なお図３４および図３５では、説明の便宜上、変動パターンの「選択率（抽選確率）」を表記しているが、実際には、変動パターンを決定するための判定領域（判定値）が定められており、変動パターン用乱数値がいずれの判定値に属するのか否かにより、目的とする変動パターンが決定されるようになっている。
【０２７３】
このとき、変動時間決定テーブルも決定される。この「変動時間テーブル」には、各変動パターンに対応した変動時間（変動表示動作時間）が定められており、これにより、選択した変動パターンの変動時間が決定される。なお、この変動時間は、特別図柄変動表示ゲームと同調して実行される装飾図柄変動表示ゲームの遊技時間（装飾図柄の変動表示時間（演出時間））となる。
【０２７４】
このようにして決定された変動パターンに関する情報には、主に、当り・ハズレの別の当落抽選結果（詳細な図柄抽選結果情報は、装飾図柄指定コマンドに含まれる）、現在の遊技状態種別、変動時間、特定の予告演出の実行指定情報（リーチ演出種（Ｎリーチ、通常中ＳＰリーチ１〜７など）の指定情報、および疑似連回数の指定情報など）が含まれる。ＣＰＵ２０１は、その内容を特定可能とする「変動パターン指定コマンド」を作成し、これを演出制御部２４側へと送信し、演出制御部２４は、変動パターン指定コマンドに含まれる変動パターン情報に基づき、今回の図柄変動表示ゲーム中の演出を現出制御するようになっている。
【０２７５】
（ＣＺ中のハズレ変動パターンについて）
なお本実施形態において、ＣＺ中に選択されうるハズレ変動パターンは、作動保留球数（今回変動表示動作に供される作動保留球を除く、残りの作動保留球数（保０〜３個））にかかわらず、単一のハズレ変動パターン（ＣＺ用ハズレ変動）が選択される（図３５のハズレ用変動パターン振分テーブルの「ＣＺ（０１Ｈ）」の欄参照）。これにより、ＣＺ中に選択されるハズレ変動パターンは、作動保留球数によらず、同一の変動時間決定テーブルが選択されるので、その変動時間は同じ時間幅となる。このように、ＣＺ中に選択されるハズレ変動パターンを、作動保留球数によらず同一の変動時間とする理由は次の通りである。
【０２７６】
一般的に電サポ無し状態であっても、作動保留球数は比較的短時間で変化しうるものであり（一般的な弾球遊技機では、１回の図柄変動表示ゲーム中に、作動保留球数が１〜３個程度増加するものが多い）、これを利用して作動保留球数に応じた変動パターンを選択させるようにすれば、毎回の図柄変動表示ゲームごとに、演出時間（図柄変動表示ゲームの実行時間）に変化をもたらすことができ、多彩な演出を発生させることが可能である。そのような遊技状態として、たとえば「通常状態」や「時短状態」などがある（図３５参照）。
【０２７７】
しかし、作動保留球数に応じて図柄変動表示ゲームの演出時間が異なるようにしてしまうと、今回の図柄変動表示ゲームの演出時間と次回の図柄変動表示ゲームの演出時間とが異なる可能性が高く、短期間で図柄変動表示ゲームの演出時間が頻繁に変化して複数回の図柄変動表示ゲームに跨って、密接な関連性を持つ演出（たとえば、ストーリー仕立ての物語風の演出）を連続的に展開させていくのが困難になる。たとえば、ＣＺ演出モード下において、関連性を有した複数話のストーリー演出を含む物語風の演出を現出させる場合、すべてのストーリー演出の演出時間が同一であれば、これを連続的に展開させていくのは容易であるが（演出制御部２４側の演出の選択処理が容易になり演出制御負担が軽減される）、作動保留球数に応じて演出時間が変化してしまうと、ストーリーを展開する関係上、各ストーリー演出それぞれに対し、作動保留球数０〜３個に対応した多くの演出を設けなくてならず、さらに演出時間が異なる演出同士を関連性を有した表現とする必要があり、演出パターンの種類が増加し、演出制御部２４側における演出選択処理に係る演出制御負担が増大してしまう。
【０２７８】
また上記のような物語風の演出を現出させる場合、先読み予告演出を利用することも考えられるが、先読み予告演出は現存する作動保留球数を対象とする連続予告演出であるので、先読み予告演出の開始タイミングによっては、現存する作動保留記憶数がその都度異なり、上述と同じく短期間で図柄変動表示ゲームの演出時間が頻繁に変化して密接な関連性を持つ演出を連続的に展開させていくのが困難になると考えられる。また先読み予告演出は現存する作動保留球数を対象とする連続予告演出であるので、先読み予告演出の開始タイミングによっては、先読み予告演出の実行回数が毎回異なる可能性が高い。このため、本実施形態のように、ＣＺ演出モードの継続回数が長く続くほど潜確状態の期待感を高まるようにしたり、ＣＺ演出モードが所定回数継続した場合に潜確演出モードに移行させて潜確状態下である旨を確定的に報知したりする、といったことはできない。特にＣＺ演出モードは、大当り抽選確率を秘匿しうる演出をなす演出モードとして働くため、このような演出モードの下で、高確率状態の期待感を煽るような物語風の演出を展開可能とすることは、遊技の面白みを向上させる上で極めて有効である。なお上記の「物語風の演出」は、たとえば、敵と対峙しながら戦いを繰り広げるような「戦闘演出」や、昔話しや童話の内容を展開していくような「筋書き演出」、図柄変動表示ゲームの実行ごとに遊技者に所定の指令を与える「指令演出」など、特定の期間中（ＣＺ中）に展開されうる演出同士に何らかの関係性を有した表現がなされるものであれば特に限定されない。
【０２７９】
そこで本実施形態では、演出時間の長短が発生してしまうことを極力抑えるべく、作動保留球数に関係なく、変動時間が同一の変動パターンが選択されるような特定の遊技状態（ＣＺ）を設け、その特定の遊技状態が継続しうる変動回数を当選種別（２Ｒ短開放潜確大当り、小当りＡ〜Ｃ）に応じて固定的なものとし、上記物語風演出の展開を容易なものとして、演出制御負担を軽減することができるようにしている。
【０２８０】
また本実施形態では、既に説明したように、ＣＺ継続回数に応じて潜確状態移行の期待感を高めることができるようになっている。そして、その上限回数を最大保留記憶数の同じ値の４回に定めてある。その理由は、次の通りである。
【０２８１】
第１に、ＣＺ演出モードのような秘匿演出モードを長期間（たとえば、数十ゲーム間）継続させるようにした場合、遊技者は潜確状態でないこと確信できるまで（たとえば、秘匿演出モードが終了し、通常状態が確定的となる通常演出モードに移行するなど）、ゲーム数を長期間消化せざるをえない状況に置かれてしまい、遊技者にとり不利なゲーム展開となる。特に近年では、秘匿演出モードが長期間継続するような遊技機を敬遠する遊技者も多く、このため、秘匿演出モードの継続回数を比較的短いゲーム数に定めることが好ましい。
【０２８２】
第２に、ＣＺ演出モードのような秘匿演出モードの継続回数を定めるに際し、秘匿演出モード下でなす演出を先読み予告演出のような連続予告演出とすることが、遊技の面白みを向上させる上で効果的である。つまり秘匿演出モード下でなす演出が、あたかも先読み予告演出が如く装わせることが好ましいといえる。この点について説明すれば、次の通りである。
【０２８３】
先読み予告演出は、現存する作動保留球を対象とする連続予告演出であるので、その実行回数は、最大保留記憶数（４回）までが限界である。この点に着目し、遊技者に対して、ＣＺ演出モード下でなす演出が、恰も先読み予告演出が如く装わせるため、ＣＺ継続回数を最大保留記憶数の４回の範囲内に定めている。これは、多くの遊技者が作動保留球数を報知する保留表示を注視しながら遊技に興じている訳ではなく、保留表示よりも大きく見やすい位置に表示される予告演出を注視しながら遊技に興じている点、また上述したように、作動保留球数が１回の図柄変動表示ゲーム中の期間であっても１個〜３個程度増加し、作動保留球数が短期間で変化しうる（たとえば、ＣＺ突入時に作動保留球が１個であっても次ゲーム開始時点で作動保留球数が２〜４個に増加し可能性が高い）点などの理由からである。本実施形態では、ＣＺ継続回数を最大保留記憶数の範囲内にとどめることで、ＣＺ演出モード下でなす演出を、先読み予告演出（連続予告演出）の如く装わせることができるようになっている。
【０２８４】
このようにＣＺ演出モード下では、先読み予告演出（連続予告演出）の如く装わせる専用の演出が現出する。そこで当該ＣＺ演出モード下で新たな入賞に基づく保留記憶が発生し、これに基づいて先読み予告演出が発生すると、相互に矛盾や違和感をもたらす可能性がある。そこで、このような不都合を避けるべく、ＣＺ演出モード下で新たに発生した保留記憶につき、その保留記憶可能な上限である最大保留記憶数の４回だけは先読みを禁止するように構成して、ＣＺ演出モード下でなす演出と先読み演出予告との間に矛盾や違和感が発生しないようにすることが好ましい。
【０２８５】
（２Ｒ短開放潜確大当り当選・小当り当選時の当り変動パターンについて）
図３４に当り用変動パターン振分テーブルを参照して、本実施形態では、２Ｒ短開放潜確大当り当選した場合と小当りに当選した場合とで、同じ当り変動パターン（通常中２Ｒ潜確・小当り１、通常中２Ｒ潜確・小当り２、ＣＺ中２Ｒ潜確・小当り１、ＣＺ中２Ｒ潜確・小当り）が選択されるようになっている。これは、２Ｒ短開放潜確大当り当選した場合と小当りに当選した場合とで、同じ変動時間（演出時間）が決定されるようにし、演出選択する上で、どちらの当りに当選したかを不明確にさせる演出処理を行うためである。
【０２８６】
再び図１１の説明に戻り、ステップ４１２の特別図柄変動パターン作成処理を終えると、次いで、変動表示中である旨を指定する特別図柄Ｎ変動中フラグ（Ｎ＝１、２）に５ＡＨ（ＯＮ状態）を格納する（ステップＳ４１３）。上記「特別図柄Ｎ変動中フラグ」とは特別図柄１、２のどちらの特別図柄が変動中であるかを示すフラグで、当該フラグがＯＮ状態（＝５ＡＨ）である場合には特別図柄が変動中である旨を示し、当該フラグがＯＦＦ状態（＝００Ｈ）である場合には特別図柄が停止中である旨を示す。なお、特別図柄１変動中フラグ（Ｎ＝１）は特別図柄１側に対応し、特別図柄２変動中フラグ（Ｎ＝２）は特別図柄２側に対応する。
【０２８７】
次いで、ステップＳ４１０の特別停止図柄作成処理で得られた図柄抽選結果に基づき、装飾図柄指定コマンドを作成し（ステップＳ４１４）、演出制御部２４に送信する（ステップＳ４１５）。装飾図柄指定コマンドは、変動側の特別図柄種別を指定する上位バイト（ＭＯＤＥ）と、大当り種別、小当り種別、ハズレ種別を指定する下位バイト（ＥＶＮＥＴ）の２バイトで構成される。したがって、この装飾図柄指定コマンドには、変動側の特別図柄種別と当選種別（図柄抽選結果）とに関する情報が含まれる。たとえば、上位バイト（ＭＯＤＥ）側には、変動側の特別図柄が特図１の場合は「ＢＢＨ」、特図２の場合は「ＢＣＨ」が設定され、下位バイト（ＥＶＥＮＴ）側には、当選種別がハズレＡ〜Ｂの場合は「０１Ｈ」〜「０２Ｈ」、小当りＡ〜Ｃの場合は「０３Ｈ」〜「０５Ｈ」、大当りの場合は２Ｒ短開放潜確大当りが「０６Ｈ」、１２Ｒ長開放非確変大当りが「０７Ｈ」、１２Ｒ長開放確変大当りが「０８Ｈ」、１６Ｒ長開放確変大当りが「０９Ｈ」が設定される。この装飾図柄指定コマンドは、当選種別情報が含まれることから、演出制御部２４側において、主として、リーチ状態を形成する際の装飾図柄の組合せ（リーチ図柄）や、最終的に停止表示させる装飾図柄（装飾停止図柄）の組合せを決定する際に利用される。
【０２８８】
そして、変動開始時設定処理として、特別図柄動作ステータス「変動中（０２Ｈ）」に切り替え（特別図柄動作ステータスに０２Ｈを格納）、判定用乱数記憶エリアに００Ｈを格納する（ゼロクリアする）（ステップＳ４１６）。
【０２８９】
以上により、この特別図柄変動開始処理を抜けると、図９の特別図柄表示データ更新処理（ステップＳ３０９）を行い、かくして特別図柄の変動表示が開始されることになる。これにより、特別図柄管理処理（ステップＳ０５９）を抜けて、図８の特別電動役物管理処理（ステップＳ０６０）に進む。
【０２９０】
（８−３−１．遊技状態移行準備処理：図１３）
次に、上記の遊技状態移行準備処理（ステップＳ４１１）について説明する。図１３は、図１２の遊技状態移行準備処理の詳細を示すフローチャートである。
【０２９１】
図１３において、ＣＰＵ２０１は、まず大当り判定フラグを取得し、大当り判定フラグの状態を判定する（ステップＳ４３１）。大当り判定フラグがＯＦＦ状態（＝００Ｈ）の場合（ステップＳ４３１：≠５ＡＨ）、何もしないで遊技状態移行準備処理を抜ける。
【０２９２】
大当り判定フラグがＯＮ状態（＝５ＡＨ）の場合（ステップＳ４３１：＝５ＡＨ）、大当り用遊技状態移行テーブル選択テーブル（図３１）を取得する（ステップＳ４３２）。
【０２９３】
次いで、取得した遊技状態移行テーブル選択テーブルを参照して、遊技状態判定番号（ＹＪ）と大当り種別（特別図柄判定データ）とに応じた遊技状態移行テーブル（図３３）を取得し（ステップＳ４３３）、この遊技状態移行テーブルに定められたデータを後述の各種バッファに格納する（ステップＳ４３４：状態バッファ設定処理）。これらバッファに格納された値は、後述する特別電動役物管理処理中の大当り終了処理（図１６のステップＳ５０９）で読み出され、ＲＡＭ２０３の所定の記憶領域（各々のバッファに対応したフラグ記憶領域やカウンタ記憶領域）に格納される。ステップＳ４３４の処理を終えると、遊技状態移行準備処理を抜けて、図１５の特別図柄変動パターン作成処理（ステップＳ４１２）に進む。なお、この遊技状態移行準備処理では、大当りに当選した場合の遊技状態の移行に関する設定処理が行われ、小当りに当選した場合の遊技状態の移行に関する設定処理は、後述の電動役物管理処理中の小当り処理（図１６のステップＳ５０４参照）で行われるようになっている。
【０２９４】
（Ｔ−４．大当り用遊技状態移行テーブル選択テーブル：図３１）
図３１に、大当り用遊技状態移行テーブル選択テーブルを示す。本実施形態の大当り用遊技状態移行テーブル選択テーブルには、遊技状態判定番号（ＹＪ）と当選種別（特別図柄判定データ：ここでは大当り種別）とに関連付けられた複数種類の遊技状態移行テーブルが定められており、具体的には、遊技状態判定番号（ＹＪ）と特別図柄判定データとに基づき、複数種類の遊技状態移行テーブルのうちからいずれかの遊技状態移行テーブル（（大当り用の遊技状態移行テーブル）が選択されるようになっている。
【０２９５】
ここで「遊技状態判定番号（ＹＪ）」とは、内部遊技状態を識別するためのデータである。図３７の変動パターン振分指定番号表を参照して説明すれば、遊技状態判定番号（ＹＪ）が「００Ｈ」の場合は「通常遊技状態（電サポ無し状態、低確）」を、「０１Ｈ」の場合は「潜確状態（電サポ無し状態、高確）」を、「０２Ｈ」の場合は「時短状態（電サポ有り状態、低確）」、「０３Ｈ」の場合は「確変状態（電サポ有り状態、高確率）」をそれぞれ示す。したがって、遊技状態判定番号（ＹＪ）は上記のような内部遊技状態を識別する点で、変動パターン振分指定番号（Ｔｃｏｄｅ）のように遊技状態そのものを識別するデータとは異なる。
【０２９６】
（Ｔ−５．遊技状態移行テーブル：図３３）
図３３に、上述の遊技状態移行テーブルを示す。本実施形態の遊技状態移行テーブルには、大当りの場合に選択されうる大当り用遊技状態移行テーブルの「ＪＴＴＢＬ−１」〜「ＪＴＴＢＬ−４」と、小当りの場合に選択されうる小当り用遊技状態移行テーブル「ＪＴＴＢＬ−５」〜「ＪＴＴＢＬ−７」とが含まれる。
【０２９７】
これら遊技状態移行テーブルには、当り遊技後に移行すべき遊技状態を指定するための複数種類データ群が定められている。具体的には、普電役物開放延長移行状態バッファ、普通図柄時短移行状態バッファ、普通図柄確変移行状態バッファ、特別図柄時短状態移行状態バッファ、特別図柄確変移行状態バッファ、特別図柄時短回数カウンタバッファ、特別図柄確変回数カウンタバッファ、変動パターン振分指定番号バッファ、および特別図柄変動回数カウンタバッファに格納するための各種のデータが定められている。これらのバッファに格納された値は、必要なタイミングで読み出され、ＲＡＭ２０３に設けられた所定のフラグ記憶領域や所定のカウンタ記憶領域に設定される。この各バッファに各遊技状態移行テーブルにより指定される各種データが格納されると、当り遊技終了後の遊技状態が定まることになる。
【０２９８】
本実施形態の「ＪＴＴＢＬ−１」は‘確変状態’に、「ＪＴＴＢＬ−２」は‘潜確状態’に、「ＪＴＴＢＬ−３」は‘ＣＺ’に、「ＪＴＴＢＬ−４」は‘時短状態’に、「ＪＴＴＢＬ−５」〜「ＪＴＴＢＬ−７」は‘ＣＺ’に移行させるための遊技状態移行テーブルである。ただし、ＣＺ移行に関する「ＪＴＴＢＬ−３」、「ＪＴＴＢＬ−５」〜「ＪＴＴＢＬ−７」については、「ＪＴＴＢＬ−３」はＣＺ継続回数４回とするＣＺ（４回）に、「ＪＴＴＢＬ−５」はＣＺ継続回数１回とするＣＺ（１回）に、「ＪＴＴＢＬ−６」はＣＺ継続回数２回とするＣＺ（２回）に、「ＪＴＴＢＬ−７」はＣＺ継続回数３回とするＣＺ（３回）に移行させる遊技状態移行テーブルとなっている。以下に、上述の各種バッファの役割について説明する。
【０２９９】
（普電役物開放延長移行状態バッファ）
「普電役物開放延長移行状態バッファ」は、普電役物開放延長状態フラグの設定を行うために利用される。「普電役物開放延長状態フラグ」とは、開放延長機能の作動状態を指定するためのフラグで、当該フラグがＯＮ状態（＝５ＡＨ）である場合には開放延長機能作動中の「電サポ有り状態」である旨を示し、当該フラグがＯＦＦ状態（＝００Ｈ）である場合には開放延長機能非作動の「電サポ無し状態」である旨を示す。
【０３００】
（普通図柄時短移行状態バッファ）
「普通図柄時短移行状態バッファ」は、普通図柄時短状態フラグの設定を行うために利用される。「普通図柄時短状態フラグ」とは、普通図柄時短機能の作動状態を指定するためのフラグで、当該フラグがＯＮ状態（＝５ＡＨ）である場合には普通図柄時短機能作動中の「普通図柄時短状態」である旨を示し、当該フラグがＯＦＦ状態（＝００Ｈ）である場合には普通図柄短機能非作動の「普通図柄非時短状態」である旨を示す。
【０３０１】
（普通図柄確変移行状態バッファ）
「普通図柄確変移行状態バッファ」は、普通図柄確変状態フラグの設定を行うために利用される。「普通図柄確変状態フラグ」とは、補助当り抽選確率状態、つまり普通図柄確変機能の作動状態を指定するためのフラグで、当該フラグがＯＮ状態（＝５ＡＨ）である場合には普通図柄確変機能作動中の「補助当り確変状態」である旨を示し、当該フラグがＯＦＦ状態（＝００Ｈ）である場合には普通図柄確変機能非作動の「補助当り低確率状態」である旨を示す。
【０３０２】
（特別図柄時短状態移行状態バッファ）
「特別図柄時短状態移行状態バッファ」は、特別図柄時短状態フラグの設定を行うために利用される。「特別図柄時短状態フラグ」とは、特別図柄時短機能の作動状態を指定するためのフラグで、当該フラグがＯＮ状態（＝５ＡＨ）である場合には特別図柄時短機能作動中の「特別図柄時短状態」である旨を示し、当該フラグがＯＦＦ状態（＝００Ｈ）である場合には特別図柄時短機能非作動の「特別図柄非時短状態」である旨を示す。
【０３０３】
（特別図柄確変移行状態バッファ）
「特別図柄確変移行状態バッファ」は、特別図柄確変状態フラグの設定を行うために利用される。「特別図柄確変状態フラグ」とは、特別図柄確変機能の作動状態を指定するためのフラグで、当該フラグがＯＮ状態（＝５ＡＨ）である場合には特別図柄確変機能作動中の「高確率状態」である旨を示し、当該フラグがＯＦＦ状態（＝００Ｈ）である場合には特別図柄確変機能非作動の「低確率状態」である旨を示す。
【０３０４】
（特別図柄時短回数カウンタバッファ）
「特別図柄時短回数カウンタバッファ」は、特別図柄時短回数カウンタの設定を行うために利用される。上記「特別図柄時短回数カウンタ」とは、特別図柄の変動回数（特別変動表示ゲームの実行回数）により「特別図柄時短機能」の作動が終了するまでの残り回数、つまり「特別図柄時短状態」が終了するまでの残り回数を計数するためのカウンタである。なお本実施形態では、特別図柄時短状態の終了に伴い、電サポ有り状態である高ベース遊技状態も終了されるようになっている（図１５ＢのステップＳ４８１参照）。
【０３０５】
（特別図柄確変回数カウンタバッファ）
「特別図柄確変回数カウンタバッファ」は、特別図柄確変回数カウンタの設定を行うために利用される。上記「特別図柄確変回数カウンタ」とは、特別図柄の変動回数（特別変動表示ゲームの実行回数）により「特別図柄確変機能」の作動が終了するまでの残り回数、つまり「高確率状態」が終了するまでの残り回数（残りＳＴ回数）を計数するためのカウンタである。
【０３０６】
（変動パターン振分指定番号バッファ）
「変動パターン振分指定番号バッファ」は、変動パターン振分指定番号（Ｔｃｏｄｅ）の設定を行うために利用される。この変動パターン振分指定番号（Ｔｃｏｄｅ）は、遊技状態を特定するための遊技状態データである（図３７の参照）。この変動パターン振分指定番号（Ｔｃｏｄｅ）は、ＲＡＭ２０３の変動パターン振分指定番号格納領域に設定され、所定の遊技状態移行条件を満たすと、その値が変更されるようになっている（特別図柄確認時間中処理（図１５Ｂ）のステップＳ４８１、Ｓ４８６、Ｓ４９０、遊技状態移行準備処理（図１２のＳ４１１、図１３のＳ４３４、特別電動役物管理処理（図１６）など）。
【０３０７】
（特別図柄変動回数カウンタバッファ）
「特別図柄変動回数カウンタバッファ」は、特別図柄変動回数カウンタの設定を行うために利用される。上記「特別図柄変動回数カウンタ」とは、遊技状態移行条件となる特別図柄の変動回数（以下、「遊技状態移行規定回数」と称する）を計数するためのカウンタである。本実施形態の特別図柄変動回数カウンタには、遊技状態移行規定回数としてＣＺ継続回数が設定され（図３３の「ＪＴＢＬ−３」、「ＪＴＢＬ−５」〜「ＪＴＢＬ−７」参照）、このカウンタはＣＺ継続回数を管理する管理手段として機能する。
【０３０８】
（８−４．特別図柄変動中処理：図１４）
次に、特別図柄変動中処理（ステップＳ３０７）について説明する。図１４は、図９の特別図柄変動中処理（ステップＳ３０７）の詳細を示すフローチャートである。
【０３０９】
図１４において、ＣＰＵ２０１は、まず特別図柄役物動作タイマがゼロであるか否か、つまり特別図柄の変動時間が経過したか否かを判定する（ステップＳ４５１）。特別図柄役物動作タイマがゼロでない場合は（ステップＳ４５１：ＮＯ）、未だ特別図柄の変動時間が経過していない、つまり特別図柄が変動中であるので、何もしないでこの特別図柄変動中処理を抜ける。
【０３１０】
特別図柄役物動作タイマがゼロになったならば（ステップＳ４５１：ＹＥＳ）、演出制御コマンドとして、特別図柄の変動が終了したことを示す「変動停止コマンド」を演出制御部２４に送信する（ステップＳ４５２）。この変動停止コマンドにより、演出制御部２４側では、特別図柄の変動時間経過して特別図柄変動表示ゲームが終了したことを把握し、現在変動表示中の装飾図柄を停止表示（確定表示）させる。これにより、特別図柄変動表示ゲームの終了とともに、装飾図柄変動表示ゲームも終了することになる。
【０３１１】
次いで、特別図柄の変動停止時の設定処理として、ＲＡＭ２０３の特別図柄確定タイマに、特別図柄確定信号出力時間（たとえば、１００ｍｓ）を格納し、特別図柄役物動作タイマに確定表示時間（たとえば、５００ｍｓ）を格納し、特別図柄動作ステータスを「確認中（０３Ｈ）」に切り替え（特別図柄動作ステータスに０３Ｈを格納）、特別図柄変動中フラグに００Ｈ（ＯＦＦ状態）を格納し（ステップＳ４５３）、この特別図柄変動中処理を抜ける。上記「特別図柄確定信号出力時間」とは、枠用外部端子基板２１からホールコンピュータＨＣに対し、特別図柄が確定表示された旨を報知する特別図柄確定信号の出力時間を確保するための余裕時間である。また「確定表示時間」とは、特別図柄の変動表示が終了して特別図柄の停止表示した際、その停止表示を保持する時間（停止表示時間）である。
【０３１２】
ステップＳ４５３の処理を終えると、この特別図柄変動中処理を抜けて、図９のステップＳ３０９の特別図柄表示データ更新処理を行った後、特別図柄管理処理を抜けて、図８のステップＳ０６０の特別電動役物管理処理に進む。
【０３１３】
（８−５．特別図柄確認時間中処理（変動停止時処理）：図１５Ａおよび図１５Ｂ）
次に、特別図柄確認時間中処理（ステップＳ３０８）について説明する。図１５Ａおよび図１５Ｂは、図９の特別図柄確認時間中処理（ステップＳ３０８）の詳細を示すフローチャートである。
【０３１４】
図１５Ａおよび図１５Ｂにおいて、ＣＰＵ２０１は、まず特別図柄役物動作タイマがゼロであるか否かを判定する（ステップＳ４７１）。ここでの特別図柄役物動作タイマには、「確定表示時間」が設定されている（図１４のステップＳ４５３参照）。上記特別図柄役物動作タイマがゼロになるまでの間は（ステップＳ４７１：ＮＯ）、何もしないでこの特別図柄確認時間中処理を抜ける。
【０３１５】
特別図柄役物動作タイマがゼロになったならば（ステップＳ４７１：ＹＥＳ）、今回の特別図柄変動表示ゲームが終了したとして、特別図柄動作ステータスを「待機中（０１Ｈ）」に切り替え（特別図柄動作ステータスに０１Ｈを格納）（ステップＳ４７２）、現在の遊技状態に応じた遊技状態判定番号（ＹＪ）をＲＡＭ２０３の遊技状態判定領域に格納する（ステップＳ４７３）。
【０３１６】
次いで、大当り判定フラグを取得し、大当り判定フラグの状態を判定する（ステップＳ４７４）。
【０３１７】
（大当り判定フラグがＯＮ状態の場合）
上記ステップＳ４７４の判定で、大当り判定フラグがＯＮ状態（＝５ＡＨ）の場合（ステップＳ４７４：＝５ＡＨ）、大当り図柄停止時の各種設定処理を行う（ステップＳ４７５）。ここでは、大当り図柄停止時の各種設定処理（大当り遊技の開始前処理）として、大当り判定フラグに００Ｈ（ＯＦＦ状態）を格納し、条件装置作動フラグに５ＡＨ（ＯＮ状態）を格納し、さらに、普電役物開放延長状態フラグ、普通図柄時短状態フラグ、普通図柄確変状態フラグ、特別図柄時短状態フラグ、特別図柄確変状態フラグ、特別図柄時短回数カウンタ、特別図柄確変回数カウンタ、および特別図柄変動回数カウンタの各々に００Ｈ（ＯＦＦ状態）を格納し、変動パターン振分指定番号（Ｔｃｏｄｅ）に００Ｈ（通常Ａ指定）を格納し、遊技状態報知ＬＥＤ（図示せず）の点灯・消灯を指定する遊技状態報知ＬＥＤ出力番号に００Ｈを格納して、この特別図柄確認時間中処理を抜ける。上記「遊技状態報知ＬＥＤ」とは、現在の遊技状態情報を報知する状態報知手段である。本実施形態の遊技状態報知ＬＥＤ（状態報知手段）は、特別図柄時短状態であるか否かを報知するために利用される。ＣＰＵ２０１は、遊技状態報知ＬＥＤ出力番号に応じて、遊技状態報知ＬＥＤ（状態報知手段）の報知態様を変化させる。たとえば、上記遊技状態報知ＬＥＤ出力番号が「００Ｈ」の場合、現在、特別図柄時短状態ではない旨が（遊技状態報知ＬＥＤ：消灯状態（非特別図柄時短状態報知）、「０１Ｈ」の場合には、現在、特別図柄時短状態である旨が報知される（遊技状態報知ＬＥＤ：点灯状態（特別図柄時短状態報知）。
【０３１８】
（大当り判定フラグがＯＦＦ状態の場合）
上記ステップＳ４７４の判定で、大当り判定フラグがＯＦＦ状態（＝００Ｈ）の場合（ステップＳ４７４：≠５ＡＨ）、次いで、小当り判定フラグを取得し、小当り判定フラグの状態を判定する（ステップＳ４７６）。小当り判定フラグがＯＦＦ状態（＝００Ｈ）の場合（ステップＳ４７６：≠５ＡＨ）、ステップＳ４７８の処理に進む。小当り判定フラグがＯＮ状態（＝５ＡＨ）の場合（ステップＳ４７６：＝５ＡＨ）、小当り図柄停止時の各種設定処理を行う（ステップＳ４７７）。ここでは、小当り図柄停止時の各種設定処理（小当り遊技開始前処理）として、小当り判定フラグに００Ｈ（ＯＦＦ状態）を格納し、小当り中フラグに５ＡＨ（ＯＮ状態）を格納する。上記小当り図柄停止時の各種設定処理を終えると、ステップＳ４７８の処理に進む。
【０３１９】
ステップＳ４７８の処理に進むと、特別図柄時短回数カウンタ（特別図柄時短状態の残り回数）がゼロであるか否かを判定する（ステップＳ４７８）。特別図柄時短回数カウンタがゼロである場合（ステップＳ４７８：ＹＥＳ）、何もしないでステップＳ４８３の処理に進む。
【０３２０】
特別図柄時短回数カウンタがゼロでない場合（ステップＳ４７８：ＮＯ）、今回の変動回数の消化分として、特別図柄時短回数カウンタを１減算し（ステップＳ４７９）、減算後の特別図柄時短回数カウンタがゼロであるか否かを判定する（ステップＳ４８０）。
【０３２１】
減算後の特別図柄時短回数カウンタがゼロでない場合（ステップＳ４８０：ＮＯ）、特別図柄時短状態の終了回数（時短状態であれば５０回、確変状態であれば１００００回）に達していないので、何もしないでステップＳ４８３の処理に進む。
【０３２２】
減算後の特別図柄時短回数カウンタがゼロの場合（ステップＳ４８０：ＹＥＳ）、特別図柄時短状態の終了回数に達したとして、時短終了時の設定処理を行う（ステップＳ４８１）。ここでは、時短終了時の設定処理として、普電役物開放延長状態フラグ、普通図柄時短状態フラグ、普通図柄確変状態フラグ、および特別図柄時短状態フラグの各々に００Ｈ（ＯＦＦ状態）を、また変動パターン振分指定番号（Ｔｃｏｄｅ）に００Ｈを、遊技状態報知ＬＥＤ出力番号に００Ｈ（非特別図柄時短状態指定）を格納する。これにより次ゲームから、電サポ無し状態下に置かれることになる。
【０３２３】
ステップＳ４８１の時短終了時の設定処理を終えると、演出制御コマンドとして、特別図柄時短状態が終了した旨を示す（電サポ無し状態移行情報）「時短終了コマンド」を演出制御部２４に送信する（ステップＳ４８２）。演出制御部２４は、この時短終了コマンドを受信することで、次ゲームから電サポ無し状態となる旨を把握する。なお本実施形態では、電サポ有り状態から電サポ無し状態に移行する場合は、確変状態から通常Ａに移行することと同じであるので、演出制御部２４がこの「時短終了コマンド」を受けると、たとえば、次に行われる装飾図柄変動表示ゲームを開始する際、「通常演出モード」用の背景画像（背景演出）に切り替えて当該演出モード下に係る演出制御処理を行う。
【０３２４】
次いでステップＳ４８３の処理に進むと、特別図柄確変回数カウンタ（残りＳＴ回数）がゼロであるか否かを判定する（ステップＳ４８３）。
【０３２５】
特別図柄確変回数カウンタがゼロである場合（ステップＳ４８３：ＹＥＳ）、ステップＳ４８８の処理に進む。
【０３２６】
特別図柄確変回数カウンタがゼロでない場合（ステップＳ４８３：ＮＯ）、今回の特別図柄の変動回数消化分として、特別図柄確変回数カウンタを１減算し（ステップＳ４８４）、その減算後の特別図柄確変回数カウンタがゼロであるか否かを判定する（ステップＳ４８５）。
【０３２７】
減算後の特別図柄確変回数カウンタがゼロでない場合（ステップＳ４８５：ＮＯ）、ＳＴ規定回数（７０回）に達していないので、何もせずにステップＳ４８７の処理に進む。
【０３２８】
減算後の特別図柄確変回数カウンタがゼロの場合（ステップＳ４８５：ＹＥＳ）、特別図柄の変動回数がＳＴ規定回数（本実施形態では、１００００回）に達したとして、確変終了時の設定処理を行う（ステップＳ４８６）。ここでは、潜確状態終了または確変状態終了に伴う通常遊技状態への移行設定処理として、普電役物開放延長状態フラグ、普通図柄時短状態フラグ、普通図柄確変状態フラグ、特別図柄時短状態フラグ、および特別図柄確変状態フラグの各々に００Ｈ（ＯＦＦ状態）を格納し、また変動パターン振分指定番号（Ｔｃｏｄｅ）に００Ｈを、遊技状態報知ＬＥＤ出力番号に００Ｈ（非特別図柄時短状態指定）を格納する。これにより、次ゲームから、大当り抽選確率が高確率状態から低確率状態下に置かれることになる。
【０３２９】
上記ステップＳ４８６の確変終了時の設定処理を終えると、ステップＳ４８７の処理に進み、特別図柄変動回数カウンタがゼロであるか否か、つまり遊技状態移行規定回数（ＣＺ継続回数）がゼロであるか否かを判定する（ステップＳ４８７）。
【０３３０】
特別図柄変動回数カウンタがゼロである場合（ステップＳ４８７：ＹＥＳ）、何もしないでこの特別図柄確認時間中処理を抜ける。
【０３３１】
特別図柄変動回数カウンタがゼロでない場合（ステップＳ４８７：ＮＯ）、今回の変動回数の消化分として、特別図柄変動回数カウンタを１減算し（ステップＳ４８８）、その減算後の特別図柄変動回数カウンタがゼロであるか否かを判定する（ステップＳ４８９）。
【０３３２】
減算後の特別図柄変動回数カウンタがゼロでない場合（ステップＳ４８９：ＮＯ）、遊技状態移行規定回数に達していないとして、何もしないでこの特別図柄確認時間中処理を抜ける。
【０３３３】
減算後の特別図柄変動回数カウンタがゼロの場合（ステップＳ４８９：ＹＥＳ）、特別図柄の変動回数が遊技状態移行規定回数に達したとして、遊技状態の移行設定処理を行う（ステップＳ４９０：変動パターン振分指定番号設定処理）。ここでは、ＣＺ継続回数が終了した後の遊技状態の移行設定処理を行う。本実施形態では、ＣＺ終了時の大当り抽選確率状態が低確率状態か高確率状態かに応じて、移行先の遊技状態が異なるようになっている。ここでは、まず遊技状態判定番号（ＹＪ）を取得し、現在の内部遊技状態が通常状態（遊技状態判定番号（ＹＪ）＝００Ｈ）であるか、潜確状態（遊技状態判定番号（ＹＪ）＝０１Ｈ）であるかを判定する。現在の内部遊技状態が通常状態、つまり低確率状態であるならば、変動パターン振分指定番号（Ｔｃｏｄｅ）を通常状態を指定する「００Ｈ」に設定し、現在の内部遊技状態が潜確状態、つまり高確率状態であるならば、変動パターン振分指定番号（Ｔｃｏｄｅ）を潜確状態を指定する「０２Ｈ」に設定する。これにより、次回の特別図柄変動表示ゲームでは、「通常状態」または「潜確状態」における特別図柄の変動パターンが選択される。このステップＳ４９０処理は、所定の条件の成立に基づき、変動パターンの選択条件（変動パターン選択モード）を切替制御するための変動パターン選択条件切替手段として働く。
【０３３４】
次いで、演出制御コマンドとして、移行先の遊技状態情報を含む「遊技状態指定コマンド」を演出制御部２４に送信する（ステップＳ４９１）。この「遊技状態指定コマンド」により演出制御部２４は、今回の図柄変動表示ゲームで「ＣＺ」が終了し、次ゲームから「通常状態」または「潜確状態」となる旨を把握する。これにより、演出制御部２４は、次回の図柄変動表示ゲームを開始する際、「通常演出モード」用の背景画像（背景演出）または「潜確演出モード」用の背景画像に切り替え制御し、当該演出モード下での演出制御処理を行う。
【０３３５】
以上により、この特別図柄確認時間中処理を抜けると、図９のステップＳ３０９の特別図柄表示データ更新処理を行った後、特別図柄管理処理を抜けて、図８のステップＳ０６０の特別電動役物管理処理に進む。
【０３３６】
（９．特別電動役物管理処理：図１６）
次に、図８中の特別電動役物管理処理（ステップＳ０６０）について説明する。図１６は、ステップＳ０６０の特別電動役物管理処理の詳細を示すフローチャートである。
【０３３７】
図１６において、ＣＰＵ２０１は、まず小当り中フラグの状態を判定する（ステップＳ５０１）。上記小当り中フラグがＯＮ状態（＝５ＡＨ）の場合（ステップＳ５０１：＝５ＡＨ）、小当り遊技に係る特別変動入賞装置５２の一連の動作を制御するための小当り処理を行い（ステップＳ５０４）、この特別電動役物管理処理を抜ける。
【０３３８】
上記小当り中フラグがＯＦＦ状態（＝００Ｈ）の場合（ステップＳ５０１：≠５ＡＨ）、次いで、条件装置作動フラグの状態を判定する（ステップＳ５０２）。条件装置作動フラグがＯＦＦ状態（＝００Ｈ）の場合（ステップＳ５０２：≠５ＡＨ）、この場合は、小当り遊技中ではなく（ステップＳ５０１：≠５ＡＨ）、大当り遊技中でもないので、何もしないでこの特別電動役物管理処理を抜ける。
【０３３９】
条件装置作動フラグがＯＮ状態（＝５ＡＨ）の場合（ステップＳ５０２：＝５ＡＨ）、
特別電動役物動作ステータス（００Ｈ〜０４Ｈ）に応じた処理を行う（ステップＳ５０３：特別電動役物ステータス分岐処理）。なお「特別電動役物動作ステータス」とは、特別変動入賞装置５２の挙動を示すステータス値であり、このステータス値は処理状態に応じて変更され、ＲＡＭ２０３の特別電動役物動作ステータス格納領域に格納される。
【０３４０】
ステップＳ５０３の特別電動役物動作ステータス分岐処理では、特別電動役物動作ステータス値に応じた処理を呼び出して実行させる。具体的には、特別電動役物動作ステータスが「開始処理中（００Ｈ）」の場合には、大当り開始処理（ステップＳ５０５）を、「作動開始処理中（０１Ｈ）」の場合には、特別電動役物作動開始処理（ステップＳ５０６）を、作動中（０２Ｈ）」の場合には、特別電動役物作動中処理（ステップＳ５０７）を、「継続判定中（０３Ｈ）」の場合には、特別電動役物作動継続判定処理（ステップＳ５０８）を、「終了処理中（０４Ｈ）」の場合には、大当り終了処理（ステップＳ５０９）を呼び出して実行させる。これらの処理により大当り遊技に係る特別変動入賞装置５２の動作が制御される。ここで、上述の「開始処理中（００Ｈ）」とは、大当り遊技開始前の待機状態である旨を示し、「作動開始処理中（０１Ｈ）」とはラウンド遊技開始前の待機状態である旨を示し、「作動中（０２Ｈ）」とはラウンド遊技が実行中である旨を示し、「継続判定中（０３Ｈ）」とは次回のラウンド遊技を継続させるか否かの判定中である旨を示し、「大当り終了処理中（０４Ｈ）」とは大当り遊技終了時の終了処理中である旨を示す。上記ステップＳ５０５〜Ｓ５０９のいずれかの処理を終えると、特別電動役物管理処理を抜けて、図８のステップＳ０６１の右打ち報知情報管理処理に進む。
【０３４１】
以下に、大当り遊技制御処理（ステップＳ５０５〜Ｓ５０９）と、小当り遊技制御処理（ステップＳ５０４）とについて説明する。
【０３４２】
＜大当り遊技制御処理（ステップＳ５０５〜Ｓ５０９）＞
先ず、大当り開始処理（ステップＳ５０５）について説明する。
【０３４３】
（９−１．大当り開始処理）
大当り遊技開始時には、特別電動役物動作ステータスが初期ステータス値の「開始処理中（００Ｈ）」に設定されている。したがって、大当りとなった場合には、まず最初に、この大当り開始処理が行われるようになっている。
【０３４４】
ここでは、まず大当り遊技を開始する際に必要な大当り遊技開始時の設定処理として、役物連続作動装置作動フラグに５ＡＨ（ＯＮ状態）を格納し、特別電動役物動作ステータスを「作動開始処理中（０１Ｈ）」に切り替え（特別電動役物動作ステータスに０１Ｈを格納）、連続回数カウンタに０１Ｈを格納する。上記「役物連続作動装置作動フラグ」とは、役物連続作動装置の作動状態を指定するためのフラグで、当該フラグがＯＮ状態（＝５ＡＨ）である場合には役物連続作動装置作動中（ラウンド遊技継続可）である旨を示し、当該フラグがＯＦＦ状態（＝００Ｈ）である場合には役物連続作動装置非作動（ラウンド遊技継続不可）である旨を示す。また「連続回数カウンタ」とは、ラウンド遊技の連続実行回数を管理するためのカウンタであり、現在のラウンド数はここに記憶される。ここでの連続回数カウンタは「０１Ｈ」が設定されるので、現在のラウンド数は１Ｒ目を示している。
【０３４５】
次いで、特別図柄判定データ（大当り種別）に応じた最大ラウンド数（規定ラウンド数）とラウンド表示ＬＥＤ番号とが定められた「大当り開始設定テーブル（図示せず）」を取得する。この大当り開始設定テーブルを参照して、今回の特別図柄判定データに対応した各データを、それぞれに対応するＲＡＭ２０３の記憶領域に格納し、また特別図柄役物動作タイマに「開始インターバル時間」を格納する。なお上記「開始インターバル時間」とは、特別図柄の確定表示時間が経過して大当りが確定した後（図１４のステップＳ４５３の、図１５ＡのステップＳ４７１参照）、特別変動入賞装置５２が作動するまでのインターバル区間であって、オープニング演出が行われる区間を定めた時間幅（１回目のラウンド遊技が行われる前の初回演出時間）を指す。また「ラウンド表示ＬＥＤ番号」とは、ラウンド数表示装置３９ｂ（ラウンド数表示手段）の報知態様を指定するデータで、今回の大当り遊技の最大ラウンド数（規定ラウンド数）を示す。
【０３４６】
次いで、オープニング演出の開始を指示する「大当り開始コマンド」を演出制御部２４に送信し、この大当り開始処理を抜けて、図８のステップＳ０６１の右打ち報知情報管理処理に進む。なお「大当り開始コマンド」には、オープニング演出の開始を指示する役割の他、今回の大当り種別とその大当り当選時の遊技状態とを特定可能な情報が含まれ、演出制御部２４側において、大当り遊技中に展開される一連の当り演出（大当り種別ごとに対応するオープニング演出、ラウンド演出、ラウンド終了演出、およびエンディング演出など）を決定する際にも利用される。
【０３４７】
（９−２．特別電動役物作動開始処理）
次に、特別電動役物作動開始処理（ステップＳ５０６）について説明する。
【０３４８】
ここではまず、特別図柄役物動作タイマがゼロであるか否かを判定する。ここでの特別図柄役物動作タイマには、「ラウンド遊技開始前のインターバル時間」が設定されている。このインターバル時間としては、初回のラウンド（１Ｒ目）では、上記大当り開始処理（ステップＳ５０５）で設定された「開始インターバル時間」が監視されるが、２Ｒ目以降でこの特別電動役物作動開始処理（ステップＳ５０６）を通過するときは、「開放前インターバル時間（後述の特別電動役物作動継続判定処理（ステップＳ５０８）で設定されるインターバル時間）」が監視される。この特別図柄役物動作タイマがゼロになるまでの間は、何もしないでこの特別電動役物作動開始処理を抜ける。
【０３４９】
一方、特別図柄役物動作タイマがゼロ、つまり開放前インターバル時間（初回のラウンド（１Ｒ目）の場合は、開始インターバル時間）が経過したならば、特別図柄判定データ（大当り種別）と現在のラウンド数とに応じた大入賞口５０の開閉動作パターンを設定する（大入賞口開閉動作設定処理）。具体的には、大入賞口５０を開放させるための大入賞口開閉動作時間（たとえば、２９．８秒）を特別図柄役物動作タイマに格納し、大入賞口ソレノイド５２ｃを制御するためのソレノイド用制御データを設定する。これにより、大入賞口ソレノイド５２ｃを動作させ、大入賞口５０が上記大入賞口開閉動作時間を上限に開放される。上記大入賞口開閉動作設定処理を終えると、特別電動役物動作ステータスを「作動中（０２Ｈ）」に切り替え（特別電動役物動作ステータスに０２Ｈを格納）、特別電動役物管理処理を抜け、図８のステップＳ０６１の右打ち報知情報管理処理に進む。
【０３５０】
（９−３．特別電動役物作動中処理）
次に、特別電動役物作動中処理（ステップＳ５０７）について説明する。
【０３５１】
ここではまず、大入賞口５０への入賞球数をカウントし、その入賞球数が最大入賞数に達したか否かを確認し（大入賞口最大入賞数確認処理）、最大入賞数に達した場合には特別図柄役物動作タイマをクリアする。これにより、上記特別電動役物作動開始処理（ステップＳ５０６）で設定されたタイマ値が強制的にゼロになり、最大入賞数に達したことをもって開放中の大入賞口５０が閉鎖されるようになっている。なお特別図柄役物動作タイマがゼロになるまでの間は（大入賞口開放動作時間経過するか、または最大入賞数に達するまでの間）、何もしないでこの特別電動役物作動中処理を抜ける。
【０３５２】
特別図柄役物動作タイマがゼロになったならば（最大入賞数に達したか、または大入賞口開放動作時間経過した場合）、今回のラウンド遊技が終了したとして、特別電動役物動作ステータスを「継続判定中（０３Ｈ）」に切り替え（特別電動役物動作ステータスに０３Ｈを格納）、特別図柄役物動作タイマに残存球排出時間（たとえば、１９８０ｍｓ）を格納し、特別電動役物作動中処理を抜けて、図８のステップＳ０６１の右打ち報知情報管理処理に進む。
【０３５３】
（９−４．特別電動役物作動継続判定処理）
次に、特別電動役物作動継続判定処理（ステップＳ５０８）について説明する。
【０３５４】
ここではまず、特別図柄役物動作タイマがゼロであるか否かを判定する。ここでの特別図柄役物動作タイマには、大入賞口閉鎖後の上記残存球排出時間が設定されているので（特別電動役物作動中処理（ステップＳ５０７）参照）、この残存球排出時間が経過したか否かが判定される。上記特別図柄役物動作タイマがゼロになるまでの間は、何もしないでこの特別電動役物作動継続判定処理を抜ける。
【０３５５】
一方、特別図柄役物動作タイマがゼロ（残存球排出時間経過）になったならば、連続回数カウンタを取得して現在のラウンド数が規定ラウンド数（最大ラウンド数）に達したか否かを判定する。最大ラウンド数に達していない場合には、ラウンド遊技継続時の処理として、連続回数カウンタに１加算（＋１）し、「開放前インターバル時間」を特別図柄役物動作タイマに格納し、特別電動役物動作ステータスを「作動開始処理中（０１Ｈ）」に切り替える（特別電動役物動作ステータスに０１Ｈを格納）。これにより、特別電動役物作動継続判定処理を抜けて、図９のステップＳ０６１の右打ち報知情報管理処理に進む。
【０３５６】
現在のラウンド数が最大ラウンド数に達した場合、「終了インターバル時間」を特別図柄役物動作タイマに格納し、次いで、ラウンド遊技終了時の各種設定処理として、特別電動役物動作ステータスを「終了処理中（０４Ｈ）」に切り替える（特別電動役物動作ステータスに０４Ｈを格納）。なお上記「終了インターバル時間」とは、最終ラウンドのラウンド遊技が終了して残存球排出時間が経過した後、大当り遊技が終了するまでのインターバル区間であって、エンディング演出が行われる区間を定めた時間幅を指す。
【０３５７】
そして、エンディング演出の開始を指示する「大当り終了コマンド」を演出制御部２４に送信し、この大当り開始処理を抜けて、図８のステップＳ０６１の右打ち報知情報管理処理に進む。なお「大当り終了コマンド」には、今回の大当り種別とその大当り当選時の遊技状態とを特定可能な情報が含まれ、演出制御部２４側において、大当り遊技後の演出モードを決定する際にも利用される。なお、上述の大当り当選時の遊技状態を特定可能な情報には、変動パターン振分指定番号に関する情報、または変動パターン振分指定番号と内部遊技状態とに関する情報を含むことができる。また大当り当選時の遊技状態がＣＺであった場合、その当選時の遊技状態が内部遊技状態により区別される「ＣＺ（通常）」であるか、「ＣＺ（潜確）」であるかを特定可能な情報を含むことができる。また、大当り終了コマンドは、単一のコマンドであっても良いし、複数のコマンドであっても良い。複数のコマンドとする場合、たとえば、一の大当り終了コマンドに今回の大当り種別を特定可能とする情報を含ませ、他の大当り終了コマンドにその大当り当選時の遊技状態を特定可能とする情報が含ませて、これらのコマンドを同時あるいは順次に必要なタイミングで演出制御部２４に送信することができる。本実施形態では、複数種類の情報を演出制御コマンドに含ませる場合、その特定の演出制御コマンドが有する役割を複数の演出制御コマンドに分担させ、一の情報を含む特定の演出制御コマンドと、他の情報を含む特定の演出制御コマンドとに分けて、演出制御部２４に送信する構成としても良い。このような上記特定の演出制御コマンドとしては、大当り終了コマンドの他、たとえば、作動保留球数と先読み変動パターン内容とに関する情報を含む「保留加算コマンド」や、変動側の特別図柄種別と当選種別（図柄抽選結果）とに関する情報が含まれる「装飾図柄指定コマンド」などがある。
【０３５８】
このように上記の大当り終了コマンドは、エンディング演出の開始を指示する役割の他に、遊技状態を指定する遊技状態指定コマンドとしての役割も担う。これにより、大当り遊技後に移行される遊技状態と、その遊技状態に係る演出モードとの整合性を取ることができるようになっている。
【０３５９】
（９−５．大当り終了処理）
次に、大当り終了処理（Ｓ５０９）について説明する。
【０３６０】
ここではまず、特別図柄役物動作タイマがゼロであるか否かを判定する。ここでの特別図柄役物動作タイマには、上記終了インターバル時間が設定されているので、この終了インターバル時間が経過したか否かが判定される。上記特別図柄役物動作タイマがゼロになるまでの間は、何もしないでこの大当り終了処理を抜けて、図８のステップＳ０６１の右打ち報知情報管理処理に進む。
【０３６１】
特別図柄役物動作タイマがゼロ（終了インターバル時間経過）になったならば、各移行状態バッファの値を各状態フラグに格納し、大当り遊技後の遊技状態を指定する。具体的には、特別図柄変動開始処理中のステップＳ４１１の遊技状態移行準備処理（図１２のステップＳ４１１、その詳細を示す図１３参照）で設定した移行状態バッファの各々の値を、遊技状態を指定するための、普電役物開放延長状態フラグ、普通図柄時短状態フラグ、普通図柄確変状態フラグ、特別図柄時短状態フラグ、特別図柄確変状態フラグ、特別図柄時短回数カウンタ、特別図柄確変回数カウンタ、変動パターン振分指定番号、および特別図柄変動回数カウンタにそれぞれ格納する。これにより、大当り遊技後の遊技状態が特定される。
【０３６２】
次いで、大当り終了時の各種設定処理を行う。ここでは、大当り遊技制御処理中に利用した各種のデータとして、条件装置作動フラグ、役物連続作動装置作動フラグ、連続回数カウンタ、最大ラウンド数、ラウンド表示ＬＥＤ番号、各種バッファなどをそれぞれクリアし、特別電動役物動作ステータスを「開始処理中（００Ｈ）」に切り替える（特別電動役物動作ステータスに００Ｈを格納）。
【０３６３】
次いで、遊技状態報知情報を更新する遊技状態報知情報更新処理を行う。ここでは、特別図柄時短状態フラグがＯＮ状態（＝５ＡＨ）かＯＦＦ状態（≠５ＡＨ）かを確認し、ＯＮ状態の場合、遊技状態報知ＬＥＤを点灯させるデータ、具体的には、遊技状態報知ＬＥＤ出力番号に０１Ｈを格納する。
【０３６４】
上記大当り終了処理を終えると、大当り遊技に関する一連の制御処理が終了したことになる。この大当り終了処理を抜けると、図８のステップＳ０６１の右打ち報知情報管理処理に進む。
【０３６５】
＜小当り遊技制御処理＞
（９−６．小当り処理）
次に、小当り処理（ステップＳ５０４）について説明する。
【０３６６】
小当り遊技では、大当り遊技のような「ラウンド遊技」が実行されない。したがって、ここでは、小当り遊技中の動作態様が「２Ｒ短開放潜確大当り遊技」の動作態様と実質的同一となるように、大入賞口５０の開閉動作パターンを制御するための処理が行われる。
【０３６７】
この小当り処理に入ると、まず小当り遊技における「開始インターバル時間」を特別図柄役物動作タイマに設定し、オープニング演出の開始を指示する「小当り開始コマンド」を演出制御部２４に送信する。開始インターバル経過したならば、次いで、後述の小当り遊技後の遊技状態を指定する小当り時遊技状態移行準備処理を行い、続いて、大入賞口５０の開閉動作が「２Ｒ潜確大当り遊技」と同一または酷似する動作態様となるように、大入賞口ソレノイド５２ｃを制御するためのソレノイド用制御データを設定する。これにより、大入賞口５０が２Ｒ潜確大当り遊技の如く開放動作し、小当り遊技中の擬似的なラウンド遊技が実行される。なお小当り遊技中における大入賞口５０への最大入賞数は大当りによるものと同じとなっており、当該最大入賞数に達すると、大入賞口５０が閉鎖される。ただし、小当り遊技は大当り遊技のようなラウンド遊技が実行されないため、上記最大入賞数に達した場合、上記擬似的なラウンド遊技自体が終了されることになる。
【０３６８】
大入賞口５０の一連の開閉動作が終了したならば、エンディング演出の開始を指示する「小当り終了コマンド」を、演出制御部２４に送信する。この「小当り終了コマンド」には、今回の小当り種別とその小当り当選時の遊技状態とを特定可能な情報が含まれ、演出制御部２４側において、小当り遊技後の演出モードを決定する際にも利用される。したがって、この小当り終了コマンドは、エンディング演出の開始指示の役割の他に、遊技状態を指定する遊技状態指定コマンドとしての役割も担い、大当り遊技に係る「大当り終了コマンド」と同じ働きをする演出制御コマンドである。
【０３６９】
＜９−６−１.小当り時遊技状態移行準備処理＞
次に、上述の小当り時遊技状態移行準備処理について説明する。
【０３７０】
小当り時遊技状態移行準備処理では、小当り遊技後の遊技状態を指定すべく、小当り遊技後の遊技状態を指定するための設定処理を行う。具体的には、まず変動パターン振分指定番号（Ｔｃｏｄｅ）を取得し、次いで小当り用遊技状態移行テーブル選択テーブル（図３２）を取得する。そして、上記小当り用遊技状態移行テーブル選択テーブルを参照して、変動パターン振分指定番号と小当り種別（特別図柄判定データ）とに基づき、遊技状態移行テーブル「ＪＴＴＢＬ−５」〜「ＪＴＴＢＬ−７」のいずれかを取得し、この遊技状態移行テーブルを参照して、該当するデータをＲＡＭ２０３の所定領域（変動パターン振分指定番号格納領域および特別図柄変動回数カウンタ）に格納する。これにより、小当り遊技後の遊技状態が決定されるようになっている。
【０３７１】
（Ｔ−６．小当り用遊技状態移行テーブル選択テーブル：図３２）
図３２に、小当り用遊技状態移行テーブル選択テーブルを示す。本実施形態の小当り用遊技状態移行テーブル選択テーブルには、変動パターン振分指定番号（Ｔｃｏｄｅ）と当選種別（特別図柄判定データ：ここでは、小当り種別）とに関連付けられた複数種類の遊技状態移行テーブル「ＪＴＴＢＬ−５」〜「ＪＴＴＢＬ−７」（図３３参照）が定められており、具体的には、変動パターン振分指定番号（Ｔｃｏｄｅ）と特別図柄判定データとに基づき、複数種類の遊技状態移行テーブルのうちからいずれかの遊技状態移行テーブル（小当り用の遊技状態移行テーブル）が決定されるようになっている。
【０３７２】
（Ｔ−７．小当り用遊技状態移行テーブル:図３２）
図３３を参照して、小当り用遊技状態移行テーブル「ＪＴＴＢＬ−５」〜「ＪＴＴＢＬ−７」について説明する。これらの小当り用遊技状態移行テーブルには、小当り遊技後に移行すべき遊技状態を指定するためのデータとして、変動パターン振分指定番号格納領域および特別図柄変動回数カウンタに格納するためのデータが定められている。これらデータ値が変動パターン振分指定番号格納領域および特別図柄変動回数カウンタが格納されると、小当り遊技終了後の遊技状態が特定される。ここで上記「ＪＴＴＢＬ−５」〜「ＪＴＴＢＬ−７」には、変動パターン振分指定番号バッファおよび特別図柄変動回数カウンタバッファに格納するためのデータだけが定められているので、小当りに当選しても内部遊技状態の移行はなく、変動パターン選択モードとしての遊技状態の移行（変動パターン振分指定番号（Ｔｃｏｄｅ）の変更）が行われるだけとなる。上記の遊技状態移行テーブルのうち、「ＪＴＴＢＬ−５」は‘ＣＺ（１回）’に、「ＪＴＴＢＬ−６」は‘ＣＺ（２回）’に、「ＪＴＴＢＬ−７」は‘ＣＺ（３回）’に移行させるための遊技状態移行テーブルとなっている。
【０３７３】
なお、上記小当り用遊技状態移行テーブル選択テーブルでは、小当り当選時の遊技状態が通常状態（変動パターン振分指定番号００Ｈ）である場合か、またはＣＺ（変動パターン振分指定番号０１Ｈ）である場合に限り、小当り用遊技状態移行テーブル「ＪＴＴＢＬ−５」〜「ＪＴＴＢＬ−７」のいずれかが選択されるようになっている。すなわち、遊技状態が、時短状態（変動パターン振分指定番号０３Ｈ）、確変状態（変動パターン振分指定番号０４Ｈ）、潜確状態（変動パターン振分指定番号０２Ｈ）の場合には遊技状態の移行はなく、その小当り当選時の遊技状態が継続される。またＣＺ中に小当り当選の場合は、再度、小当り用遊技状態移行テーブル「ＪＴＴＢＬ−５」〜「ＪＴＴＢＬ−７」のいずれかが選択されて、その小当り種別に応じてＣＺ継続回数が再設定されることになる。
【０３７４】
以上の小当り処理を抜けると、図６のステップＳ０６１の右打ち報知情報管理処理に進む。
【０３７５】
＜演出制御部側の処理：図１７〜図２８＞
次に、図１７〜図２８を参照して、本実施形態の演出制御部２４側における演出制御処理について説明する。演出制御部２４側の処理は、主に、所定のメイン処理（演出制御側メイン処理：図１７）と、ＣＴＣからの定時割込みで起動されるタイマ割込処理（演出制御側タイマ割込処理：図１９）とを含んで構成される。
【０３７６】
＜１１．演出制御側メイン処理：図１７＞
図１７は、演出制御部側のメイン処理（演出制御側メイン処理）を示すフローチャートである。演出制御部２４（ＣＰＵ２４１）は、遊技機本体に対して外部から電源が投入されると、図１７に示す演出制御側のメイン処理を開始する。
【０３７７】
この演出制御側のメイン処理において、ＣＰＵ２４１は、まず遊技動作開始前における必要な初期設定処理を行う（ステップＳ０７１）。ここでは、初期設定処理として、たとえば、コマンド受信割込み設定、可動体役物の起点復帰処理、ＣＴＣの初期設定、タイマ割込みの許可、マイクロコンピュータの各部を含めてＣＰＵ内部のレジスタ値の初期設定などを行う。
【０３７８】
ステップＳ７１の初期設定処理を終えると、正常動作時の処理として、所定時間ごとにステップＳ０７３〜Ｓ０７８のメインループ処理を行い、それ以外ではステップＳ０８０の演出用ソフト乱数更新処理を繰り返し行う。
【０３７９】
ステップＳ０７２の処理において、ＣＰＵ２４１は、メインループ更新周期用カウンタ値を参照して、メインループ処理の実行契機となるメインループ更新周期が到来したか否かを判定する（ステップＳ０７２）。上記メインループ更新周期用カウンタは、後述の演出制御側タイマ割込処理中のメインループ更新処理（図１９のステップＳ０９６）で更新されるカウンタである。なお本実施形態では、１６ｍｓ程度ごとにメインループ処理を行うようになっている。このメインループ更新周期が到来するまでは（ステップＳ７２：ＮＯ）、各種演出抽選用乱数の更新を行う（ステップＳ０７９：各種演出用ソフト乱数更新処理）。
【０３８０】
上記メインループ更新周期が到来した場合（ステップＳ０７２：ＹＥＳ）、ＣＰＵ２４１は、受信コマンド解析処理を行う（ステップＳ０７３）。この受信コマンド解析処理では、コマンド受信バッファに演出制御コマンドが格納されているか否かを監視し、演出制御コマンドが格納されていればこのコマンドを読み出し、読み出した演出制御コマンドに対応した演出制御処理を行う。この演出制御コマンドの中には、既に説明した、保留加算コマンド、保留減算コマンド、変動パターン指定コマンド、装飾図柄指定コマンド、変動停止コマンドなどが含まれる。
【０３８１】
たとえば、少なくとも変動パターン指定コマンドが受信され、受信バッファに格納されている場合、コマンド解析処理において、そのコマンドに含まれる情報（変動パターン情報と当選種別情報）に基づいて、１または複数種類の演出パターンを決定する。ここで決定される演出パターンは、演出シナリオを構成する要素としての「パーツ演出」として働く。続いて、上記決定された演出パターン（パーツ演出）を、どのようなタイミングで、どれだけの演出時間幅をもって現出させるかについてのタイムスケジュールを決定し、これにより演出シナリオを構成して、その演出シナリオのデータをＲＡＭ２４３のシナリオ設定領域に格納する。この演出シナリオに組み込まれた種々の演出パターン（パーツ演出）が、次々に、あるいは複数同時展開されることにより、広義の意味での「演出シナリオ」が実現される。
【０３８２】
ステップＳ０７３の受信コマンド解析処理を終えると、シナリオ更新処理を行う（ステップＳ０７４）。このシナリオ更新処理では、演出パターンの実行に必要なタイマの内容を更新する。上記タイマの代表的なものは、演出の発生タイミングに関するタイムスケジュールを管理する演出シナリオタイマである。たとえば、特別図柄が変動表示されている変動期間（特別図柄変動期間）内と実質的に同一期間内である、装飾図柄が変動表示されている変動期間（装飾図柄変動期間）内において、その時間軸上で、どのような演出パターンを、どれだけの時間幅をもって、演出手段に現出させるかについての時間的なスケジュールがこのタイマにより管理される。斯様な演出シナリオタイマは、後述のＬＥＤデータ更新処理（ステップＳ０７５）や演出役物制御データ更新処理（ステップＳ０７７）においても利用される。ここでは、この演出シナリオタイマを監視し、一の演出の発生時期が到来すると、スピーカ４６用の音データと、画像表示制御用の液晶コマンドとを作成し、それぞれをＲＡＭ２４３の指定領域に格納する。なお、光表示装置用のＬＥＤデータに関しては後述のＬＥＤデータ更新処理（ステップＳ０７５）で、可動体役物用のモータ制御データに関しては後述の演出役物制御データ更新処理（ステップ０７７）で作成される。
【０３８３】
次いで、ＬＥＤデータ更新処理を行う（ステップＳ０７５）。このＬＥＤデータ更新処理では、上記演出シナリオデータと演出シナリオタイマとに基づき、装飾ランプ部４５やＬＥＤなどの光表示装置用のＬＥＤデータを作成し、ＲＡＭ２４３の指定領域に格納する。ここで作成されたデータは、後述するタイマ割込処理中の演出ＬＥＤ管理処理（図１９のステップＳ０９５）で利用される。
【０３８４】
次いで、サウンド出力処理を行う（ステップＳ０７６）。このサウンド出力処理では、ステップＳ０７４のシナリオ更新処理で作成された音データを取得し、再生する音データが有る場合には、音響制御部（音源ＬＳＩ）を通じてスピーカ４６から効果音を出力させる。これにより、演出シナリオに沿った音演出が実現される。
【０３８５】
次いで、演出役物制御データ更新処理を行う（ステップＳ０７７）。この演出役物制御データ更新処理では、上記演出シナリオデータと演出シナリオタイマとに基づき、可動体役物モータ６１の制御データを作成する。ここで作成されたデータは、後述するタイマ割込処理中の演出役物動作管理処理（図１９のステップＳ０９４）で利用される。
【０３８６】
次いで、音源ＬＳＩなどの誤作動を監視するノイズ対策管理処理を行う（ステップＳ０７８）。誤作動によりプログラムが暴走状態となった場合は、ウォッチドッグタイマがタイムアップし、ＣＰＵが自動的にリセットされて上記暴走状態から復帰する。これにより、メインループ処理を終了して、次のメインループ更新周期が到来するまで、ステップＳ０７９の演出用ソフト乱数更新処理を行う。
【０３８７】
（１２．コマンド受信割込処理：図１８）
次に図１８を参照して、コマンド受信割込処理について説明する。図１８は、演出制御側のコマンド受信割込処理を示すフローチャートである。このコマンド受信割り込み処理は、主制御部２０から演出制御コマンドを受信した場合、後述する演出制御側タイマ割込処理（図１９）よりも優先的に実行される。
【０３８８】
まず演出制御部２４（ＣＰＵ２４１）は、図１７に示すメイン処理実行中に主制御部２０側からのストローブ信号に基づく割込みが生じると、レジスタの内容をスタック領域に退避させて（ステップＳ０８１）、受信した演出制御コマンドをＲＡＭ２４３のコマンド受信バッファに格納し（ステップＳ０８２）、退避していたレジスタの内容を復帰させる（ステップＳ０８３）。これにより、コマンド受信割込処理を終了して、割込み前の上記演出制御部側メイン処理に戻り、次の上記ストローブ信号に基づく割込みが発生するまで演出制御側メイン処理を行う。このように、主制御部２０から送られてくる各種演出制御コマンドを受けた場合、このコマンド受信割込処理が実行されて、演出制御コマンドを受信した時点で、そのコマンドがコマンド受信バッファに格納される。
【０３８９】
（１３．演出制御側タイマ割込処理：図１９）
次に図１９を参照して、演出制御側のタイマ割込処理について説明する。図１９は、演出制御側タイマ割込処理を示すフローチャートである。この演出制御側タイマ割込処理は、ＣＴＣからの一定時間（１ｍｓ程度）ごとの割込みで起動され、演出制御側メイン処理実行中に割り込んで実行される。
【０３９０】
図１９において、ＣＰＵ２０１は、タイマ割込みが生じると、レジスタの内容をスタック領域に退避させた後（ステップＳ０９１）、演出ボタン入力管理処理を行う（ステップＳ０９２）。この演出ボタン入力管理処理では、枠演出ボタン１３からの操作（ＯＮ操作）検出信号の入力の有無を監視し、当該操作検出信号を受信したことを確認した場合、その検出情報をＲＡＭ２４３の所定領域に格納する。この情報は、上記ボタン予告演出に利用される。
【０３９１】
次いで、液晶コマンド送信処理を行う（ステップＳ０９３）。この液晶コマンド送信処理では、図１７の演出制御側メイン処理中のシナリオ更新処理（ステップＳ０７４）で作成された液晶コマンドが有る場合には、表示制御部（液晶制御ＣＰＵ）に液晶コマンドを送信して、液晶表示装置３６に対する画像表示制御を実行させる。これにより、演出シナリオに沿った画像演出が実現される。
【０３９２】
次いで、演出役物動作管理を行う（ステップＳ０９４）。この演出役物動作管理では、演出役物制御データ更新処理（ステップＳ０７７）で作成された可動体役物用のモータ制御データに基づき、駆動制御部を通じて可動体役物モータ６１に制御信号を出力する。これにより、演出シナリオに沿った可動体役物による視覚的演出が実現される。
【０３９３】
次いで、演出ＬＥＤ管理を行う（ステップＳ０９５）。この演出ＬＥＤ管理では、ＬＥＤデータ更新処理（ステップＳ０７５）で作成されたＬＥＤデータに基づき、光表示制御部を通じて装飾ランプ部４５やＬＥＤを点灯点滅させる。これにより、演出シナリオに沿った光演出が実現される。
【０３９４】
次いで、メインループ更新周期を管理するメインループ更新処理を行う（ステップＳ０９６）。このメインループ更新処理では、メインループ更新周期用カウンタを割込みごとに更新する（メインループ更新周期用カウンタ＋１）。メインループ更新周期用カウンタは、たとえばインクリメント処理によって１６の倍数の範囲（たとえば、０〜３１）を循環するカウンタである。
【０３９５】
以上のステップＳ０９１〜ステップＳ０９６の処理を終えた後、退避していたレジスタの内容を復帰させる（ステップＳ０９７）。これにより、このタイマ割込処理を終了して、割込み前の上記演出制御側メイン処理に戻り、次のタイマ割込みが発生するまで演出制御側メイン処理を行う。
【０３９６】
＜受信コマンド解析処理の内容：図２０〜図２８＞
図２０〜図２８は受信コマンド解析処理（図１７のステップＳ０７３）で実行される処理のうち、本発明と関連性の深いものを示したものである。以下、「保留加算コマンド」、「保留減算コマンド」、「変動パターン指定コマンド」、「大当り終了コマンド」、「小当り終了コマンド」、および「装飾図柄指定コマンド」を受信した場合についてそれぞれ説明する。
【０３９７】
＜１４．保留加算コマンドの受信処理：図２０＞
図２０は、保留加算コマンドを受信した場合の受信コマンド解析処理を示すフローチャートである。ここで扱う保留加算コマンドは、図１０の特図１始動口チェック処理のステップＳ３２１や、図１１の特図２始動口チェック処理のステップＳ３４１で送信される演出制御コマンドである。
【０３９８】
（１４−１．保留加算コマンドの正否判定）
図２０において、演出制御部２４（ＣＰＵ２４１）は、保留加算コマンドを受信した場合、まずそのコマンドの内容を解析し、保留加算コマンドが正常であるか否かの判定（保留加算コマンドの正否判定）を行う（ステップＳ７１１）。これは演出制御部側に参照用データとして予め記憶してある保留加算コマンド一覧（図２９）を参照して、その一覧中の保留加算コマンド種別と照合し、そのうちの一つと受信した保留加算コマンドが一致するかどうかを判定することで行う。
【０３９９】
具体的には、保留加算コマンドのＥＶＥＮＴデータ（先読み変動パターン情報）同士を照合し、受信した保留加算コマンドのＥＶＥＮＴデータが、演出制御部側に図２９の保留加算コマンド一覧として記憶されているＥＶＥＮＴデータ「００Ｈ」〜「１１Ｈ」（先読み変動パターン種別Ｘ１〜Ｘ１１およびＹ１〜Ｙ７）の一つと一致するか否かについて判定する。
【０４００】
受信した保留加算コマンドのＥＶＥＮＴデータが００Ｈ〜１１Ｈのいずれでもでない場合は（ステップＳ７１１：ＮＯ）、コマンド異常と判断し、当該保留加算コマンドについての加算処理を行わないで、この保留加算コマンド受信処理を抜ける。
【０４０１】
（１４−２．保留球数の整合性判定）
受信した保留加算コマンドのＥＶＥＮＴデータが００Ｈ〜１１Ｈである場合は（ステップＳ７１１：ＹＥＳ）、コマンドが正常であると判断し、演出制御部側が管理する保留球数（サブ保留球数）について１加算する処理を実行する（ステップＳ７１２）。そして、当該保留加算コマンドで指定された保留球数を、演出制御部側が管理するＲＡＭ２４３の所定領域（保留球数管理領域：保留球数記憶手段）に格納する（ステップＳ７１３）。そして、現在記憶管理している上記１加算後のサブ保留球数と、受信した保留加算コマンドが指定する保留球数とを照合し、一致するか否かで整合性を判定する（ステップＳ７１４）。つまり、保留加算コマンドを受信したならば、そのことによりサブ保留球数を１加算し、保留加算コマンドの指示する内容（保留球数）が、この加算結果と一致するかをチェックする。
【０４０２】
このような保留球数の整合性判定を必要とする理由は、たとえば何らかの電気的ノイズ（たとえば、電源投入時のノイズや静電気ノイズなどの外乱的・内乱的要因による各種ノイズ）が制御系に入り込んで保留加算コマンドのデータが変化し、保留加算コマンドが指定する保留球数が、演出制御部側が管理している現在の保留球数（サブ保留球数）と異なってくることがあり、これに起因して、主制御部側で管理している先読み判定結果と、演出制御部側で行っている先読み予告演出との対応関係がくずれ、演出制御部側で行っている先読み予告演出が不適切なものとなることが考えられるからである。
【０４０３】
上記サブ保留球数は、特別図柄１の保留球数と、特別図柄２の保留球数と、その両者を合わせた総合保留球数（合計保留球数）とに分けて管理されており、上記のステップＳ７１２では、該当するサブ保留球数について１加算する。たとえば特別図柄１についての保留加算コマンドを受信した場合であれば特別図柄１の保留球数と総合保留球数とを１加算する処理を行い、特別図柄２についての保留加算コマンドを受信した場合であれば特別図柄２の保留球数と総合保留球数とを１加算する処理を行う。
【０４０４】
上記ステップＳ７１４における保留球数の整合性判定は、最初に特別図柄１と特別図柄２の保留球数を合わせた総合保留球数（合計保留球数）についてその整合性を判定し、２番目に特別図柄１の保留球数についてその整合性を判定し、３番目に特別図柄２の保留球数についてその整合性を判定する。
【０４０５】
この実施形態では、総合保留球数と特別図柄１の保留球数と特別図柄２の保留球数の３つについて、整合性判定を実行した。しかし事情によっては、これらのうちの幾つかについてのみ整合性を判断してもよい。たとえば総合保留球数についてのみ整合性判定を実行し、または総合保留球数と特別図柄１の保留球数の２つについて整合性判定を実行し、または総合保留球数と特別図柄２の保留球数の２つについて整合性判定を実行することができる。
【０４０６】
（１４−２−１．保留球数が整合している場合）
上記整合性判定の結果、上記１加算後のサブ保留球数と保留加算コマンドが指定する保留球数との値が一致する場合、つまり両者が整合している場合は（ステップＳ７１５：ＹＥＳ）、「先読み禁止カウンタｓｙｓ」の値がゼロであるか否かをチェックし（ステップＳ７１６）、ゼロである場合は続いて「先読み禁止カウンタｍｏｄｅ」の値がゼロであるか否かをチェックする（ステップＳ７１７）。
【０４０７】
ここで「先読み禁止カウンタｓｙｓ」と「先読み禁止カウンタｍｏｄｅ」は、共に、先読みを禁止する図柄変動表示ゲーム数を計数管理するためのカウンタである。このうち、一方の「先読み禁止カウンタｓｙｓ」は、制御系における異常（たとえば電気的ノイズによる保留球数の主・副制御部間での不一致）に起因して先読みを禁止する場合に使用される。この「先読み禁止カウンタｓｙｓ」には、現存する保留球数に対応する値がセットされ、これにより保留球数分の図柄変動表示ゲームが消化されるまでの区間が管理され、当該区間中に新たに生じた保留記憶についての先読み予告演出の抽選または実行が禁止される。
【０４０８】
また他方の「先読み禁止カウンタｍｏｄｅ」は、下記のケース１、２のような上記矛盾や違和感ないし不信感をもたらす状況が発生しないように先読み予告演出の発生を禁止するために用いられる。
【０４０９】
＜ケース１＞
新たにハズレ入賞または当り入賞があり、その保留記憶（たとえば保留４個目）の先読み結果に基づいて連続予告演出が開始したが、その前に当り入賞に係る保留記憶（たとえば保留２個目）が存在していたため、保留４個目の先読み結果に基づいて開始された上記連続予告演出が、保留４の図柄変動が開始される前に途切れてしまうと、遊技者に違和感や不信感をもたらすことになる。
【０４１０】
＜ケース２＞
確変状態下での先読み予告演出でプレミアム大当りの虹色保留が発生したが、その前に非確変大当りの入賞に係る保留記憶が存在していて、低確率状態の当り判定テーブル上でのハズレに該当してしまうと、プレミアム大当りの虹色保留がハズレとなってしまい、遊技者に不信感を与える。
【０４１１】
このように、一度先読み演出抽選（ステップＳ７１８）に当選して当該先読み予告演出を実行中である場合に、新たな入賞球による保留記憶に基づき再び先読み演出抽選に当選したとして先読み予告演出を現出させると、先読み演出相互間に矛盾や違和感を発生させたり、先読み予告演出（たとえば赤保留や稲妻画像予告）がいずれの入賞球（保留記憶）に基づいて発生しているのかが不明となって、遊技者に一種の不信感をもたらすことになる。そこで、そのような状況が発生しないように、「先読み禁止カウンタｍｏｄｅ」に現存する保留球数に対応する値をセットし、保留球数分の図柄変動表示ゲームが消化されるまで、新たな保留記憶について、先読み予告演出の抽選または実行を禁止する。
【０４１２】
先読み予告演出は現存する作動保留球数を対象とする連続予告演出である。したがって、上記「先読み禁止カウンタｓｙｓ」または「先読み禁止カウンタｍｏｄｅ」のいずれによる場合であっても、先読み予告演出の禁止については、先読み演出抽選に当選した時点で存在する保留球数に対応する図柄変動表示ゲームの回数について先読み予告を禁止すればよく、本実施形態ではそのようにしている（ステップＳ７２０、Ｓ７２４）。
【０４１３】
しかし、先読み演出抽選に当選した時点で存在する保留球数は、最大でも、その上限である４個までに定まっている。そこで、最大保留記憶数と同じ値の４回を「先読み禁止カウンタｓｙｓ」および「先読み禁止カウンタｍｏｄｅ」にそれぞれセットして、確定的に４回だけ、新たな保留記憶について先読み予告を禁止する構成としてもよい。
【０４１４】
また特別図柄１に係る保留球数と特別図柄２に係る保留球数の合計値（最大で８個）を管理している構成の場合には、「先読み禁止カウンタｓｙｓ」および「先読み禁止カウンタｍｏｄｅ」に上記合計の最大値である８個をセットして、確定的に８回だけ、新たな保留記憶について先読み予告を禁止する構成としてもよい。
【０４１５】
ステップＳ７１６の判断において「先読み禁止カウンタｓｙｓ」の値がゼロとなっていない場合（ステップＳ７１６：ＮＯ）、つまり先読み禁止中の場合は、後述する先読み演出抽選処理（ステップＳ７１８）を行わずにステップＳ７２１に進む。同様にステップＳ７１７の判断において「先読み禁止カウンタｍｏｄｅ」の値がゼロでない場合（ステップＳ７１７：ＮＯ）、つまり先読み禁止中の場合も、後述する先読み演出抽選（ステップＳ７１８）を行わずにステップＳ７２１に進む。
【０４１６】
他方、ステップＳ７１６〜Ｓ７１７の判断において「先読み禁止カウンタｓｙｓ」の値がゼロで（ステップＳ７１６：ＹＥＳ）かつ「先読み禁止カウンタｍｏｄｅ」の値もゼロ（ステップＳ７１７：ＹＥＳ）の場合、先読み禁止中ではないので、ステップＳ７１８に進み先読み演出抽選処理を行う。
【０４１７】
（先読み演出抽選処理：図２１）
図２１は、先読み演出抽選処理（ステップＳ７１８）の詳細を示したものである。
【０４１８】
この先読み演出抽選処理では、変動開始時に決定されることとなる変動パターン種別を先読みした結果として保留加算コマンドで指定される先読み変動パターン種別に基づき、先読み予告演出を行うか否かの抽選を行う（ステップＳ７１８）。
本実施形態における「保留加算コマンド」は、作動保留球数、先読み変動パターン種別、特別図柄種別のそれぞれに関する情報を含んだ形態のものであり、したがって、これらの情報のうちの先読み変動パターン種別に関する情報が、先読み演出抽選の抽選契機に利用される。しかし、作動保留球数、先読み変動パターン種別、特別図柄種別に関する情報を、複数の演出制御コマンドに分担させる形態とした場合には、それらの形態における先読み変動パターン種別に関する情報を含んだ制御コマンドを受信した場合に、先読み演出抽選を行うことになる。
【０４１９】
たとえば、作動保留球数情報を含む制御コマンド１と、先読み変動パターン種別情報を含む第２の制御コマンド２とを用いる形態では、先読み変動パターン種別情報を含む制御コマンド２を受信した場合に先読み演出抽選を行う。
【０４２０】
また、作動保留球数および特別図柄種別（特別図柄１、特別図柄２）情報を含む制御コマンド３と、先読み変動パターン種別情報を含む制御コマンド４とを用いる形態では、制御コマンド４を受信した場合に先読み演出抽選を行う。また、作動保留球数情報を含む制御コマンド５と、特別図柄種別（特別図柄１、特別図柄２）情報および先読み変動パターン種別情報を含む制御コマンド６とを用いる形態では、先読み変動パターン種別情報を含む制御コマンド６を受信した場合に先読み演出抽選を行う。
【０４２１】
また作動保留球数情報を含む制御コマンド７と、特別図柄種別（特別図柄１、特別図柄２）情報を含む制御コマンド８と、先読み変動パターン種別情報を含む制御コマンド９とを用いる形態では、先読み変動パターン種別情報を含む制御コマンド９を受信した場合に先読み演出抽選を行う。
【０４２２】
ここで「先読み予告演出」には二種類がある。一つは、始動口に遊技球が入賞して始動条件が成立した際（つまり入賞時または始動条件成立時）に生起させる入賞時変化系ないし始動時変化系の予告演出を、複数回の図柄変動表示動作において実行することによる先読み予告演出（連続予告演出）であり、本実施形態では保留表示変化系の予告演出（色変化保留の出現）を連続させる、つまり表示位置シフトさせることにより行う先読み予告演出である。他の一つは、図柄遊技の図柄変動表示動作を実行する際（つまり変動開始時）に生起させる変動開始時変化系の予告演出を、複数回の図柄変動表示動作に跨って表示させることによる先読み予告演出（連続予告演出）であり、本実施形態では画像表示変化系の予告演出（稲妻出現）を連続させることにより行う連続予告演出である。したがって、先読み予告演出の抽選としては、変動開始時変化系の予告演出を行うか否かについての抽選と、変動開始時変化系の予告演出を行うか否かについての抽選とがあり、両者を独立に行う。しかし、両者をまとめて一緒に抽選する形態（先読み予告演出と変動開始時変化系の予告演出を一の抽選結果に係らしめて実行する形態）にして、先読み予告演出の抽選に当選するときは同時に変動開始時変化系の予告演出の抽選にも当選するように構成してもよい。
【０４２３】
上記先読み演出抽選処理では、保留加算コマンドで指定される先読み変動パターン種別が、図２９の先読み変動パターン種別Ｘ１〜Ｘ１１およびＹ１〜Ｙ７である場合は、当該変動パターン種別に基づき、図３８に示す先読み演出抽選テーブルを参照して先読み予告演出を決定し（ステップＳ７３１：先読み演出抽選）、その先読み演出抽選の結果に基づく演出情報（先読み演出抽選結果に関する情報）をセットする（ステップＳ７３２）。この演出情報は先読み予告演出を現出する際に利用される。ここでセットされる演出情報には、（ｉ）入賞時変化系の先読み予告演出を指定する情報、たとえば、図３８に示す保留表示に関する情報（保留色やアイコン画像による保留表示態様を指定する）の他、（ｉｉ）変動開始時変化系の予告演出を指定する情報、たとえば、稲妻演出の種別（強稲妻演出（当選期待度高）、中稲妻演出（当選期待度中）、弱稲妻演出（当選期待度低）の別）や、（ｉｉｉ）先読み演出抽選非当選情報（入賞時変化系の先読み予告演出を実行しない旨の情報）などが含まれる。
【０４２４】
（Ｔ−８．先読み演出抽選テーブル：図３８）
図３８は先読み演出抽選テーブルを示したもので、先読み演出を実行する抽選契機となる先読み変動パターン種別として、図３５のハズレ変動パターン種別の一部と、図３４の当り変動パターン種別の一部とを含んだ構成になっている（ここでは、一例として、図２９に例示した先読み変動パターン種別Ｘ３〜Ｘ１１、Ｙ１〜Ｙ７の保留加算コマンドに対応するものを示している）。しかし、これらと共に、またはこれらとは別に、他の変動パターン種別を抽選契機となる先読み変動パターン種別として扱ってもよい。
【０４２５】
図３８では、先読み変動パターン種別として、ハズレの場合は、指定内容が「通常変動」、「Ｎリーチ」、「通常中ＳＰリーチ１〜７」である先読み変動パターン種別Ｘ３〜Ｘ１１が、また当りの場合は、指定内容が「通常中ＳＰリーチ１〜７」である先読み変動パターン種別Ｙ１〜Ｙ７が抽選契機となっている。これらの先読み変動パターン種別の変動態様は、通常変動、ノーマルリーチ、第１リーチ演出Ａ、第１リーチ演出Ｂ、第１＋第２リーチ演出Ａ、第１＋第２リーチ演出Ｂ、第２リーチ演出Ａ、第２リーチ演出Ｂ、特殊リーチとなっている。そして、これらの先読み変動パターン種別において抽選により選択される先読み保留予告の色の選択割合が数値で示されている。
【０４２６】
詳しくは、ハズレの場合の先読み変動パターン種別Ｘ３〜Ｘ１１として、「通常変動」、Ｎリーチ（ノーマルリーチ）、通常中ＳＰリーチ１（第１リーチ演出Ａ）、通常中ＳＰリーチ２（第１リーチ演出Ｂ）、通常中ＳＰリーチ３（第１＋第２リーチ演出Ａ）、通常中ＳＰリーチ４（第１＋第２リーチ演出Ｂ）、通常中ＳＰリーチ５（第２リーチ演出Ａ）、通常中ＳＰリーチ６（第２リーチ演出Ｂ）、通常中ＳＰリーチ７（特殊リーチ）があり、先読み保留予告の色が「白」「青」「赤」となる場合の選択割合が数値で示されている。また同様に、当りの場合の先読み変動パターン種別Ｙ１〜Ｙ７として、についても、通常中ＳＰリーチ１（第１リーチ演出Ａ）、通常中ＳＰリーチ２（第１リーチ演出Ｂ）、通常中ＳＰリーチ３（第１＋第２リーチ演出Ａ）、通常中ＳＰリーチ４（第１＋第２リーチ演出Ｂ）、通常中ＳＰリーチ５（第２リーチ演出Ａ）、通常中ＳＰリーチ６（第２リーチ演出Ｂ）、通常中ＳＰリーチ７（特殊リーチ）があり、先読み保留予告の色が「白」「青」「赤」となる場合の選択割合が数値で示されている。
【０４２７】
上記の変動態様のうち「通常変動」は、通常の短時間の図柄変動表示動作（通常変動）をしただけで、リーチ状態を経由せずに終了する図柄変動パターンの変動態様である。この通常変動の場合、先読み保留予告「白」「青」「赤」が選択される割合は、全体が２５６のうち、「白」が２５０、「青」が６、「赤」が０である。
【０４２８】
また「ノーマルリーチ」は、図３９に「変動パターン０」として示すように、通常変動をした後、ノーマルリーチ状態を経由するだけで、リーチ演出が発生することなくハズレを報知して終了する場合の変動態様である。このノーマルリーチの場合、先読み保留予告「白」「青」「赤」が選択される割合は、全体が２５６のうち、「白」が２４４、「青」が１２、「赤」が０である。
【０４２９】
また、「第１リーチ演出Ａ」または「第１リーチ演出Ｂ」は、図３９に「変動パターン１」として示すように、通常変動をした後、ノーマルリーチ状態を経由して第１リーチ演出（たとえばアニメ画像による演出）が発生し、その後、当りまたはハズレを報知して終了する場合の変動態様である。ハズレの「第１リーチ演出Ａ」または「第１リーチ演出Ｂ」の場合において、先読み保留予告「白」「青」「赤」が選択される割合は、全体が２５６のうち、「白」が２３０、「青」が２５、「赤」が１である。また当りの「第１リーチ演出Ａ」または「第１リーチ演出Ｂ」の場合において、先読み保留予告「白」「青」「赤」が選択される割合は、全体が２５６のうち、「白」が２１６、「青」が３０、「赤」が１０である。したがって、第１リーチ演出を伴うと先読み保留予告が発生する割合が高まり、またハズレの場合よりも当りの場合の方が先読み保留予告の発生する割合が高まるようになっている。
【０４３０】
また、「第１＋第２リーチ演出Ａ」または「第１＋第２リーチ演出Ｂ」は、図３９に「変動パターン２」として示すように、通常変動をした後、ノーマルリーチ状態を経由して第１リーチ演出（たとえばアニメ画像による演出）が発生し、一旦ハズレが報知された後、上記第１リーチ演出よりも当り期待度の高い第２リーチ演出（たとえば実写画像による演出）が発生し、当りまたはハズレを報知して終了する場合の変動態様である。ハズレの「第１＋第２リーチ演出Ａ」または「第１＋第２リーチ演出Ｂ」の場合において、先読み保留予告「白」「青」「赤」が選択される割合は、全体が２５６のうち、「白」が１８６、「青」が５０、「赤」が２０である。また当りの「第１＋第２リーチ演出Ａ」または「第１＋第２リーチ演出Ｂ」の場合において、先読み保留予告「白」「青」「赤」が選択される割合は、全体が２５６のうち、「白」が１６６、「青」が６０、「赤」が３０である。したがって、「第１＋第２リーチ演出Ａ」または「第１＋第２リーチ演出Ｂ」の場合、「第１リーチ演出Ａ」または「第１リーチ演出Ｂ」の場合よりも「青」「赤」の選択される割合が高くなり、相対的に「白」の選択される割合が低くなる。またハズレの場合よりも当りの場合の方が、「青」「赤」の選択される割合が高くなり、相対的に「白」の選択される割合が低くなる。
【０４３１】
また、「第２リーチ演出Ａ」または「第２リーチ演出Ｂ」は、図３９に「変動パターン３」として示すように、通常変動をした後、ノーマルリーチ状態を経由するが、第１リーチ演出（アニメ画像演出）は経由せずに、つまり省略されて、直ちに第２リーチ演出（実写画像演出）が発生し、当りまたはハズレを報知して終了する場合の変動態様である。ハズレの「第２リーチ演出Ａ」または「第２リーチ演出Ｂ」の場合において、先読み保留予告「白」「青」「赤」が選択される割合は、全体が２５６のうち、「白」が１７６、「青」が４０、「赤」が４０である。また当りの「第２リーチ演出Ａ」または「第２リーチ演出Ｂ」の場合において、先読み保留予告「白」「青」「赤」が選択される割合は、全体が２５６のうち、「白」が１０６、「青」が７０、「赤」が８０である。したがって、「第２リーチ演出Ａ」または「第２リーチ演出Ｂ」の場合、「第１＋第２リーチ演出Ａ」または「第１＋第２リーチ演出Ｂ」の場合よりも「赤」の選択される割合が高くなり、相対的に「白」「青」の選択される割合が低くなる。またハズレの場合よりも当りの場合の方が、「青」「赤」の選択される割合が高くなり、相対的に「白」の選択される割合が低くなる。
【０４３２】
また、「特殊リーチ」とは、通常中ＳＰリーチ７の場合、図３４に示すように、当たれば１６Ｒ確変大当りとなるリーチ態様（たとえば７図柄リーチのかかる態様）が出現することから、その特殊性に鑑みて命名したものである。図３８のハズレの「特殊リーチ」（図３５の通常中ＳＰリーチ７）の場合において、先読み保留予告「白」「青」「赤」が選択される割合は、全体が２５６のうち、「白」が２０６、「青」が０、「赤」が５０である。また当りの「特殊リーチ」（図３４の通常中ＳＰリーチ７）の場合において、先読み保留予告「白」「青」「赤」が選択される割合は、全体が２５６のうち、「白」が１２８、「青」が０、「赤」が１２８である。したがって、「特殊リーチ」の場合、「第２リーチ演出Ａ」または「第２リーチ演出Ｂ」の場合よりも「赤」の選択される割合が高くなる。またハズレの場合よりも当りの場合の方が、「「赤」の選択される割合が高くなり、相対的に「白」の選択される割合が低くなる。
【０４３３】
（先読み演出抽選の特色）
上記図３８の説明から判るように、本実施形態の場合、リーチ演出（リーチ中の演出）種別）として、第１リーチ演出（たとえばアニメ画像による演出）と、この第１リーチ演出よりも当り期待度の高い第２リーチ演出（たとえば実写画像による演出）との２種類を含んでいる。またリーチ演出を扱う図柄変動パターンの種別として、第１リーチ演出を行った後に、当りの当否結果を報知して図柄変動表示動作を終える「第１変動パターン（図３９の変動パターン１）」と、第１リーチ演出を行った後に第２リーチ演出を行い、その後に当りの当否結果を報知して図柄変動表示動作を終える「第２変動パターン（図３９の変動パターン２）」と、第１リーチ演出を行うことなく第２リーチ演出を行い、その後に当りの当否結果を報知して図柄変動表示動作を終える「第３変動パターン（図３９の変動パターン３）」との、計３種類を含んでいる。
【０４３４】
そして図２１の先読み演出抽選処理におけるステップＳ７３１（先読み演出選択手段）においては、上記変動パターンの種別に関連して特定の先読み予告演出（ここでは通常色（白色）以外の色（青色または赤色）の先読み保留予告）を実行する割合に違いを付けており、ここでは、上記第１リーチ演出を行うことなく第２リーチ演出を行う第３変動パターン（図３９の変動パターン３）のときに上記特定の先読み予告演出を実行する割合の方が、第１リーチ演出と第２リーチ演出を行う第２変動パターン（図３９の変動パターン２）のときに特定の先読み予告演出を実行する割合よりも、高くなっている。
【０４３５】
図３８の先読み演出抽選テーブルにおいて、特定の先読み予告演出として、通常の「白」以外の「青」または「赤」の先読み保留予告が選択される割合を見てみると、ハズレの場合、通常変動が‘６’、ノーマルリーチが‘１２’、「第１リーチ演出Ａ」または「第１リーチ演出Ｂ」が‘２６’、「第１＋第２リーチ演出Ａ」または「第１＋第２リーチ演出Ｂ」が‘７０’、「第２リーチ演出Ａ」または「第２リーチ演出Ｂ」が‘８０’、「特殊リーチ」が‘５０’である。また当りの場合、「第１リーチ演出Ａ」または「第１リーチ演出Ｂ」が‘４０’、「第１＋第２リーチ演出Ａ」または「第１＋第２リーチ演出Ｂ」が‘９０’、「第２リーチ演出Ａ」または「第２リーチ演出Ｂ」が‘１５０’、ハズレの「特殊リーチ」が‘１２８’である。したがって熱い先読み演出として、通常の「白」以外の「青」または「赤」が選択されて表示される割合は、ハズレおよび当りのいずれの場合においても、「第２リーチ演出Ａ」または「第２リーチ演出Ｂ」が最も高くなっており、またハズレの場合よりも当りの場合の方の選択割合が高くなっている。
【０４３６】
このように「第１＋第２リーチ演出Ａ」または「第１＋第２リーチ演出Ｂ」の場合よりも、「第２リーチ演出Ａ」または「第２リーチ演出Ｂ」の場合の方が、先読み保留予告として「青」または「赤」の選択される割合の方を高くしている理由は、変動パターン２（「第１＋第２リーチ演出Ａ」または「第１＋第２リーチ演出Ｂ」）が選択されて、熱い先読み予告演出（先読み保留予告の「青」または「赤」や「稲妻連続予告」）が発生したときの第１リーチ演出中は、多くの遊技者に「この第１リーチ演出は外れとなって第２リーチ演出に発展するんでしょ」という冷めた見方、つまり第１リーチ演出自体には意義がない見方をされ、第１リーチ演出を経由することが時間の無駄となっている状況を少なくするためである。
【０４３７】
本実施形態では、図３９の変動パターン３のときに特定の先読み予告演出を実行する割合を、図３９の変動パターン２のときに特定の先読み予告演出を実行する割合よりも高くしている結果、期待度の高い先読み演出が発生した場合、第１リーチ演出が省かれて、いきなり第２リーチ演出が実行される第３変動パターンの発生割合が高まることから、第１リーチ演出に要する時間の無駄をできるだけ無くすことが可能になる。つまり、期待度の高い先読み予告演出が発生した場合は、できるだけ早く期待度の高いリーチ演出を実行することになり、図柄遊技における興趣の向上を図ることができる。
【０４３８】
上記先読み演出抽選処理を終了するとステップＳ７１９に進み、先読み演出抽選処理において先読み予告に当選しているか否かを判断する。当選している場合は（ステップＳ７１９：ＹＥＳ）、現在の保留球数の値（１〜４個または１〜８個）を「先読み禁止カウンタｍｏｄｅ」にセットし（ステップＳ７２０）、ステップＳ７２１に進む。当選していない場合（ステップＳ７１９：ＮＯ）は、ステップＳ７２０のカウンタセット処理を行わずにステップＳ７２１に進む。
【０４３９】
上記のように先読み演出抽選に当選した際に現存する保留球数の値を「先読み禁止カウンタｍｏｄｅ」にセットすることで（ステップＳ７２０）、当該保留球数の値に対応する図柄変動回数の間、新たな入賞球が発生しても、それについて先読み予告演出の抽選が禁止される（ステップＳ７１７：ＮＯのルート）。たとえば現在の保留球数が３個の場合、当該保留球数に対応する３回の図柄変動の間、先読み予告演出の抽選が禁止され、これにより先読み予告演出の発生が阻止される。この関係は、後述するステップＳ７２４において「先読み禁止カウンタｓｙｓ」に現在の保留球数の値がセットされた場合も同じである。なお上述の「先読み禁止カウンタｍｏｄｅ」は、先読み予告当選に関する情報としても利用することができる。つまり、「先読み禁止カウンタｍｏｄｅ」がゼロであれば、先読み予告非当選中（先読み予告非実行状態）であり、ゼロ以外の値であれば先読み予告当選中（先読み予告実行状態）と判断することができる。
【０４４０】
ステップＳ７２１に進むと、液晶制御部側に、作動保留球数情報を含む液晶制御コマンド（液晶側保留球数情報コマンド）を送信する。これにより、液晶表示画面に保留球数に対応する数のアイコン画像が点灯表示される。なお、この保留球数情報のコマンド送信は、特別図柄１の保留球数と特別図柄２の保留球数のすべてについて送信する。
【０４４１】
またここでは、上記液晶側保留球数情報コマンドの他、演出情報を確認し、先読み予告演出に関する情報として、たとえば、保留表示に関する情報（保留表示態様を指定する情報）を含む液晶制御コマンド（液晶側先読み情報コマンド）も送信される。したがって、入賞時変化系の先読み予告演出（保留表示変化系の先読み予告演出）を実施するか否かについての先読み予告抽選に当選している場合には、ステップＳ７２１の液晶制御部側に送信される液晶側先読み情報コマンドに基づき、液晶制御部側が保留表示変化系の先読み予告演出として、今回入賞した保留記憶に係る保留表示態様（保留アイコン）を、専用の保留色（たとえば、青色、黄色、緑色、赤色または虹色のいずれかの色）の保留表示態様（専用保留表示）としたり、または通常とは異なる特殊なアイコンを利用した特別な保留表示態様となるように液晶画面に表示させる。これにより、たとえば、今回入賞した保留記憶が３個目であれば、この３個目の保留記憶が図柄変動表示ゲーム（図柄変動表示動作）に供されるまでの間、その特別な保留表示を連続的に出現させることができる。つまり、ここでの処理では、先読み予告抽選に当選している場合には保留加算コマンドを受信した際、「入賞時変化系」の先読み予告演出として、「専用保留表示（たとえば、青色、黄色、緑色、赤色または虹色の保留表示）」を、先読み予告抽選に当選していない場合には通常保留表示を現出制御するための演出制御処理が行われるようになっている（図５、図６参照）。なお本実施形態では、液晶側保留球数情報コマンドと、液晶側先読み情報コマンドとを送信する（複数のコマンドを送信する）と説明したがこれに限らず、制御負担の軽減のために、保留球数情報および保留表示に関する情報を含ませた液晶制御コマンドを送信しても良い。
【０４４２】
またここでは、先読み予告演出の一環として、たとえば、通常とは異なる音演出（特殊音演出）や特殊な光演出（特殊光演出）を現出制御するための演出（特殊保留演出）シナリオがセットされる。これにより、たとえば、今回の保留記憶が３個目であれば、この３個目の保留記憶が図柄変動表示ゲーム（図柄変動表示動作）に供されるまでの間、先読み予告演出を現出させることができるようになっている。たとえば、保留記憶発生時（入賞時）において、通常とは異なる入賞音（特殊入賞音）を発生させて先読み予告抽選に当選したことを報知したり、また当該保留記憶が図柄変動表示ゲーム（図柄変動表示動作）に供されるまでの期間において（たとえば、保留表示がシフト表示時や新たな保留記憶の発生時など）、特殊音演出や特殊光演出を現出させたり、保留表示のアイコン画像を変化（保留アイコン画像変化演出）させたりすることができる。
【０４４３】
また、変動開始時変化系の先読み予告演出（稲妻演出）を実施するか否かについての先読み予告抽選に当選している場合には、保留記憶が順次消化される際、図柄変動表示動作が実行時の後述の先読み予告演出処理（後述の図２７のステップＳ８７４）において、変動開始時変化系の予告演出として稲妻演出の演出シナリオがセットされ、これにより、稲妻画像による稲妻演出（図５、図６参照）が現出されることになる。
【０４４４】
次いで、保留特殊演出の演出情報が含まれていないか、つまり上記保留特殊演出が実行中であるか否かを確認し、保留特殊演出が実行中でなければ（ステップＳ７２２：ＮＯ）、通常保留入賞音のシナリオをセットする（ステップＳ７２３）。これにより、新たな保留記憶が発生し、このとき保留特殊演出が実行中でない場合には、特殊入賞音の替わりに、通常の保留入賞音が発生することになる。その後、保留加算コマンド受信処理を抜ける。一方、保留特殊演出の演出情報が含まれている場合には（ステップＳ７２２：ＹＥＳ）、保留特殊演出が実行中であり、この場合は、上記特殊保留演出のシナリオに基づいて先読み予告演出に係る音演出を発生させることとしているので、ここでは何もせず、そのまま保留加算コマンド受信処理を抜ける。なお、先読み予告演出が実行中である場合には、新たな保留を対象とした先読み予告演出が禁止されることとしているので、「先読み禁止カウンタｍｏｄｅ」がゼロであれば保留特殊演出が実行中でないと判定してゼロでないならば保留特殊演出が実行中であると判定しても良い。また、先読み予告演出実行期間中（保留特殊演出が実行中）である場合、上記通常の保留入賞音を発生させるのではなく、保留記憶発生時による入賞音自体を発生させない、または、保留発生時による入賞音は発生させずに保留発生時による入賞光演出（通常の入賞光演出であっても良いし、特殊光演出であっても良い）だけを発生させるようにすることができる。
【０４４５】
（１４−２−２．保留球数が整合していない場合）
電気的ノイズによる制御系における異常に起因して保留加算コマンドの指示内容である保留球数が変化した場合、これに基づいて演出制御部側で先読み予告演出を発生させると、遊技者に不信感をいだかせる状況が生れてしまう可能性がある。そこで、このような不都合な状況が発生しないように、現存する保留個数に対応する図柄変動表示ゲーム数だけ、新たな保留記憶についての先読み演出の発生を禁止することとし、このときの先読み禁止回数を「先読み禁止カウンタｓｙｓ」にて計数管理する。
【０４４６】
具体的には、ステップＳ７１５の整合性判断処理において、保留加算コマンドの指定する保留球数が現在のサブ保留球数と整合していない場合は（ステップＳ７１５：ＮＯ）、ステップＳ７２４に進み、現在の保留球数の値を「先読み禁止カウンタｓｙｓ」にセットする（ステップＳ７２４）。これにより「先読み禁止カウンタｓｙｓ」にセットされた保留球数分だけ、その後の新たな入賞球の発生に関し、先読み演出抽選処理が禁止される（ステップＳ７１６：ＮＯのルート）。
【０４４７】
また保留加算コマンド指定の保留球数が現在のサブ保留球数と整合しない場合は（ステップＳ７１５：ＮＯ）、実行中の先読み演出情報をクリアする（ステップＳ７２５）。たとえば、当該保留加算コマンドを受信した時点で既に存在していた保留球が３個であり、当該保留加算コマンドが新しく発生した４個目の保留球であって、既に存在する３個目の保留球によって先読み予告演出が行われていたとすると、上記３個目の保留球の保留データが、現在実行中の先読み演出情報ということになる。そこで、このステップＳ７２５の処理では、この３個目の保留球に係る先読み演出情報をクリアして、それまで当該３個目の保留球の先読み演出情報に基づいて行われていた先読み予告演出を消失させることになる。よって、既に発生していた画像表示変化系（変動開始時変化系）の先読み予告演出については、３個の保留球が記憶の古い順に図柄変動表示ゲームに供されるので、３個の保留球のうちで記憶が最も古い１個目の保留球が図柄変動表示ゲームに供される時点から発生しなくなる。また、既に発生していた３個目の保留球についての保留表示変化系（入賞時変化系）の先読み予告演出については、当該３個目の保留球の表示位置が１個シフトされた時点で消失することになる。
【０４４８】
このように連続予告演出が途中で現出しなくなっても、変動開始時変化系の先読み予告演出（たとえば稲妻演出や音演出）については、もともと図柄変動表示ゲームにおいて発生するか否かが不確定な予告演出であるので、特に違和感は発生しない。これに対し、保留表示変化系の先読み予告演出（たとえば保留色変化予告）は入賞時変化系の先読み予告演出であり、作動保留球の発生時から視覚的に認識されている。したがって、既に現出していた期待度の高い保留表示色、たとえば赤色が、途中から期待度の低い通常色に戻れば、それによって遊技者に違和感を与えることになる。しかし、非常に希なケースである上に、保留色が期待度の低いものへ変化する事象が発生するというものであり、その違和感の程度は、保留記憶数の整合性がとれないために誤った保留表示変化予告（たとえば当り確定の虹色の保留が発生する事象など）が生ずることに比べれば、許容の範囲内ものと考えられる。
【０４４９】
なお、上記の先読み禁止をした旨の情報は、特には液晶制御部側に送信されない。液晶制御部側に送信して「先読み禁止中」であることを画面中に小さく表示する等の用途に用いても良いが、先読みを禁止していることを特に遊技者に報知する必要性に乏しいからである。
【０４５０】
上記ステップＳ７２４〜Ｓ７２５の処理を終えると、保留加算コマンド受信処理を抜ける。
【０４５１】
＜１６．保留減算コマンドの受信処理：図２２＞
図２２は、保留減算コマンドを受信した場合の受信コマンド解析処理を示すフローチャートである。ここで扱う保留減算コマンドは、図１２の特別図柄変動開始処理のステップＳ４０４で送信される演出制御コマンドである。なお本実施形態における「保留減算コマンド」は、作動保留球数と特別図柄種別に関する情報を含んでいるが、作動保留球数に関する情報を含んだ制御コマンドと特別図柄種別に関する情報を含んだ制御コマンドとに分担させる形態としてもよく、その場合には、それらを総合判断して特別図柄１または特別図柄２の保留球数を特定することになる。
【０４５２】
（１６−１．保留減算コマンドの正否判定）
図２２において、演出制御部２４（ＣＰＵ２４１）は、保留減算コマンドを受信した場合、まずそのコマンドの内容を解析し、保留減算コマンドが正常であるか否かの判定（保留減算コマンドの正否判定）を行う（ステップＳ７４１）。これは演出制御部側に参照用データとして予め記憶してある保留減算コマンド一覧（図３０）を参照して、その一覧中の保留減算コマンド種別のうちの一つと受信した保留減算コマンドが一致するかどうかを判定することで行う。
【０４５３】
具体的には、保留減算コマンドの下位バイト（ＥＶＥＮＴ）のデータ同士を照合し、受信した保留減算コマンドのＥＶＥＮＴデータ（先読み変動パターン情報）が、演出制御部側に図３０の保留減算コマンド一覧として記憶されているものと一致するかどうか、つまりＥＶＥＮＴデータ「０１Ｈ〜０５Ｈ」のうちの一つと一致するか否かについて判定する。なお、実際にはＥＶＥＮＴデータ「０５Ｈ」を持つ保留減算コマンドは送信されて来ないので、送られて来た保留減算コマンドがＥＶＥＮＴデータ「０１Ｈ〜０５Ｈ」の範囲のものであるか否かを判定する替わりに、ＥＶＥＮＴデータ「０１Ｈ〜０４Ｈ」（保留球数減算指定が保留記憶個数０個〜３個）の範囲にあるか否かについて判定してもよい。
【０４５４】
受信した保留減算コマンドのＥＶＥＮＴデータが０１Ｈ〜０５Ｈでない場合は（ステップＳ７４１：ＮＯ）、コマンド異常と判断して、減算処理を行わないで、この保留加算コマンド受信処理を抜ける。
【０４５５】
（１６−２．保留球数の整合性判定）
受信した保留減算コマンドのＥＶＥＮＴデータが０１Ｈ〜０５Ｈである場合は（ステップＳ７４１：ＹＥＳ）、コマンドが正常であると判断し、演出制御部は、当該保留減算コマンドで指定された保留球数を記憶するとともに（ステップＳ７４２）、演出制御部側が管理するサブ保留球数について１減算する処理を実行する（ステップＳ７４３）。そして、演出制御部側が現在記憶管理している上記１減算後のサブ保留球数と、受信した保留減算コマンドが指定する保留球数とを照合し、その整合性（一致するか否か）を判定する（ステップＳ７４４）。
【０４５６】
このように保留減算コマンドについて保留球数の整合性判定を必要とするのは、保留加算コマンドの保留球数について整合性判定（ステップＳ７１５）を行うのと同じ理由による。すなわち電気的ノイズなどが制御系に入り込んで保留減算コマンドのデータが変化し、保留減算コマンドの指定する保留球数が演出制御部側の管理するサブ保留球数と異なってくることがあり、これに起因して、主制御部側で管理している先読み判定結果と、演出制御部側で行っている先読み予告演出との対応関係がくずれ、演出制御部側で行っている先読み予告演出が不適切なものとなることが考えられるからである。
【０４５７】
上記のステップＳ７４３では、特別図柄１の保留球数と、特別図柄２の保留球数と、その両者を合わせた総合保留球数（合計保留球数）とに分けて管理されているもののうち、該当するサブ保留球数について１減算する。たとえば特別図柄１についての保留減算コマンドを受信した場合であれば、特別図柄１の保留球数と総合保留球数とをそれぞれ１減算する処理を行い、特別図柄２についての保留減算コマンドを受信した場合であれば、特別図柄２の保留球数と総合保留球数とをそれぞれ１減算する処理を行う。
【０４５８】
また上記ステップＳ７４４における保留球数の整合性判定は、最初に特別図柄１と特別図柄２の保留球数を合わせた総合保留球数（合計保留球数）についてその整合性を判定し、２番目に特別図柄１の保留球数についてその整合性を判定し、３番目に特別図柄２の保留球数についてその整合性を判定する。
【０４５９】
この実施形態では、総合保留球数と、特別図柄１の保留球数と、特別図柄２の保留球数の３種類について、整合性判定を実行しているが、これらのうちの幾つかについてのみ整合性を判断してもよい。たとえば総合保留球数についてのみ整合性判定を実行し、または総合保留球数と特別図柄１の保留球数の２つについて整合性判定を実行し、または総合保留球数と特別図柄２の保留球数の２つについて整合性判定を実行することができる。
【０４６０】
（１６−２−１．保留球数が整合している場合）
上記保留球数の整合性判定の結果、減算後のサブ保留球数と保留減算コマンドが指定する保留球数との数が一致し、両者が整合していると判断できた場合は（ステップＳ７４５：ＹＥＳ）、先読み禁止処理（ステップＳ７４６〜Ｓ７４７）を行わず、保留記憶情報（保留表示データ）をシフトする保留情報シフト処理（ステップＳ７４８）、つまり、作動保留球の消化に伴う保留表示のシフト処理（保留表示シフト処理）を実行する。
【０４６１】
上記保留情報シフト処理では、保留表示データｎ記憶エリア（ｎ＝２、３、４）に対応する保留表示データ記憶エリア（保留２表示データ記憶エリア、保留３表示データ記憶エリア、保留４表示データ記憶エリア）に格納されている保留データを、それぞれ‘ｎ−１’に対応する保留表示データ記憶エリアに上書きし、保留４表示データ記憶エリアに空き領域を設ける。空き領域となっている保留表示データ記憶エリアには保留表示用の演出シナリオデータが格納されていないため、この場合は、保留表示演出は行われずに該当表示箇所は消灯状態として表示される（図５参照）。これによりＣＰＵ２４１は、保留表示データ記憶エリア内に格納されている保留表示用演出シナリオを参照して、現存する保留表示部の位置が全体として古い記憶位置側に１つシフトされる演出表示を行い、装飾図柄変動表示ゲーム開始時には作動保留球が消化された状態を表現した保留表示を行うようになっている。なお、ＲＡＭ２０３の先読み情報記憶エリアに関しても、上述の保留表示データ記憶エリアのシフト処理と同様にして、保留ｎ先読み情報記憶エリア（ｎ＝２、３、４）に対応する先読み情報記憶エリアに格納されている先読み判定結果情報を、それぞれ‘ｎ−１’に対応する先読み情報記憶エリアに上書きし、保留４先読み情報記憶エリアに空き領域を設け、次の保留加算コマンドを受信した場合の先読み判定結果情報を格納する領域を確保するようになっている。
【０４６２】
この保留情報シフト処理では、上記のように保留球数に対応する保留記憶情報をシフトする他に、先読み禁止期間となっている演出モード中においては、その図柄変動回数を１加算して演出モードの回数を１歩進させる処理を行うと共に、先読み禁止回数を管理している「先読み禁止カウンタｓｙｓ」および「先読み禁止カウンタｍｏｄｅ」の内容をそれぞれ１減算する処理を行う。
【０４６３】
ここで保留情報のシフト処理を保留球数の整合性判定の後で行っているのは、保留球数の整合性判定より前の段階で保留情報をシフトさせる処理を行うと、保留球数の整合性が取れていないのにも拘わらず、保留情報のシフト処理が行われてしまう、という場合が発生するからである。
【０４６４】
上記のような保留情報シフト処理（ステップＳ７４８）を行った後に、保留減算コマンド受信処理（図２２）を抜ける。
【０４６５】
（１６−２−２．保留球数が整合していない場合）
上記ステップＳ７４５の判断結果として、保留減算コマンドの指定する保留球数が現在のサブ保留球数と整合していない場合は（ステップＳ７４５：ＮＯ）、ステップＳ７４６に進み、現在の保留球数の値を「先読み禁止カウンタｓｙｓ」にセットするとともに（ステップＳ７４６）、実行中の先読み演出情報をクリアして（ステップＳ７４７）、この保留減算コマンド受信処理を抜ける。
【０４６６】
したがって、保留減算コマンド指定の保留球数が現在のサブ保留球数と整合しない場合、「先読み禁止カウンタｓｙｓ」に現在の保留球数の値がセットされて、その保留球数個分だけ先読みが禁止され、かつ現在実行中の先読み演出情報もクリアされて、先読み演出（画像表示変化系（変動開始時変化系）および保留表示変化系（入賞時変化系）の先読み予告演出）が発生しなくなる。このため、電気的ノイズなどによる制御系の異常に起因して保留減算コマンドのデータが変化した場合の不都合が解消される。この関係は、保留加算コマンド指定の保留球数について整合性がとれなかった場合（ステップＳ７２４〜Ｓ７２５）と同じである。なお、特にその先読み禁止をした旨の情報は液晶制御部側に送信されない。先読みを禁止していることを液晶制御部側に送信しても良いが、その必要性は乏しいと考えられるからである。
【０４６７】
（１７．当り終了コマンドの受信処理：図２３〜図２５）
図２３は、当り終了コマンドを受信した場合の受信コマンド解析処理を示すフローチャートである。この当り終了コマンドには、大当り終了コマンドと小当り終了コマンドとが含まれる。上記大当り終了コマンドは、図１６の特別電動役物管理処理中の大当り終了処理（ステップＳ５０９）で、小当り終了コマンドは、同処理の小当り処理（ステップＳ５０４）で送信される演出制御コマンドである。
【０４６８】
図２３において、演出制御部２４（ＣＰＵ２４１）は、当り終了コマンドを受信した場合、まずそのコマンドの内容を解析し（ステップＳ８０１）、その内容である今回の当り情報とその当選時の遊技状態情報とに基づき、その当り遊技後に移行すべき演出モードを設定する（ステップＳ８０２：当り終了時演出モード設定処理）。この当り終了時演出モード設定処理についての詳細は、図２４〜図２５にて後述する。
【０４６９】
（１７−１．当り終了時演出モード設定処理：図２４〜図２５）
次に、上記の当り終了時演出モード設定処理（ステップＳ８０２）について説明する。図２４（１）は通常状態中の２Ｒ短開放潜確大当り当選時に対応する大当り終了コマンドを受信した場合、同図（２）はＣＺ中の２Ｒ短開放潜確大当り当選時に対応する大当り終了コマンドを受信した場合、図２５は通常状態中またはＣＺ中の小当り当選時に対応する小当り終了コマンドを受信した場合の当り終了時演出モード設定処理の詳細を示すフローチャートである。
【０４７０】
（１７−１−１．通常状態中の２Ｒ短開放潜確大当り当選時：図２４（１））
まず図２４（１）参照して、通常状態中において２Ｒ短開放潜確大当りに当選した場合について説明する。図２４（１）において、演出制御部２４（ＣＰＵ２４１）は、ステップＳ８０１で解析した大当り終了コマンドの内容が、通常状態中において２Ｒ短開放潜確大当りに当選したものである場合、その大当り遊技後の演出モードを、ＣＺ演出モードに設定し（ステップＳ８２１）、ＣＺ継続回数に初期値としての４回を設定する（ステップＳ８２２）。このＣＺ継続回数は、ＣＺ継続回数を管理するＲＡＭ２４３の所定領域（ＣＺ継続回数管理領域）に格納される。これにより、通常状態中（演出モードは、通常演出モード）に２Ｒ短開放潜確大当りに当選した場合、遊技状態は通常状態からＣＺ（ここでは「ＣＺ（潜確）：４回」）に移行され、演出モードはＣＺ演出モードに移行されることになる（図４の「通常状態」の「２Ｒ短開放潜確」の欄参照）。
【０４７１】
（１７−１−２．ＣＺ中の２Ｒ短開放潜確大当り当選時：図２４（２））
次に図２４（２）参照して、ＣＺ中において２Ｒ短開放潜確大当りに当選した場合について説明する。図２４（２）において、演出制御部２４（ＣＰＵ２４１）は、まずステップＳ８３１で解析した大当り終了コマンドの内容が、ＣＺ（通常）中において２Ｒ短開放潜確大当りに当選したものであるか、ＣＺ（潜確）中において２Ｒ短開放潜確大当りに当選したものであるかを判定する（ステップＳ８３１）。
【０４７２】
ＣＺ（潜確）中において２Ｒ短開放潜確大当りに当選の場合（ステップＳ８３１：＝ＣＺ（潜確））、その大当り遊技後の演出モードを潜確演出モードに設定し（ステップＳ８３２）、ＣＺ継続回数をクリアする（ステップＳ８３３）。これにより、ＣＺ（潜確）中（演出モードは、ＣＺ演出モード）に２Ｒ短開放潜確大当りに当選した場合、遊技状態はＣＺから潜確状態に移行され、演出モードはＣＺ演出モードから潜確演出モードへと格上げされることになる（図４の「ＣＺ（潜確）」の「２Ｒ短開放潜確」の欄参照）。
【０４７３】
一方、ＣＺ（通常）中において２Ｒ短開放潜確大当りに当選の場合（ステップＳ８３１：＝ＣＺ（通常））、その大当り遊技後の演出モードをＣＺ演出モードに設定し（ステップＳ８３４）、ＣＺ継続回数に４回を再設定する（ステップＳ８３５）。これにより、ＣＺ演出モードが再継続されることになる。これにより、ＣＺ（通常）中（演出モードは、ＣＺ演出モード）に２Ｒ短開放潜確大当りに当選した場合、遊技状態はＣＺ（潜確：４回）に移行され、演出モードはＣＺが継続されることになる（図４の「ＣＺ（通常）」の「２Ｒ短開放潜確」の欄参照）。なお内部遊技状態を考慮すれば、実体的な遊技状態は「ＣＺ（通常）」から「ＣＺ（潜確）」に移行されるが、演出モードは、双方同じ「ＣＺ演出モード」である。
【０４７４】
（１７−１−３．通常状態中・ＣＺ中の小当り当選時：図２５）
次に図２５参照して、通常状態中またはＣＺ中において小当りに当選した場合について説明する。図２５において、演出制御部２４（ＣＰＵ２４１）は、ステップＳ８０１で解析した内容が、通常状態中またはＣＺ中において小当りＡ〜Ｃのいずれかに当選したものである場合、その小当り遊技後の演出モードをＣＺ演出モードに設定し（ステップＳ８５１）、ＣＺ継続回数に小当り種別（小当りＡ〜Ｃ）に応じたＣＺ継続回数を設定する（ステップＳ８５２）。これにより、通常状態中（演出モードは通常演出モード）に小当りＡ〜Ｃのいずれかに当選した場合、遊技状態は通常状態からＣＺ（ここでは「ＣＺ（通常）：１回〜３回」）に移行され、演出モードは通常演出モードからＣＺ演出モードに移行されることになる。またＣＺ（通常）中（演出モードは、ＣＺ演出モード）に小当りＡ〜Ｃのいずれかに当選した場合、遊技状態はＣＺ（ここでは「ＣＺ（通常）：１回〜３回」）に移行され、これにより演出モードは、ＣＺが継続されることになる（図４の「通常状態」、「ＣＺ（通常）」の「小当りＡ」〜「小当りＣ」の欄参照）。
【０４７５】
ここで本実施形態では「ＣＺ（通常）」中において、小当りに当選した場合であっても２Ｒ短開放潜確大当りに当選した場合であっても、ＣＺが継続されるようになっている。これにより、たとえば、遊技状態の遷移状況として「ＣＺ（通常）→小当りＣ当選→ＣＺ（３回：通常）」となるケースと、「ＣＺ（通常）→２Ｒ短開放潜確大当り当選→ＣＺ（４回：潜確）」となるケースとで結果的に同じＣＺ演出モードが継続されて大当り当選確率状態が秘匿され、遊技者に対し、潜確状態への移行を不明確にすることができる。つまりＣＺ中に２Ｒ短開放潜確大当りに当選した場合、必ず潜確演出モードに移行させるよりも、ＣＺ期間中、潜確状態への移行を不明確にすることができるので潜確状態の期待感を煽ることができる。他方、ＣＺ（潜確）中に２Ｒ短開放潜確大当りに当選した場合、特典として、ＣＺ演出モードから潜確演出モードへと直ちに移行させ、潜確状態であることを確定的に報知するようにしている。なお「ＣＺ（通常）」中および「ＣＺ（潜確）」中に２Ｒ短開放潜確大当りに当選した場合、潜確演出モードに移行させても良い。
【０４７６】
（１８．変動パターン指定コマンドの受信処理：図２６）
図２６は、変動パターン指定コマンドを受信した場合の受信コマンド解析処理を示すフローチャートである。この変動パターン指定コマンドは、図１２の特別図柄変動パターン作成処理のステップＳ４１２で送信される演出制御コマンドである。
【０４７７】
図２６において、演出制御部２４（ＣＰＵ２４１）は、変動パターン指定コマンドを受信した場合、まずそのコマンドの内容を解析し（ステップＳ８６１）、その内容である特別図柄の変動パターン情報を取得し、ＲＡＭ２４３の所定領域に格納する（ステップＳ８６２）。図柄変動表示ゲーム中の演出シナリオは、まだこの時点では決定せず、変動パターン指定コマンドに続いて送られてくる装飾図柄指定コマンドを受信した場合に決定される。つまり、ここで格納された変動パターン情報と装飾図柄指定コマンドに含まれる情報（特別図柄判定データ情報）とに基づき、図柄変動表示ゲーム（装飾図柄変動表示ゲーム）中の演出シナリオが決定されるようになっている。なお、本実施形態では、変動パターン指定コマンドと装飾図柄指定コマンドとに含まれる情報に基づき、図柄変動表示ゲーム中の演出シナリオを決定しているが本発明はこれに限らず、少なくとも変動パターン指定コマンドに含まれる情報に基づき決定することができる。変動パターン指定コマンドには、当落情報と変動パターン情報とが含まれるので、当り種別自体を必要としない場合には、この変動パターン指定コマンドに基づいて、図柄変動表示ゲーム中の演出シナリオを構成することもできる。
【０４７８】
（１９．装飾図柄指定コマンドの受信処理：図２７）
図２７は、装飾図柄指定コマンドを受信した場合の受信コマンド解析処理を示すフローチャートである。この装飾図柄指定コマンドは、図１２の特別図柄変動開始処理のステップＳ４１５で送信される演出制御コマンドである。ここでは、図２６の変動パターン指定コマンド受信処理で得られた変動パターン情報と、装飾図柄指定コマンドにより得られる情報とに基づいて、図柄変動表示ゲーム中の演出（各種の予告演出）、装飾図柄の表示態様（疑似連中の仮停止図柄、リーチ図柄、停止装飾図柄など）が決定され、今回の変動表示ゲームに係る演出シナリオが構成される。本実施形態では、図柄変動表示ゲームを実行する際、主制御部２０側が保留減算コマンド、変動パターン指定コマンド、および装飾図柄指定コマンドを、この順に演出制御部２４に対し送信して（図１２の特別図柄変動開始処理のステップＳ４０４、Ｓ４１２、Ｓ４１５参照）、演出制御部２４側では、最後の装飾図柄指定コマンドを受信した際に、図柄変動表示ゲームの開始条件が整ったとして、図柄変動表示ゲームの開始処理として、図２７の装飾図柄指定コマンドの受信処理を行うようになっている。
【０４７９】
図２７において、演出制御部２４（ＣＰＵ２４１）は、まず装飾図柄指定コマンドの内容を解析し、その内容を取得する（ステップＳ８７１）。
【０４８０】
次いで、装飾図柄停止図柄抽選処理を行う（ステップＳ８７２）。この装飾図柄停止図柄抽選処理では、ステップＳ７３２の処理で得られた変動パターン情報と装飾図柄指定コマンドに含まれる当選種別情報とに基づき、最終的に停止させる左図柄・中図柄・右図柄（装飾図柄停止図柄の組合せ）を抽選により決定する。たとえば、変動パターンの内容がリーチ演出指定の当り変動パターンあり、かつ当選種別情報が１６Ｒ長開放確変大当りである場合、当該１６Ｒ長開放確変大当りに関連した装飾図柄の停止表示態様を決定するべく、まず左図柄を抽選により決定し、次いで、その左図柄とリーチ状態が形成可能な装飾図柄を右図柄として決定（リーチ図柄の決定）して、その決定された左図柄と右図柄とに基づき、１６Ｒ長開放確変大当りに関連した装飾図柄列（大当り図柄）が最終的に停止されるように中図柄を決定する。これにより、今回の装飾図柄変動表示ゲームが完了したときの装飾図柄の組合せが定まる。この決定された装飾図柄データは、ＲＡＭ２４３の装飾図柄データ格納領域に格納され利用される。
【０４８１】
次いで、先読み予告演出処理を行う（ステップＳ８７４）。ここでは、今回の図柄変動表示ゲーム中における「変動開始時変化系」の先読み予告演出を現出させるための演出処理を行う。ここでは、ステップＳ７１８（図２０）の先読み演出抽選処理において「変動開始時変化系」の先読み予告演出に当選していた場合、専用予告画像（稲妻を模した稲妻画像）表示による稲妻演出用演出データを作成し、これをＲＡＭ２４３のシナリオ設定領域に格納する。これにより、液晶表示装置３６の画面に稲妻画像表示による稲妻演出が現出される（図６（２）参照）。
【０４８２】
詳しくは、先読み予告演出処理では、先読み禁止カウンタｍｏｄｅのカウンタ値を確認し、その値がゼロでない場合、ステップＳ７３２の処理でセットされた変動開始時変化系の予告演出に係る演出情報を確認し、先読み予告演出として、稲妻演出（強稲妻演出（当選期待度高）、中稲妻演出（当選期待度中）、または弱稲妻演出（当選期待度低）のいずれかを現出させるための演出制御処理を行う。この「変動開始時変化系」の先読み予告演出は「先読み禁止カウンタｍｏｄｅ」のカウンタがゼロになるまで実行されるようになっている。なお本実施形態では、図２２のＳ７４８の保留情報シフト処理において、「先読み禁止カウンタｍｏｄｅ」の値があらかじめ１減算されるようになっており、たとえば、先読み予告抽選当選保留が３個目の保留であった場合、ステップＳ８７４の処理に入るときには、先読み禁止カウンタｍｏｄｅのカウンタ値が「２」となっている。したがって、先の保留１個目〜２個目の図柄変動表示ゲームにおいて稲妻演出が展開されるようになっている。これは、保留３個目の図柄変動表示ゲームは、先読み予告演出対象保留に係る図柄変動表示ゲームとなるので、変動開始時に先読み予告演出を現出する必要性が乏しいからである。勿論、先読み予告演出対象保留に係る図柄変動表示ゲームにおいても先読み演出を現出しても良く、この場合には、この先読み予告演出処理を終えた後段階で、先読み禁止カウンタｍｏｄｅを１減算する処理を行うように構成すれば良い。
【０４８３】
次いで、演出モードに応じた演出処理を行う（ステップＳ８７５：演出モード分岐処理）。ステップＳ８７５の演出モード分岐処理では、現在の演出モードに応じた演出シナリオ設定処理（ステップＳ８７６〜Ｓ８８０）を呼び出して実行させる。これらの演出シナリオ設定処理では、各演出モード下における演出パターン（パーツ演出）を決定する。そして決定された演出パターンに基づき、今回の図柄変動表示ゲームで現出する演出シナリオを構成し、その演出シナリオのデータをＲＡＭ２４３のシナリオ設定領域に格納する。なおステップＳ８７７の「ＣＺ演出モード演出シナリオ設定処理」についての詳細は、図２８にて後述する。
【０４８４】
上述の演出モードに対応した演出シナリオ設定処理を終えると、装飾図柄変動表示ゲーム開始に要する各種の設定処理を行う（ステップＳ８８１）。
【０４８５】
ステップＳ８８１の処理を終えると、装飾図柄指定コマンド受信処理を抜けて、以後、演出シナリオに沿った装飾図柄変動表示ゲームが開始されることになる。
【０４８６】
（１９−１．ＣＺ演出モード演出シナリオ設定処理：図２８）
次に、上記のＣＺ演出モード演出シナリオ設定処理（ステップＳ９０６）について説明する。図２８は、図２７のＣＺ演出モード演出シナリオ設定処理の詳細を示すフローチャートである。
【０４８７】
図２８において、演出制御部２４（ＣＰＵ２４１）は、ステップＳ７３２の処理で得られた変動パターン情報に基づき、変動パターン種別を判定する（ステップＳ９０１：変動パターン種別分岐処理）。当り変動パターンである場合（ステップＳ９０１：当り変動）、ステップＳ７３２の処理で得られた変動パターン情報とステップＳ８７１の処理で得られた装飾図柄指定コマンドに含まれる当選種別情報（大当り種別または小当り種別）とに基づき、ＣＺ中における当り変動パターンである場合の演出シナリオを決定し、その演出シナリオのデータをＲＡＭ２４３のシナリオ設定領域に格納する。
【０４８８】
（ＣＺ中ハズレ変動演出処理（ステップＳ９０５〜Ｓ９０７）について）
ハズレ変動パターンである場合（ステップＳ９０１：ハズレ変動）、ＣＺ継続回数を１減算し（ステップＳ９０２）、ＣＺ継続回数の残り継続回数（以下、「ＣＺ残余回数」と称する）に応じて、ステップＳ９０５〜Ｓ９０７の演出処理を行う（ステップＳ９０３：ＣＺ残余回数分岐処理）。本実施形態では、ＣＺ演出モード中における演出を決定する際、ＣＺ残余回数に応じた演出が決定されるようになっている。以下、詳細に説明する。
【０４８９】
具体的には、ＣＺ中においては、ハズレが連続して当選した場合、上記ＣＺ残余回数に応じて下記（α）〜（γ）のような演出の選択状況（特定遊技状態下演出選択状況）が発生する。
【０４９０】
（α）今回の図柄変動表示ゲーム（図柄変動表示動作）の後、次回の図柄変動表示ゲームもＣＺが継続される第１の選択状況。この場合、ＣＺ残余回数は、少なくとも１回となっている。
【０４９１】
（β）今回の図柄変動表示ゲームでＣＺが終了し、次回の図柄変動表示ゲームから通常状態（第１の遊技状態）に移行される第２の選択状況。この場合、今回の図柄変動表示ゲームに係る内部遊技状態は「通常遊技状態（低確電サポ無し）」であり、ＣＺ残余回数は「０回」となっている。
【０４９２】
（γ）今回の図柄変動表示ゲームでＣＺが終了し、次回の図柄変動表示ゲームから潜確状態（第２の遊技状態）に移行される第３の選択状況。この場合、今回の図柄変動表示ゲームに係る内部遊技状態は「潜確状態（高確電サポ無し）」であり、ＣＺ残余回数は「０回」となっている。
【０４９３】
上記第１〜第３の選択状況が発生することを考慮し、本実施形態では、ＣＺ残余回数に応じた演出処理（ステップＳ９０５〜Ｓ９０７：ＣＺ中ハズレ第１〜第３選択状況演出処理）を行うようにし、当該第１〜第３の選択状況に応じた演出を現出させるようになっている。たとえば、ＣＺが継続する第１の選択状況であれば「ＣＺ継続専用の演出態様（演出シナリオ）」を現出させたり、ＣＺが終了する第２の選択状況または第３の選択状況であれば「ＣＺ終了専用の演出態様」を現出させたりすることができる。
【０４９４】
特に第２の選択状況と第３の選択状況とでは、次ゲームから異なる遊技状態に移行される。したがって、たとえば、上記第２の選択状況である場合には、次回の図柄変動表示ゲームから通常状態に移行されるので、今回の図柄変動表示ゲームに係る演出として、通常状態に移行される旨を報せる演出（通常移行演出）を現出させたり、上記第３の選択状況である場合には、次回の図柄変動表示ゲームから潜確状態に移行するので、今回の図柄変動表示ゲームに係る演出として、潜確状態に移行される旨を報せる演出（潜確移行演出）を現出させたりすることができる。また本実施形態では、ＣＺ中に選択されるハズレ変動パターンの変動時間が作動保留球によらず同一ものが選択され、これによりＣＺ中の図柄変動表示ゲームの演出時間が同一となる。そのため、ＣＺ中に展開される演出を‘物語風の演出’とすることが容易になる。
【０４９５】
また本実施形態では、ＣＺ中のハズレ当選の場合は通常変動パターン（ＣＺ用ハズレ変動）のみが選択され、リーチ変動パターンが選択されない構成となっている（図３５の「ＣＺ（０１Ｈ）」の欄参照）。一方、当りの場合（ただし２Ｒ短開放潜確大当りと小当りは除く）、「ＣＺ用当り変動」が選択され（図３４の「ＣＺ（０１Ｈ）」の欄参照）、この「ＣＺ用当り変動」はリーチ変動パターンとして定められている。つまり、ＣＺ演出モード中にリーチ演出（リーチ状態）が発生した時点で、大当り当選確定が報知されることになる。
【０４９６】
（ＣＺ中当り変動演出処理（ステップＳ９０４）について）
なお「ＣＺ（通常）」中に２Ｒ短開放潜確大当りに当選した場合か、または「ＣＺ（通常）」および「ＣＺ（潜確）」中に小当りに当選した場合、次回の図柄変動表示ゲームもＣＺが継続されることから（図４の「ＣＺ（通常）」「ＣＺ（潜確）」の欄参照）、当該当選した場合の選択状況（以下、当り当選によりＣＺが再継続される状況を「第４の選択状況」と称する）は、ハズレの場合に係る上記第１の選択状況と同様の状況下に置かれる。この点に着目し、ステップＳ９０４のＣＺ中当り変動演出処理において、上記第４の選択状況である場合には、演出として上記第１の選択状況と同じ「ＣＺ継続専用の演出態様」を現出させることが好ましい。この場合、上記ＣＺ用ハズレ変動に基づく「ＣＺ継続専用の演出態様」と同じ演出を現出させるべく、上記第４の選択状況下の当り変動パターン（「ＣＺ中２Ｒ潜確・小当り１」または「ＣＺ中２Ｒ潜確・小当り２」）を受信した場合と「ＣＺ用ハズレ変動」とで同じ変動時間が選択されるように構成することができる。
【０４９７】
具体的には、主制御部２０側の特別図柄変動パターン作成処理（図１２のステップＳ４１２）において参照される「変動時間決定テーブル」を、「ＣＺ（０１）」中の「ＣＺ中２Ｒ潜確・小当り１」または「ＣＺ中２Ｒ潜確・小当り２」と、「ＣＺ用ハズレ変動」とで同じ変動時間が選択されるように構成する。また第４の選択状況であるか否かは、「ＣＺ中２Ｒ潜確・小当り１」または「ＣＺ中２Ｒ潜確・小当り２」を受信した際、現在の内部遊技状態を判定し、装飾図柄指定コマンドに含まれる当選種別情報により２Ｒ短開放潜確大当り当選であるか、小当り当選であるかを判定すれば、当該第４の選択状況であるか否かを識別できる。このようにすれば、上記第４の選択状況下で２Ｒ短開放潜確大当りまたは小当りに当選した場合、上記「ＣＺ継続専用の演出態様」が選択され、その当選が演出上報知されないので、あたかもＣＺが継続されているが如く装うことができる。その結果、遊技者に対しＣＺの終了時期を察知され難くし、ＣＺ期間中の潜確状態の緊張感や期待感を与えることができるようになる。
【０４９８】
また本実施形態では、２Ｒ短開放潜確大当りに当選した場合と小当り当選した場合とで、選択率の異なる「ＣＺ中２Ｒ潜確・小当り１」または「ＣＺ中２Ｒ潜確・小当り２」が選択される。図３４の当り変動パターン振分テーブルを参照すれば、２Ｒ短開放潜確大当りに当選した場合、「ＣＺ中２Ｒ潜確・小当り１」よりも「ＣＺ中２Ｒ潜確・小当り２」の方が高い選択率となっており、小当りに当選した場合はその逆の選択率となっている（図３４の「ＣＺ（０１Ｈ）」欄参照）。これを利用し、「ＣＺ中２Ｒ潜確・小当り１」と「ＣＺ中２Ｒ潜確・小当り２」とで異なる演出態様を現出させることができる。たとえば上記第４の選択状況の「ＣＺ中２Ｒ潜確・小当り１」と「ＣＺ中２Ｒ潜確・小当り２」の場合とで、特定の演出の発生確率（たとえば、特定のキャラクタ演出の発生確率）を異ならせるようにすれば、高確率状態であるか否かの推測要素を遊技者に与えることができるようになり、遊技の面白みが向上する。
【０４９９】
また本実施形態では「ＣＺ（潜確）」中に２Ｒ短開放潜確大当りに当選した場合、次回の図柄変動表示ゲームの遊技状態は、潜確状態に移行される（図４の「ＣＺ（潜確）」の欄参照）。したがって、ＣＺ中に２Ｒ短開放潜確大当りに当選し、潜確状態に移行される場合には（以下、ＣＺから潜確状態に移行される状況を「第５の選択状況」と称する）、ハズレの場合に係る上記第３の選択状況と同様の状況下に置かれる。この点に着目し、ステップＳ９０４のＣＺ中当り変動演出処理において、この第５の選択状況である場合には、演出として上記第３の選択状況と同じ「潜確状態移行演出」を現出させるように構成しても良い。
【０５００】
[第２の実施形態]
以上に説明した第１の実施形態では、演出制御部２４側がＣＺ継続回数を管理し、その回数に応じた演出を決定する形態について説明した。しかし本発明はこれに限らず、主制御部側でＣＺ継続回数を管理する構成としても良い。以下、第２の実施形態について説明する。
【０５０１】
（ハズレ変動パターン選択処理について）
ＣＺ中においては、ハズレ変動パターンを選択する際の選択状況として、ＣＺ残余回数に応じて上記第１〜第３の選択状況と同様の選択状況（特定遊技状態下変動パターン選択状況）が発生する。
【０５０２】
そこで、主制御部２０（ＣＰＵ２０１）がＣＺ中の変動パターンを選択する際、上記第１〜第３の選択状況を考慮し、各選択状況に基づく変動パターンを選択するように構成することができる。具体的には、主制御部２０側に、ＣＺ継続回数を管理する管理手段（特定遊技状態継続回数管理手段）と、ＣＺ継続回数の残り回数（ＣＺ残余回数）に応じて変動パターンを選択を選択する選択手段（特定遊技状態下変動パターン選択手段）と、を設けることができる。そして上記の選択手段により、上記第１の選択状況の場合（次回の図柄変動表示ゲームもＣＺ継続）には「第１のＣＺ用ハズレ変動パターン」を、第２の選択状況（次回の図柄変動表示ゲームから通常状態に移行）の場合には「第２のＣＺ用ハズレ変動パターン」を、第３の選択状況の場合（次回の図柄変動表示ゲームから潜確状態に移行）には「第３のＣＺ用ハズレ変動パターン」を選択可能に構成する。この場合、第１〜第３の選択状況のいずれの状態であるかの情報を含ませた変動パターン指定コマンド作成し、これを演出制御部２４に送信することができる。なお上述の管理手段は、特別図柄変動回数カウンタがその機能を、また上述の選択手段は、特別図柄変動パターン作成処理（図１２のステップＳ４１１）がその機能を担うことができる。
【０５０３】
図３６に、第２の実施形態に係るハズレ変動パターン振分テーブルを示す。なお図３６には、ＣＺに着目したハズレ変動パターン振分テーブルを示し、他の遊技状態については第１の実施形態と同じであるので、重複記載を避けるため省略してある。
【０５０４】
図示のハズレ変動パターン振分テーブルＡでは、上記第１〜第３の選択状況、つまりＣＺ残余回数に応じた変動パターンが選択されるようになっている。具体的には、ＣＺ継続指定の上記第１の選択状況（ＣＺ残余回数≠０（ＣＺ残１〜３））である場合には「ＣＺ用ハズレ変動１」が、通常移行指定の第２の選択状況（ＣＺ残０：通常移行）である場合には「ＣＺ用ハズレ変動２」が、潜確移行指定の第３の選択状況である場合（ＣＺ残０：潜確移行）には「ＣＺ用ハズレ変動３」が選択されるようになっている。
【０５０５】
上記ハズレ変動パターン振分テーブルＡを参照するに際し、主制御部２０（ＣＰＵ２０１）は、ＣＺ中である場合、まず特別図柄変動回数カウンタを確認し、ＣＺ残余回数を判定する。ただし、本実施形態の場合、特別図柄変動回数カウンタの減算処理は、後段階の特別図柄確認時間中処理（図１５ＢのステップＳ４８８）中で行われるため、上記変動パターン振分テーブルＡに示す残余回数は、実際には、「ＣＺ残余回数≠０（ＣＺ残１〜３）」の場合は上記減算処理前のＣＺ継続回数２〜４回、「ＣＺ残余回数＝０（ＣＺ残０）」の場合は同処理前のＣＺ継続回数１回の場合である。
【０５０６】
次いで、変動パターン振分テーブルＡを参照して、目的とする変動パターンを選択する。ここでは、今回の図柄変動表示ゲームでＣＺ残余回数≠０となる場合には、ＣＺ継続指定の「ＣＺ用ハズレ変動１」を選択する。ただし、今回の図柄変動表示ゲームでＣＺ残余回数＝０となる場合には、遊技状態判定番号（ＹＪ）を取得して現在の内部遊技状態を判定し、現在の内部遊技状態が通常遊技状態（通常状態：遊技状態判定番号（ＹＪ）＝００Ｈ）である場合には通常移行指定の「ＣＺ用ハズレ変動２」を選択し、現在の内部遊技状態が潜確状態（遊技状態判定番号（ＹＪ）＝０１Ｈ）である場合には潜確移行指定の「ＣＺ用ハズレ変動３」を選択する。そして、上記変動時間決定テーブルを参照し、選択した変動パターンの変動時間を決定する。本実施形態により作成された変動パターン指定コマンドは、第１〜第３の選択状況のそれぞれに対応したもの、つまり、第１〜第３の選択状況のいずれの状態であるかを情報を含み、第１〜第３の選択状況のいずれの状態であるかを特定可能な変動パターン指定コマンドとなる。
【０５０７】
また本実施形態の変形例として、ＣＺの内部遊技状態を考慮し、「ＣＺ（通常）」と「ＣＺ（潜確）」とを識別しうる変動パターン振分指定番号（Ｔｃｏｄｅ）を設け、これに対応した変動パターン振分テーブル（図３６に示す変動パターン振分テーブルＢ）を設けても良い。この構成では、ＣＺ（潜確）に対応した変動パターン指定振分番号（０５Ｈ）を新たに設け、図３６に示す変動パターン振分テーブルＢに基づき、ＣＺ残余回数に応じた変動パターンを選択する構成となっている。
【０５０８】
以上のように本実施形態では、上記第１〜第３状況に応じた変動パターンを選択することにより、演出制御部２４側において、上記「ＣＺ用ハズレ変動１」の場合には「ＣＺ継続専用の演出態様」を選択したり、上記「ＣＺ用ハズレ変動２」または「ＣＺ用ハズレ変動３」の場合には上記「ＣＺ終了専用の演出態様」を選択したりすることができる。また上記第２の状況の場合と第３の状況の場合とで異なる変動パターン、「ＣＺ用ハズレ変動２」または「ＣＺ用ハズレ変動３」が選択されるので、演出制御部２４側が「ＣＺ終了専用の演出態様」を選択する際、ＣＺ終了状況に応じて上記通常移行演出または潜確移行演出を現出させることができる。なお、ＣＺ用ハズレ変動１〜３の変動時間を決定するに際し、それぞれ同一の変動時間としても良いし、それぞれ異なる変動時間としても良い。また、上記ＣＺ用ハズレ変動２、３は、ＣＺ継続ではなくＣＺ終了を指定するものであるので、少なくともこれら変動パターンの変動時間を同一にし、上記ＣＺ用ハズレ変動１が持つ変動時間とは異なる変動時間としても良い。
【０５０９】
（当り変動パターン選択処理について）
なお既に説明したように、「ＣＺ（通常）」中に２Ｒ短開放潜確大当りに当選した場合か、または「ＣＺ（通常）」および「ＣＺ（潜確）」中に小当りに当選した場合、次回の図柄変動表示ゲームもＣＺが継続されることから、この当選した場合の選択状況は（第４の選択状況）、ハズレの場合における上記第１の選択状況と同様の状況下に置かれる。この点に着目し、当り変動パターンを選択する際、ＣＺ中の内部遊技状態を考慮して、「ＣＺ（通常）」と「ＣＺ（潜確）」とに応じた当り変動パターンを選択可能に構成しても良い。ただし、当り変動パターンと「ＣＺ用ハズレ変動」とで同じ変動時間が選択される（同一の変動時間決定テーブルが参照される）ように構成することが好ましい。演出制御部２４側では、この当り変動パターンの変動パターン指定コマンドを受信した場合、「ＣＺ（通常）」中の当選であるか、「ＣＺ（潜確）」中の当選であるかを識別し、また装飾図柄指定コマンドに含まれる当選種別情報により２Ｒ短開放潜確大当り当選であるか、小当り当選であるかを識別して、２Ｒ短開放潜確大当りまたは小当り当選に関する上記第４の選択状況であるか上記第５の選択状況であるかを判定することができる。そして、このときの演出を上記した第１の実施形態と同じように「ＣＺ継続専用の演出態様」を選択させるようにすれば、２Ｒ短開放潜確大当り当選または小当り当選した場合であっても、その当選が演出上報知されないので、あたかもＣＺが継続されているが如く装うことができ、第１の実施形態と同じ効果を奏することができる。
【０５１０】
また演出制御部２４側が「ＣＺ（潜確）」に対応する当り変動パターンを受信した場合、上記第４の選択状況であるか第５の選択状況であるかを判定し、当該第５の選択状況である場合には、上記第３の選択状況と同じ「潜確状態移行演出」を現出させるように構成することができる。
【０５１１】
以上に説明した第１の実施形態および第２の実施形態について、制御負担の観点から本発明の作用効果を述べると以下のようになる。上記第１の実施形態では、主制御部２０側が変動パターンを選択する際のＣＺ継続回数を管理せず、演出制御部２４側がＣＺ中の演出を選択する際のＣＺ継続回数を管理し、その継続回数に基づく演出を現出させる形態となっている。これにより、主制御部２０側の変動パターン選択に係る制御処理負担を低減させることができる。これに対し、上記第２の実施形態では、主制御部２０側が変動パターンを選択する際のＣＺ継続回数を管理し、その継続回数に基づく変動パターンを選択し、演出制御部２４側では、ＣＺ中の演出を選択する際のＣＺ継続回数を管理せず、当該変動パターンに基づく演出を現出させる形態となっている。これにより、演出制御部２４側の演出制御処理負担を低減させることができるようになっている。特に近年では、演出を多彩なすべく、変動パターンの種類も増え、これに関するプログラム量を勢い増加せざるを得ない状況が発生しうる。しかしながら、パチンコ店に設置するような遊技機、具体的には、風俗営業等の規制及び業務の適正化等に関する法律による７号営業を対象とした遊技機においては、同法律おける遊技機の認定及び型式の検定等に関する規則により、遊技動作全般の制御を司る主基板（本実施形態では、主制御部２０が該当する）に装着されるＲＯＭのプログラム容量が制限されているため（同規則別表第３  不正な改造その他の変更を防止するための遊技機の構造に係る技術上の規格（第６条関係））、プログラム容量の削減の観点から、主制御部２０側の変動パターン選択に係る制御負担を低減しうる第１の実施形態とすることが好ましい。しかし、いずれの制御部の負担を軽減させるかは、遊技機の設計に応じて適宜選択することができる。
【０５１２】
[第３の実施形態]
次に第３の実施形態について説明する。これはチャンスゾーン（ＣＺ）中については先読み予告の発生を禁止する構成としたものである。
【０５１３】
上記第１、第２の実施形態では、複数回の図柄変動表示ゲーム（１〜４回）に跨って特定の遊技状態（ＣＺ）を設け、そのＣＺ演出モード下においては、先読み予告演出（連続予告演出）の如く装わせる専用の演出（潜確状態の期待感を煽る演出）が現出するようにしている。このＣＺ演出モード中において先読み演出が行われることは禁止されていない。このため、当該ＣＺ演出モード下で新たな入賞に基づく保留記憶が発生し、これに基づいて先読み予告演出が発生すると、ＣＺ演出モード中の演出との間で相互に矛盾や違和感をもたらす可能性がある。
【０５１４】
そこで第３の実施形態では、ＣＺ演出モード下で新たに発生した保留記憶については、つまりＣＺ演出モードの期間として設定した変動回数（この例では１〜４回）だけは、先読み演出抽選の実行を禁止するように構成して、ＣＺ演出モード下でなす演出と先読み演出予告との間に矛盾や違和感が発生しないようにする。
【０５１５】
具体的には、たとえば、図２０のステップＳ７１６とＳ７１７で「先読み禁止カウンタｓｙｓ」と「先読み禁止カウンタｍｏｄｅ」の値がゼロである（先読み禁止中でない）との確認が取れた後に、上記ＣＺ演出モードへの切り替わりが生じたか否かを判断する処理（演出モード切り替わり判定処理）を設ける。このＣＺ演出モードへの切り替わりが生じたか否かは、大当り終了コマンドまたは小当り終了コマンド（図１６の大当り終了処理（ステップＳ５０９）、または小当り処理（ステップＳ５０４）において送信されるコマンド）を受信することにより把握することができる。これらのコマンドには、今回の当り情報とその当選時の遊技状態情報とが含まれ、その内容に基づき、その当り遊技後に移行すべき演出モードが設定されるので、当該コマンドに基づいて、ＣＺ演出モードへの切り替わりが生じたか否かを把握することができ、またその継続回数を管理することができるようになっている（図２３〜図２５参照）。そして、ＣＺ演出モード中でない場合はステップＳ７１８へ移行して先読み演出抽選処理を実行するが、ＣＺ演出モード中である場合はステップＳ７１８の先読み演出抽選処理およびステップＳ７１９の判断処理を迂回して、ステップＳ７２０の「先読み禁止カウンタｍｏｄｅ」のセット処理へ移行するように構成することができる。
【０５１６】
あるいは、図２０のステップＳ７１９（先読み演出抽選結果の判断処理）の後に上記演出モード切り替わり判定処理を設け、ＣＺ演出モード中でない場合はステップＳ７２０へ移行して「先読み禁止カウンタｍｏｄｅ」のセット処理を実行するが、ＣＺ演出モード中である場合はステップＳ７２０の「先読み禁止カウンタｍｏｄｅ」のセット処理を迂回して、ステップＳ７２１へ移行するように構成することができる。
【０５１７】
いずれの場合も、「先読み禁止カウンタｍｏｄｅ」にセットする数値は、ＣＺ演出モードの期間として設定した変動回数と同じ値（この例では１〜４回）であるが、常に固定値の４回をセットしてもよい。この場合、ＣＺ演出モードの期間として設定した変動回数（１〜４回）と「先読み禁止カウンタｍｏｄｅ」にセットした数値（４回）とのあいだにずれを発生する場合があるが、そのずれ幅は、最大でもＣＺ演出モードの期間経過後の３回の図柄変動の先読み禁止になるだけであるので、問題はないと考えられる。
【０５１８】
[第４の実施形態]
次に第４の実施形態について説明する。これは特定の遊技状態中の所定の残りの図柄変動回数については先読み予告の発生を禁止する構成のものである。ここでは、特定の遊技状態として、特別図柄時短機能作動状態（特別図柄時短状態）中の遊技状態である「時短状態」または「確変状態」を代表例にとり説明する。
【０５１９】
上記の第１、第２の実施形態では、特別図柄時短回数カウンタにより「特別図柄時短状態」にある時短演出モードの図柄変動回数（時短回数５０回）が設定され、この特別図柄時短回数カウンタの値がゼロになると特別図柄時短状態が終了する。第４の実施形態では、前提として、上記時短演出モードについて、特別図柄時短状態（時短回数５０回）が終了する手前の所定回数目に至った場合、当該所定回数目を含む残りの図柄変動回数（たとえば保留記憶可能な上限である最大保留記憶数の４回）を「ラストチャンス」とする特定の演出モードに切り替え、この「ラストチャンス」中は比較的長い変動時間の変動パターンが選択されて、遊技者の緊張が続くように構成する。
【０５２０】
しかし上記「ラストチャンス」とする特定の演出モード中に先読み予告演出が発生すると、当該特定の演出モードの演出と先読み予告演出との間で相互に矛盾や違和感をもたらす可能性がある。そこで、第４の実施形態では、演出モードが上記特定の演出モード（ラストチャンス）に切り替わった場合、当該特定の演出モード（ラストチャンス）下で新たに発生した保留記憶については、つまり上記特定の演出モード期間（ラストチャンスゾーン）として設定した残り変動回数（この例では４回）については、先読み予告演出の発生を禁止する構成にして、当該特定の演出モード下でなす演出と先読み演出予告との間に矛盾や違和感が発生しないようにする。
【０５２１】
具体的には、たとえば、図２０のステップＳ７１６とＳ７１７で「先読み禁止カウンタｓｙｓ」と「先読み禁止カウンタｍｏｄｅ」の値がゼロである（先読み禁止中でない）との確認が取れた後に、上記特定の演出モード（ラストチャンス）への切り替わりが生じたか否かを判断する処理（演出モード切り替わり判定処理）を設ける。この特定の演出モード（ラストチャンス）への切り替わりが生じたか否かは、残り時短回数コマンド送信処理（ステップＳ４０８）で送信される「残り時短回数コマンド」を監視することにより判断することができる。そして、特定の演出モード（ラストチャンス）中でない場合はステップＳ７１８へ移行して先読み演出抽選処理を実行するが、特定の演出モード（ラストチャンス）中である場合はステップＳ７１８の先読み演出抽選処理およびステップＳ７１９の判断処理を迂回して、ステップＳ７２０の「先読み禁止カウンタｍｏｄｅ」のセット処理へ移行するように構成する。
【０５２２】
あるいは、図２０のステップＳ７１９（先読み演出抽選結果の判断処理）の後に上記演出モード切り替わり判定処理を設け、特定の演出モード（ラストチャンス）中でない場合はステップＳ７２０へ移行して「先読み禁止カウンタｍｏｄｅ」のセット処理を実行するが、特定の演出モード（ラストチャンス）中である場合はステップＳ７２０の「先読み禁止カウンタｍｏｄｅ」のセット処理を迂回して、ステップＳ７２１へ移行するように構成することができる。
【０５２３】
いずれの場合も、「先読み禁止カウンタｍｏｄｅ」にセットする数値は、特定の演出モード（ラストチャンス）の期間として設定した変動回数と同じ値（この例では４回）であるが、特定の演出モード（ラストチャンス）の期間として設定した変動回数を少し超える固定値（たとえば５〜６回）をセットしてもよい。
【０５２４】
上記値を「先読み禁止カウンタｍｏｄｅ」にセットすることで（ステップＳ７２０）、たとえば時短回数５０回のうちの残り図柄変動回数４回に入ってから当該区間が終了するまでの間、先読み予告演出の抽選または発生が禁止される。つまり、時短回数５０回が終了する残りの図柄変動回数が、残り４回になった場合、この残り４回の区間では遊技者の緊張が続くように比較的長い変動時間の変動パターンが選択されるように構成される。このラスト４回の非常に緊張感の高まった濃艶な演出中にガセの先読み予告演出がさらに発生すると、図柄遊技結果が非当選であった場合に遊技者に演出上の不信感を与えることになる。しかし、そのような緊張感の高まった状況下にあるラスト４回の期間中について、先読み予告演出の抽選または発生が禁止されるので、上記不信感を与えることを避けることができる。
【０５２５】
[第５の実施形態]
次に第５の実施形態について説明する。これは、いわゆるＳＴ機を前提としたものであるので、この構成について先に説明する。
【０５２６】
ＳＴ機においては、大当り遊技終了後に特典遊技状態として、「確変状態」（特別図柄確変機能、特別図柄時短機能、普通図柄確変機能、普通図柄時短機能および開放延長機能が作動する遊技状態）に移行される。この確変状態はいわゆる「回数切り確変状態（ＳＴ）」であって、図柄の変動回数が上限回数（たとえば計１００回）に達すると主制御部２０の遊技状態が通常の遊技状態に戻される。
【０５２７】
このＳＴ機における追加的な構成として、ＳＴ状態（ＳＴ回数１００回）が終了する手前の所定回数目に至った場合、当該所定回数目を含む残りの図柄変動回数（たとえば５回）を「ラストチャンス」とする特定の演出モードに切り替え、この「ラストチャンス」中は比較的長い変動時間の変動パターンが選択されて、遊技者の緊張が続くようにする。つまり１〜９５回転目までの確変状態（確変Ａ状態）における演出モードよりも、９６〜１００回転目までの確変状態（確変Ｂ状態）における演出モード（ラストチャンスゾーン）における特別図柄の変動時間（図柄の変動開始から停止までの時間）の方が、相対的に長くなるように変動パターンを規定する。このようにしておくと、一方において、図柄の変動時間が相対的に短く設定される（たとえば５秒、８秒、１２秒から選択される）確変Ａ状態においては、毎回の特別図柄変動表示ゲームをスピーディに消化して行くことができ、大当り連荘時の出球スピードが高められる。また他方において、特別図柄の変動時間が相対的に長く設定される（変動時間が最も長い１２秒に固定される）確変Ｂ状態においては、時間をかけて確変状態であることを遊技者に明確に意識させながら、通常の遊技状態と同じように確変状態を長く楽しませることができる。
【０５２８】
しかし上記「ラストチャンス」とする特定の演出モード中に先読み予告演出が発生すると、当該特定の演出モードで発生させる演出と先読み予告演出との間で相互に矛盾や違和感をもたらす可能性がある。そこで、第５の実施形態では、ＳＴ期間の終り（既知の値：上記１００回目）から逆算して所定の変動回数分（ここでは５回転分）だけ前の時点から上記特定の演出モード（ラストチャンス）に切り替わった場合、上記特定の演出モード（ラストチャンス）下で発生した保留記憶については、つまり上記特定の演出モード期間（ラストチャンスゾーン）として設定した残り変動回数（この例では５回）については、先読み予告演出の発生を禁止する構成にして、当該特定の演出モード下でなす演出と先読み演出予告との間に矛盾や違和感が発生しないようにする。
【０５２９】
具体的には、たとえば、図２０のステップＳ７１６とＳ７１７で「先読み禁止カウンタｓｙｓ」と「先読み禁止カウンタｍｏｄｅ」の値がゼロである（先読み禁止中でない）との確認が取れた後に、上記特定の演出モード（ラストチャンス）への切り替わりが生じたか否かを判断する処理（演出モード切り替わり判定処理）を設ける。
【０５３０】
この特定の演出モード（ラストチャンス）への切り替わりが生じたか否かは、たとえば、大当りが終了したときに送られてくる大当り終了コマンドに基づいて、当該大当り終了後にＳＴ状態への移行を知ることができるので、当該ＳＴ状態となったときからの変動回数を監視し、ＳＴ状態の残余回数を把握することで、上記特定の演出モード（ラストチャンス）への切り替わりが生じたと判断することができる。上記ＳＴ状態の残余回数は、たとえば、変動パターン指定コマンドの受信回数をカウントする、または装飾図柄変動表示ゲームの実行回数をカウントする、あるいは残り時短回数コマンドに含まれる残り時短回数情報などにより把握することができる。
【０５３１】
またたとえば、主制御部２０側において、図３７には示してないが、確変Ａ状態に対応する変動パターン振分指定番号（Ｔｃｏｄｅ）と、確変Ｂ状態に対応する変動パターン振分指定番号（Ｔｃｏｄｅ）とを設け、図３４〜図３５のように、それぞれの変動パターン振分指定番号（Ｔｃｏｄｅ）に対応する専用の変動パターンを選択するように構成する。つまり、確変Ａ状態専用の変動パターンと、確変Ｂ状態専用の変動パターンとを選択可能に構成する。この場合、主制御部２０側においては、確変状態開始・終了が管理可能に構成することができるので（たとえば、図１５ＢのＳ４８３〜Ｓ４８６参照）、ＳＴ状態の実行回数（残余回数）を監視して、１〜９５回転目までは確変Ａ状態下における変動パターン（確変Ａ状態専用の変動パターン）を選択し、９６〜１００回転目までは確変Ｂ状態下における変動パターン（確変Ｂ状態専用の変動パターン）を選択することができる。したがって、確変Ｂ状態専用の変動パターン種別情報を含む「変動パターン指定コマンド」を演出制御部２４側が受信した時点で、上記特定の演出モード（ラストチャンス）への切り替わりが生じたと判断することができる。換言すれば、確変Ａ状態専用の変動パターン種別情報を含む「変動パターン指定コマンド」を受信した場合には、上記特定の演出モード（ラストチャンス）中でないと判断することができ、確変Ｂ状態専用の変動パターン種別情報を含む「変動パターン指定コマンド」を受信した場合には、上記特定の演出モード（ラストチャンス）中であると判断することができる。勿論、確変Ａ状態、確変Ｂ状態専用変動パターンにおける当り・ハズレ変動については、１または複数種類設けることができる。
【０５３２】
そして、特定の演出モード（ラストチャンス）中でない場合はステップＳ７１８へ移行して先読み演出抽選処理を実行するが、特定の演出モード（ラストチャンス）中である場合はステップＳ７１８の先読み演出抽選処理およびステップＳ７１９の判断処理を迂回して、ステップＳ７２０の「先読み禁止カウンタｍｏｄｅ」のセット処理へ移行するように構成する。
【０５３３】
あるいは、図２０のステップＳ７１９（先読み演出抽選結果の判断処理）の後に上記演出モード切り替わり判定処理を設け、特定の演出モード（ラストチャンス）中でない場合はステップＳ７２０へ移行して「先読み禁止カウンタｍｏｄｅ」のセット処理を実行するが、特定の演出モード（ラストチャンス）中である場合はステップＳ７２０の「先読み禁止カウンタｍｏｄｅ」のセット処理を迂回して、ステップＳ７２１へ移行するように構成することができる。
【０５３４】
いずれの場合も、「先読み禁止カウンタｍｏｄｅ」にセットする数値は、特定の演出モード（ラストチャンス）の期間として設定した変動回数と同じ値（この例では５回）であるが、特定の演出モード（ラストチャンス）の期間として設定した変動回数を少し超える固定値（たとえば６〜７回）をセットしてもよい。
【０５３５】
[第６の実施形態]
次に第６の実施形態について説明する。これは、電源復旧時に先読み予告演出の発生を禁止するもので、次のような不都合をなくそうとするものである。
【０５３６】
電気的ノイズなどの制御系における異常に起因して保留加算コマンドのデータが変化した場合、これに基づいて演出制御部側で先読み予告演出（特に画像表示変化系の先読み予告演出）を発生させると、下記のケース３、４に示すように、遊技者に不信感をいだかせる状況が発生してしまう可能性がある。
【０５３７】
＜ケース３＞
電源復帰後に新たにハズレ入賞（または当り入賞）があり、その保留記憶（保留４）の先読み結果に基づいて連続予告演出が開始したが、その前に電源復旧時に当り入賞に係る保留記憶（保留２）が存在していたため、保留４の先読み結果に基づいて開始された上記連続予告演出が、保留４の図柄変動が開始される前に途切れてしまうこと、遊技者に違和感や不信感をもたらすことになる。
【０５３８】
＜ケース４＞
電源復帰後の高確率状態下でプレミアム大当りの虹色保留が発生したが、その前に電源復旧時に転落入賞に係る保留または普通大当りの入賞に係る保留が存在していたため、低確率状態の当り判定テーブル上でのハズレに該当してしまうこと、プレミアム大当りの虹色保留がハズレとなってしまい、遊技者に不信感を与える。
【０５３９】
そこで、このような不都合な状況が発生しないようにするため、第６の実施形態では、復帰手段により保留記憶個数分の保留データが遊技動作可能に回復された場合、その後に新たに保留記憶手段に保留記憶される最大保留記憶個数（特別図柄１の最大保留記憶個数の４個と特別図柄２の最大保留記憶個数の４個の合計数に対応する８個）と同数（８回転）またはそれより１個多い値（９回転）の保留データに関しては、先読み予告演出の発生を禁止する構成を設ける。
【０５４０】
すなわち、「先読み禁止カウンタｓｙｓ」に上記の８回転または９回転の値をセットし、この「先読み禁止カウンタｓｙｓ」にて、先読み予告演出の発生を禁止する図柄変動表示ゲームの回数を計数管理し、上記の８回転または９回転の間は先読み演出が発生しないようにする。この場合の先読み禁止動作は、電気的ノイズなどがもたらす制御系における異常（保留加算コマンドのデータが変化した場合）に起因して「先読み禁止カウンタｓｙｓ」をセットした場合と同様になる。
【産業上の利用可能性】
【０５４１】
本発明は、遊技球あるいはこれに相当する遊技媒体を利用した遊技機に有用である。
【符号の説明】
【０５４２】
１      パチンコ遊技機、
２      前枠、
３      遊技盤、
３ａ    遊技領域、
４      外枠、
５      球誘導レール、
６      ガラス扉、
７      前面操作パネル、
８      上受け皿ユニット、
９      上受け皿、
１１      球貸しボタン、
１２      カード返却ボタン、
１３      枠演出ボタン、
１４      球抜きボタン、
１５      発射操作ハンドル、
１９      遊技球払出装置、
２０      主制御部、
２１      枠用外部端子基板、
２４      演出制御部、
２８      発射制御基板、
２９      払出制御基板、
３１      電源基板、
３２      発射装置、
３４      上始動口、
３４ａ    上始動口センサ、
３５      下始動口、
３５ａ    下始動口センサ、
３６      液晶表示装置、
３７      普通図柄始動口、
３７ａ    普通図柄始動口センサ、
３８ａ、３８ｂ    特別図柄表示装置、
３９ｃ    保留複合表示用ＬＥＤ表示器３８ｃ
３９ａ    普通図柄表示装置、
３９ｂ    ラウンド数表示装置、
４０、５０        大入賞口、
４１      普通変動入賞装置、
４１ｃ    普通電動役物ソレノイド、
４２、５２        特別変動入賞装置、
４２ａ、５２ａ    大入賞口センサ、
４２ｂ、５２ｂ    開放扉、
４２ｃ、５２ｃ    大入賞口ソレノイド、
４３      一般入賞口、
４３ａ    一般入賞口センサ、
４４      風車、
４５      装飾ランプ、
４５ａ    光表示装置、
４６      スピーカ、
４６ａ    音響発生装置、
４７      可動翼片、
４８      センター飾り、
４９      アウト口、
７１      可動体役物モータ、
２０１      主制御ＣＰＵ、
２０２      主制御ＲＯＭ、
２０３      主制御ＲＡＭ、
２４１      演出制御ＣＰＵ、
２４２      演出制御ＲＯＭ、
２４３      演出制御ＲＡＭ。
【図１】
0005877863.tif 000002
【図２】
0005877863.tif 000003
【図３】
0005877863.tif 000004
【図４】
0005877863.tif 000005
【図５】
0005877863.tif 000006
【図６】
0005877863.tif 000007
【図７】
0005877863.tif 000008
【図８】
0005877863.tif 000009
【図９】
0005877863.tif 000010
【図１０】
0005877863.tif 000011
【図１１】
0005877863.tif 000012
【図１２】
0005877863.tif 000013
【図１３】
0005877863.tif 000014
【図１４】
0005877863.tif 000015
【図１５Ａ】
0005877863.tif 000016
【図１５Ｂ】
0005877863.tif 000017
【図１６】
0005877863.tif 000018
【図１７】
0005877863.tif 000019
【図１８】
0005877863.tif 000020
【図１９】
0005877863.tif 000021
【図２０】
0005877863.tif 000022
【図２１】
0005877863.tif 000023
【図２２】
0005877863.tif 000024
【図２３】
0005877863.tif 000025
【図２４】
0005877863.tif 000026
【図２５】
0005877863.tif 000027
【図２６】
0005877863.tif 000028
【図２７】
0005877863.tif 000029
【図２８】
0005877863.tif 000030
【図２９】
0005877863.tif 000031
【図３０】
0005877863.tif 000032
【図３１】
0005877863.tif 000033
【図３２】
0005877863.tif 000034
【図３３】
0005877863.tif 000035
【図３４】
0005877863.tif 000036
【図３５】
0005877863.tif 000037
【図３６】
0005877863.tif 000038
【図３７】
0005877863.tif 000039
【図３８】
0005877863.tif 000040
【図３９】
0005877863.tif 000041